(57)【要約】【課題】  位置決めの正確さおよび／または強健性が改善されたリソグラフィ投影装置のアライメント・システムを提供する。【解決手段】  リソグラフィ装置の位置決めシステムは、位置決め放射線源１、第１検出器チャネルおよび第２検出器チャネルを有する検出システム、および検出システムと連絡する位置決定ユニットを有する。位置決定ユニットは、第１および第２検出器チャネルからの情報を組み合わせて処理し、組み合わせた情報に基づいて、第２オブジェクト上の基準位置に対する第１オブジェクト上の位置決めマークの位置を決定する。【選択図】      図３
2008034878.tif 000002
【特許請求の範囲】
【請求項１】
リソグラフィ装置の位置決めシステムにおいて、
アライメント放射線源と、
第１検出器チャネルおよび第２検出器チャネルを含む検出システムと、
前記検出システムと連絡する位置決定ユニットとを有し、
前記位置決定ユニットが、前記第１および第２検出器チャネルからの情報を組み合わせて処理し、加工物上の位置決めマークの位置を決定するように構成され、前記組合せは、前記加工物の製造プロセスを考慮に入れたものである位置決めシステム。
【請求項２】
前記第１検出器チャネルが第１非ゼロ回折次数チャネルであり、前記第２検出器チャネルが第２非ゼロ回折次数チャネルである請求項１に記載された位置決めシステム。
【請求項３】
前記位置決定ユニットが、前記第１および第２非ゼロ回折次数チャネルからの前記情報を、前記第１および第２非ゼロ回折次数チャネルからの第１および第２信号を、前記第２信号に対する前記第１信号の相対的強度によって決定される係数で重み付けすることにより処理するように構成されている請求項２に記載された位置決めシステム。
【請求項４】
前記第２信号に対する前記第２信号の強度が所定の閾値を超えた場合、前記第２非ゼロ回折次数チャネルの重み係数が、ゼロに設定される請求項３に記載された位置決めシステム。
【請求項５】
前記位置決定ユニットが、前記第１および第２検出器チャネルからの情報を組み合わせて処理し、前記加工物上の前記位置決めマークの位置を第１精度で決定するように構成されている請求項１に記載された位置決めシステム。
【請求項６】
前記位置決定ユニットが、第３および第４検出器チャネルからの情報を処理して、前記加工物上の前記位置決めマークの位置を、前記第１精度より精密な第２精度で決定するように構成されている請求項５に記載された位置決めシステム。
【請求項７】
前記位置決定ユニットが、前記第１および第２検出器チャネルからの第１および第２信号を等しく重み付けすることにより、前記第１および第２検出器からの前記情報を処理するように構成されている請求項１に記載された位置決めシステム。
【請求項８】
前記位置決定ユニットが、ｍｃｃ、ミニレプロ、信号対雑音比、信号形状、信号エンベロープ、焦点、勾配、次数チャネル位置オフセット、波長チャネル位置オフセット、セグメントと粗・微位置偏差間の変位で校正された測定可能量のセットから選択された少なくとも１つの測定可能な量に依存する係数で、前記第１および第２検出器チャネルからの第１および第２信号を重み付けすることにより、前記第１および第２検出器チャネルからの前記情報を処理するように構成され、
パラメータｍｃｃは、測定した信号がいかに、完璧な位置決めマークに予想される信号と似ているかを示す複数の相関係数であり、ミニレプロは、アライメント測定の異なる区間または部分の位置合わせした位置の標準偏差で、位置合わせした位置の正確さを示すアライメント測定の様々な区間または部分の位置合わせした位置の標準偏差であり、信号対雑音比は、適合した信号を、測定した信号のスペクトルにわたるノイズの相対的レベルで割った値で、通常は基本周波数の倍数であり、信号形状は、このスペクトルにおける、幾つかの別個周波数の相対レベルであり、信号エンベロープは、測定中の信号強度の分散であり、焦点は、測定中のウェーハ高さのオフセットであり、勾配は、測定中のウェーハ角度と検出器角度との間の角度であり、次数チャネル位置オフセットは、１つの波長の様々なチャネルの位置合わせした位置における測定値の差であり、波長チャネル位置オフセットは、様々な波長チャネルの位置合わせした位置の測定値の差であり、セグメント間変位は、複数のセグメント間した位置決めマークの様々なセグメントの位置合わせした位置の測定値差であり、粗・微位置偏差は、粗位相での位置決めマーク測定に基づいた予想位置に対する微位相での位置決めマークの位置の差である請求項１に記載された位置決めシステム。
【請求項９】
前記位置決定ユニットが、前記第１および第２検出器チャネルからの前記組み合わせた情報を使用する予測方法により、前記位置決めマークの前記位置を決定するように構成されている請求項１に記載された位置決めシステム。
【請求項１０】
前記予測方法が、固定したデータ・セットに基づく静的予測である請求項９に記載された位置決めシステム。
【請求項１１】
前記予測方法が、前記加工物上の前記位置決めマークの前記位置の前記決定中に変更できる初期データ・セットに基づくものである請求項９に記載された位置決めシステム。
【請求項１２】
前記固定したデータ・セットが、前記加工物への前記位置決めマークの位置の依存性を含む請求項１０に記載された位置決めシステム。
【請求項１３】
前記予測方法が、前記第１および第２検出器チャネルからの組合せ情報から決定した前記位置決めマークの少なくとも前記位置に、連続関数を適合させることを含む請求項９に記載された位置決めシステム。
【請求項１４】
前記予測方法が、系統的処理で誘発される誤差がほぼゼロの状態で位置決めマークの位置を予測する請求項９に記載された位置決めシステム。
【請求項１５】
前記系統的に誘発されるほぼゼロの誤差が、化学機械研磨プロセスによって誘発される系統的誤差に対応する請求項１４に記載された位置決めシステム。
【請求項１６】
前記系統的処理で誘発されるほぼゼロの誤差が、銅ダマシン・プロセスで誘発される系統的誤差に対応する請求項１４に記載された位置決めシステム。
【請求項１７】
前記位置決定ユニットが、第２加工物上で検出された位置決めマークからの情報を含めることにより、前記位置決めマークの前記位置を決定するように構成されている請求項１に記載された位置決めシステム。
【請求項１８】
前記第１検出器チャネルが第１波長チャネルにおいて、前記第２検出器チャネルが第２波長チャネルである請求項１に記載された位置決めシステム。
【請求項１９】
前記アライメント放射線源が、第１波長で照明放射線を提供するレーザを有する請求項１に記載された位置決めシステム。
【請求項２０】
前記アライメント放射線源が、さらに、第２波長で照明放射線を提供する第２レーザを有する請求項１９に記載された位置決めシステム。
【請求項２１】
前記アライメント放射線源が、複数の波長で照明放射線を提供するような構成である広帯域源を有する請求項１に記載された位置決めシステム。
【請求項２２】
前記検出システムが、第１検出信号を前記第１検出器チャネルに提供するように構成された第１検出器と、第２検出信号を前記第２検出器チャネルに提供するように構成された第２検出器とを有する請求項１に記載された位置決めシステム。
【請求項２３】
前記検出システムが、多ターゲット・位置決めマークの第１ターゲット、および前記多ターゲット・位置決めマークの第２ターゲットを検出するように構成されている請求項１に記載された位置決めシステム。
【請求項２４】
前記多ターゲット・位置決めマークの前記第１ターゲットが、前記第１ターゲットの一部の上または下にある構造の少なくとも１つを含む請求項２３に記載された位置決めシステム。
【請求項２５】
前記検出システムが、多ターゲット・位置決めマークの第１ターゲットを検出して、前記第１検出信号を提供するように構成され、前記検出システムが、前記多ターゲット・位置決めマークの第２ターゲットを検出して、前記第２検出信号を提供するように構成されている請求項２３に記載された位置決めシステム。
【請求項２６】
前記多ターゲット・位置決めマークの前記第１ターゲットが、前記加工物の前記製造プロセス中に所定の変化を遂げるように構成されているプロセス・ターゲットである請求項２３に記載された位置決めシステム。
【請求項２７】
前記多ターゲット・位置決めマークの前記第２ターゲットが、前記加工物の前記製造プロセス中に、前記第１ターゲットより小さい変化を遂げて前記第１ターゲットに強健なバックアップを提供するように構成されている請求項２６に記載された位置決めシステム。
【請求項２８】
前記多ターゲット・位置決めマークの前記第１ターゲットが、前記加工物の前記製造プロセス中に破壊されるように構成された犠牲ターゲットである請求項２３に記載された位置決めシステム。
【請求項２９】
前記多ターゲット・位置決めマークの前記第１ターゲットが、前記加工物の材料の第１層内に構築され、前記多ターゲット・位置決めマークの前記第２ターゲットが、前記加工物の材料の第２層内に構成されている請求項２３に記載された位置決めシステム。
【請求項３０】
前記多ターゲット・位置決めマークの前記第１ターゲットが、純粋に周期的な格子と比較して、そこから回折した放射線の第１回折次数を強化する回折次数強化格子であり、前記多ターゲット・位置決めマークの前記第２ターゲットが、純粋に周期的な格子と比較して、そこから回折した放射線の第２回折次数を強化する回折次数強化格子であり、前記第１回折次数が、前記第２回折次数の整数値とは異なる整数値である請求項２３に記載された位置決めシステム。
【請求項３１】
前記検出システムが、さらに、第３検出器チャネルを有し、前記位置決定ユニットが、前記第１、第２および第３検出器チャネルからの情報を組み合わせて処理し、前記加工物上の前記位置決めマークの前記位置を決定しながら、校正および認定のうち少なくとも一方を実行するように構成されている請求項１に記載された位置決めシステム。
【請求項３２】
リソグラフィ投影装置において、
照明放射線を提供するように構成された照明システムと、
前記照明放射線の経路に配置されるような構成である基板ステージ・アセンブリと、
前記照明システムと前記基板ステージ・アセンブリとの間で前記照明放射線の前記経路に配置されるレチクル・ステージ・アセンブリと、
前記レチクル・ステージ・アセンブリと前記基板ステージ・アセンブリとの間に配置された投影システムと、
前記基板ステージ・アセンブリおよび前記レチクル・ステージ・アセンブリの少なくとも一方の近傍に配置された位置決めシステムとを有し、
前記位置決めシステムが、
アライメント放射線源と、
第１検出器チャネルおよび第２検出器チャネルを含む検出システムと、
前記検出システムと連絡する位置決定ユニットとを有し、
前記位置決定ユニットが、前記第１および第２検出器チャネルからの情報を組み合わせて処理し、加工物上の位置決めマークの位置を決定するように構成され、前記組合せが前記加工物の製造プロセスを考慮に入れたものであるリソグラフィ投影装置。
【請求項３３】
前記第１検出器チャネルが第１非ゼロ回折次数チャネルであり、前記第２検出器チャネルが第２非ゼロ検出次数チャネルである請求項３２に記載されたリソグラフィ投影装置。
【請求項３４】
前記位置決定ユニットが、前記第１および第２非ゼロ回折次数チャネルからの前記情報を、前記第１および第２非ゼロ回折次数チャネルからの第１および第２信号に、前記第２信号に対する前記第１信号の相対的強度に依存する係数で重み付けすることにより処理するように構成されている請求項３３に記載されたリソグラフィ投影装置。
【請求項３５】
前記第２信号に対する前記第１信号の強度が所定の閾値を超えた場合、前記第２非ゼロ回折次数チャネルの重み付け係数がゼロに設定される請求項３４に記載されたリソグラフィ投影装置。
【請求項３６】
前記位置決定ユニットが、前記第１および第２検出器チャネルからの情報を組み合わせて処理し、前記加工物上の前記位置決めマークの位置を第１精度で決定するように構成されている請求項３２に記載されたリソグラフィ投影装置。
【請求項３７】
前記位置決定ユニットが、第３および第４検出器チャネルからの情報を処理して、前記加工物上の前記位置決めマークの位置を、前記第１精度より精密な第２精度で決定するように構成されている請求項３６に記載されたリソグラフィ投影装置。
【請求項３８】
前記位置決定ユニットが、前記第１および第２検出器チャネルからの前記情報を、前記第１および第２検出器チャネルからの第１および第２信号に等しく重み付けすることにより処理するように構成されている請求項３２に記載されたリソグラフィ投影装置。
【請求項３９】
前記位置決定ユニットが、ｍｃｃ、ミニレプロ、信号対雑音比、信号形状、信号エンベロープ、焦点、勾配、次数チャネル位置オフセット、波長チャネル位置オフセット、セグメントと粗・微位置偏差間の変位で校正された測定可能量のセットから選択された少なくとも１つの測定可能な量に依存する係数で、前記第１および第２検出器チャネルからの第１および第２信号を重み付けすることにより、前記第１および第２検出器チャネルからの前記情報を処理するように構成され、
パラメータｍｃｃは、測定した信号がいかに、完璧な位置決めマークに予想される信号と似ているかを示す複数の相関係数であり、ミニレプロは、アライメント測定の異なる区間または部分の位置合わせした位置の標準偏差で、位置合わせした位置の正確さを示すアライメント測定の様々な区間または部分の位置合わせした位置の標準偏差であり、信号対雑音比は、適合した信号を、測定した信号のスペクトルにわたるノイズの相対的レベルで割った値で、通常は基本周波数の倍数であり、信号形状は、このスペクトルにおける、幾つかの別個周波数の相対レベルであり、信号エンベロープは、測定中の信号強度の分散であり、焦点は、測定中のウェーハ高さのオフセットであり、勾配は、測定中のウェーハ角度と検出器角度との間の角度であり、次数チャネル位置オフセットは、１つの波長の様々なチャネルの位置合わせした位置における測定値の差であり、波長チャネル位置オフセットは、様々な波長チャネルの位置合わせした位置の測定値の差であり、セグメント間変位は、複数のセグメント間した位置決めマークの様々なセグメントの位置合わせした位置の測定値差であり、粗・微位置偏差は、粗位相での位置決めマーク測定に基づいた予想位置に対する微位相での位置決めマークの位置の差である請求項３２に記載されたリソグラフィ投影装置。
【請求項４０】
前記位置決定ユニットが、前記第１および第２検出器チャネルからの前記組み合わせた情報を使用する予測方法により、前記位置決めマークの前記位置を決定するように構成されている請求項３２に記載されたリソグラフィ投影装置。
【請求項４１】
前記予測方法が、固定したデータ・セットに基づく静的予想である請求項４０に記載されたリソグラフィ投影装置。
【請求項４２】
前記予測方法が、前記加工物上の前記位置決めマークの前記位置の前記決定中に変更できる初期データ・セットに基づく、請求項４０に記載されたリソグラフィ投影装置。
【請求項４３】
前記固定したデータ・セットが、前記加工物への前記位置決めマークの位置の依存性を含む、請求項４１に記載されたリソグラフィ投影装置。
【請求項４４】
前記予測方法が、前記第１および第２検出器チャネルからの組合せ情報から決定した前記位置決めマークの少なくとも前記位置に、連続関数を適合させることを含む、請求項４０に記載されたリソグラフィ投影装置。
【請求項４５】
前記予測方法が、系統的処理で誘発される誤差がほぼゼロの状態で位置決めマークの位置を予測する請求項４０に記載された位置決めシステム。
【請求項４６】
前記系統的に誘発されるほぼゼロの誤差が、化学機械研磨プロセスによって誘発される系統的誤差に対応する請求項４５に記載されたリソグラフィ投影装置。
【請求項４７】
前記系統的処理で誘発されるほぼゼロの誤差が、銅ダマシン・プロセスで誘発される系統的誤差に対応する請求項４５に記載されたリソグラフィ投影装置。
【請求項４８】
前記位置決定ユニットが、第２加工物上で検出された位置決めマークからの情報を含めることにより、前記位置決めマークの前記位置を決定するように構成されている請求項３２に記載されたリソグラフィ投影装置。
【請求項４９】
前記第１検出器チャネルが第１波長チャネルであり、前記第２検出器チャネルが第２波長チャネルである請求項３２に記載されたリソグラフィ投影装置。
【請求項５０】
前記アライメント放射線源が、第１波長で照明放射線を提供するレーザを有する請求項３２に記載されたリソグラフィ投影装置。
【請求項５１】
前記アライメント放射線源が、さらに、第２波長で照明放射線を提供する第２レーザを有する請求項５０に記載されたリソグラフィ投影装置。
【請求項５２】
前記アライメント放射線源が、複数の波長で照明放射線を提供するような校正である広帯域源を有する請求項３２に記載されたリソグラフィ投影装置。
【請求項５３】
前記検出システムが、第１検出信号を前記第１検出器チャネルに提供するように構成された第１検出器と、第２検出信号を前記第２検出器チャネルに提供するように構成された第２検出器とを有する請求項３２に記載されたリソグラフィ投影装置。
【請求項５４】
前記検出システムが、多ターゲット・位置決めマークの第１ターゲット、および前記多ターゲット・位置決めマークの第２ターゲットを検出するように構成されている請求項３２に記載されたリソグラフィ投影装置。
【請求項５５】
前記多ターゲット・位置決めマークの前記第１ターゲットが、前記第１ターゲットの一部の上または下にある構造の少なくとも１つを含む、請求項５４に記載されたリソグラフィ投影装置。
【請求項５６】
前記検出システムが、多ターゲット・位置決めマークの第１ターゲットを検出して、前記第１検出信号を提供するように構成され、前記検出システムが、前記多ターゲット・位置決めマークの第２ターゲットを検出して、前記第２検出信号を提供するように構成されている請求項５４に記載されたリソグラフィ投影装置。
【請求項５７】
前記多ターゲット・位置決めマークの前記第１ターゲットが、前記加工物の前記製造プロセス中に所定の変化を遂げるように構成されているプロセス・ターゲットである請求項５４に記載されたリソグラフィ投影装置。
【請求項５８】
前記多ターゲット・位置決めマークの前記第２ターゲットが、前記加工物の前記製造プロセス中に、前記第１ターゲットより小さい変化を遂げて、前記第１ターゲットに強健なバックアップを提供するように構成されている請求項５７に記載されたリソグラフィ投影装置。
【請求項５９】
前記多ターゲット・位置決めマークの前記第１ターゲットが、前記加工物の前記製造プロセス中に破壊されるように構成された犠牲ターゲットである請求項５４に記載されたリソグラフィ投影装置。
【請求項６０】
前記多ターゲット・位置決めマークの前記第１ターゲットが、前記加工物の材料の第１層内に構築され、前記多ターゲット・位置決めマークの前記第２ターゲットが、前記加工物の材料の第２層内に構成されている請求項５６に記載されたリソグラフィ投影装置。
【請求項６１】
前記多ターゲット・位置決めマークの前記第１ターゲットが、純粋に周期的な格子と比較して、そこから回折した放射線の第１回折次数を強化する回折次数強化格子であり、前記多ターゲット・位置決めマークの前記第２ターゲットが、純粋に周期的な格子と比較して、そこから回折した放射線の第２回折次数を強化する回折次数強化格子であり、前記第１回折次数が、前記第２回折次数の整数値とは異なる整数値である請求項５６に記載されたリソグラフィ投影装置。
【請求項６２】
前記検出システムが、さらに、第３チャネルを有し、前記位置決定ユニットが、前記第１、第２および第３検出器チャネルからの情報を組み合わせて処理し、前記加工物上の前記位置決めマークの前記位置を決定する一方、校正および認定のうち少なくとも一方を実行するように構成されている請求項３２に記載されたリソグラフィ投影装置。
【請求項６３】
マイクロデバイスを製造するために加工物を位置合わせする方法で、
前記加工物上に位置決めマークを形成することと、
位置決めシステムで前記位置決めマークを検出することと、
前記位置決めマークに応答して前記位置決めシステムから第１信号を受信することと、
前記位置決めマークに応答して前記位置決めシステムから第２信号を受信することと、
前記加工物が経験した処理にしたがい組み合わせた前記第１および第２信号からの情報に基づき、前記加工物上の前記位置決めマークの位置を検出することとを含む方法。
【請求項６４】
前記位置決めマークが多ターゲット・マークであり、前記第１信号が、前記多ターゲット・位置決めマークの第１ターゲットに応答し、前記第２信号が、前記多ターゲット・位置決めマークの第２ターゲットに応答する請求項６３に記載された加工物を位置合わせする方法。
【請求項６５】
前記位置決めシステムが、前記第１信号を生成する第１検出器と、前記第２信号を生成する第２検出器とを有し、前記第１および第２信号がほぼ同期して生成される請求項６３に記載された加工物を位置合わせする方法。
【請求項６６】
前記位置決めマークが多ターゲット・位置決めマークであり、前記第１信号が前記多ターゲット・位置決めマークの第１ターゲットに応答し、前記第２信号が、前多ターゲット・位置決めマークの第２ターゲットに応答する請求項６５に記載された加工物を位置合わせする方法。
【請求項６７】
さらに、前記加工物を保持するような構成であるステージ・アセンブリ上の認識マークの位置を決定することと、前記認識マークに対する前記位置決めマークの前記位置を決定することとを含む、請求項６３に記載された加工物を位置合わせする方法。
【請求項６８】
前記多ターゲット・位置決めマークが、前記加工物のスクライブ線に沿って、隣接するマイクロデバイス領域間に形成される請求項６３に記載された加工物を位置合わせする方法。
【請求項６９】
前記第１ターゲットが第１回折格子であり、前記第２ターゲットが第２回折格子である請求項６４に記載された加工物を位置合わせする方法。
【請求項７０】
前記第１および第２回折格子が回折次数強化格子である請求項６９に記載された加工物を位置合わせする方法。
【請求項７１】
前記第１ターゲットが、前記第２ターゲットとは異なるパターンを有する請求項６４に記載された加工物を位置合わせする方法。
【請求項７２】
前記第１ターゲットが、前記マイクロデバイスの構造に基づいて構成された構造を有する請求項６４に記載された加工物を位置合わせする方法。
【請求項７３】
前記多ターゲット・位置決めマークを前記検出することが、アライメント放射線ビームで前記多ターゲット・位置決めマークを照明することを含む、請求項６４に記載された加工物を位置合わせする方法。
【請求項７４】
前記位置決めシステムの前記第１検出器から受信した前記第１信号が、前記アライメント放射線ビームが前記第１ターゲットを照明した後に、第１対の非ゼロ次数回折アライメント放射線ビームを検出することに対応し、
前記位置決めシステムの前記第２検出器から受信した前記第２信号が、前記アライメント放射線ビームが前記第２ターゲットを照明した後に、第２対の非ゼロ次数回折アライメント放射線ビームを検出することに対応し、前記第１および第２対の非ゼロ次数回折ビームが相互とは異なる次数である請求項６５に記載された加工物を位置合わせする方法。
【請求項７５】
前記位置決めマークの前記位置を前記決定することが、前記第１および第２信号に基づいて位置を予測することを含む、請求項６３に記載された加工物を位置合わせする方法。
【請求項７６】
マイクロデバイスを製造するために、製造領域内で加工物上の位置決めマークを捕捉する方法で、
前記加工物上に多格子位置決めマークを形成することと、
複数の検出器を有する位置決めシステムで、前記多格子位置決めマークを検出することと、
前記多格子位置決めマークの複数の格子から第１および第２格子を選択することと、
前記複数の検出器のうち第１検出器の前記多格子位置決めマークの前記第１格子からのほぼ周期的な第１信号を、前記複数の検出器のうち第２検出器の前記多格子位置決めマークの前記第２格子からのほぼ周期的な第２信号と比較することと、
前記比較に基づいて捕捉範囲を決定することとを含む方法。
【請求項７７】
前記第１格子が、１次より大きい次数を強化する回折次数強化格子であり、前記第２格子が、１次より大きい次数を強化する回折次数強化格子である請求項７６に記載された位置決めマークを捕捉する方法。
【請求項７８】
前記多格子位置決めマークの前記第１および第２回折次数強化格子が、異なる回折次数を強化する請求項７７に記載された位置決めマークを捕捉する方法。
【請求項７９】
マイクロデバイスの製造に使用する位置決めマークで、
第１検出パターンを有する第１ターゲットと、
第２検出パターンを有する第２ターゲットとを有し、
前記第１ターゲットが、第１検出器で検出するような構成であり、
前記第２ターゲットが、第２検出器で検出するような構成である位置決めマーク。
【請求項８０】
前記第１ターゲットが、第１周期的格子パターンを有する第１回折次数強化格子であり、
前記第２ターゲットが、第２周期的格子パターンを有する第２回折次数強化格子であり、
記第１ターゲットが、前記第２ターゲットによって強化された回折ビームから、異なる次数の回折ビームを強化する請求項７９に記載された位置決めマーク。
【請求項８１】
さらに、第３検出パターンを有する第３ターゲットを有し、
前記第３ターゲットが、第３周期的格子パターンを有する第３回折次数強化格子であり、前記第３ターゲットが、前記第１および第２ターゲットによって強化された前記回折ビームから、異なる次数の回折ビームを強化する請求項８０に記載された位置決めマーク。
【請求項８２】
さらに、第４検出パターンを有する第４ターゲットを有し、
前記第４ターゲットが、前記第１、第２および第３周期的格子パターンからの異なる周期の周期的パターンを有する回折格子である請求項８１に記載された位置決めマーク。
【請求項８３】
マイクロデバイスの製造に使用するため、非ゼロ次の回折ビームの強度を強化する、オブジェクト上に形成された回折次数強化位置決めマーク。
【請求項８４】
マイクロデバイスの製造に使用するため、オブジェクト上に形成された位置決めマークで、検出パターンおよび処理パターンを有するターゲットを有し、前記処理パターンが、製造中の前記マイクロデバイスの変化に対応してマイクロデバイスの処理にて変化する構造を有する位置決めマーク。
【請求項８５】
マイクロデバイスを製造するための自動プロセス制御方法で、
複数の検出器チャネルを有する位置決めマーク検出システムからデータを受信することと、
前記位置決めマーク検出システムからの前記受信データに基づき、更新された処理戦略を決定することと、
前記更新された処理戦略に基づいて処理ステップを変更することとを含み、
前記位置決めマーク検出システムの前記複数の検出器チャネルが、位置決めマークの検出中に、対応する複数の信号をほぼ同期して提供する方法。
【請求項８６】
前記位置決めマーク検出システムからの前記データが、多ターゲット・位置決めマークの走査から取得される請求項８５に記載された自動プロセス制御方法。
【請求項８７】
前記多ターゲット・位置決めマークが、前記複数の検出器チャネルのうち対応する少なくとも２つの検出器チャネルに、検出信号を提供するため、前記多ターゲット・位置決めマークが、前記位置決めマーク検出システムによって別個に検出可能な少なくとも２つのターゲットを有する請求項８６に記載された自動プロセス制御方法。
【請求項８８】
前記少なくとも２つのターゲットが、それぞれ、異なる回折次数を強化する回折次数強化格子であり、対応する少なくとも２つの検出器チャネルが回折次数チャネルである請求項８７に記載された自動プロセス制御方法。
【請求項８９】
前記多ターゲット・位置決めマークの前記少なくとも２つのターゲットのうち少なくとも一方が、前記マイクロデバイスの処理ステップ中に、ほぼ予測可能な方法で信号特徴を変化させるプロセス・ターゲットである請求項８６に記載された自動プロセス制御方法。
【請求項９０】
前記プロセス・ターゲットが、タングステンで充填された十字溝の下位構造を有する回折格子である請求項８９に記載された自動プロセス制御方法。
【請求項９１】
前記多ターゲット・位置決めマークの前記少なくとも２つのターゲットのうち少なくとも一方が、自身に配向されたアライメント放射線に対して不透明な材料の層上に形成された回折格子であり、不透明材料の前記層が、前記回折格子の有効深さを調整するように作用する請求項８７に記載された自動プロセス制御方法。
【請求項９２】
前記多ターゲット・位置決めマークが半導体ウェーハのスクライブ線に沿って形成された少なくとも４つのターゲットを有する請求項８６に記載された自動プロセス制御方法。
【請求項９３】
前記位置決めマーク検出システムが、リソグラフィ露光装置のオフアキシャル・位置決めシステムである請求項８５に記載された自動プロセス制御方法。
【請求項９４】
さらに、
オフライン計測ツールからデータを受信することと、
前記位置決めマーク検出システムからの前記受信データ、および前記オフライン計測ツールからの前記データに基づき、前記更新された処理戦略を決定することとを含む、請求項９３に記載された自動プロセス制御方法。
【請求項９５】
前記複数の検出器チャネルのうち少なくとも２本のチャネルが、異なる波長での検出に対応する請求項８５に記載された自動プロセス制御方法。
【請求項９６】
マイクロデバイスを製造するための自動プロセス制御システムで、
複数の検出器チャネルを有する位置決めマーク検出システムからデータを受信するような構成であるデータ処理ユニットを有し、
前記データ処理ユニットが、前記位置決めマーク検出システムから受信したデータに基づき、更新された処理戦略を決定し、前記更新処理戦略に基づいて処理ステップを変更するように信号を出力し、
前記位置決めマーク検出システムの前記複数の検出器チャネルが、位置決めマークの検出中に、対応する複数の信号をほぼ同期して提供する自動プロセス制御システム。
【請求項９７】
前記位置決めマーク検出システムからの前記データが、多ターゲット・位置決めマークの走査中に取得される請求項９６に記載された自動プロセス制御システム。
【請求項９８】
前記多ターゲット・位置決めマークが、前記複数の検出器チャネルの対応する少なくとも２本の検出器チャネルに検出信号を提供するように、前記位置決めマーク検出システムによって別個に検出可能な少なくとも２つのターゲットを有する請求項９７に記載された自動プロセス制御システム。
【請求項９９】
前記少なくとも２つのターゲットが、それぞれ、異なる回折次数を強化する回折次数強化格子であり、対応する少なくとも２つの検出器チャネルが回折次数チャネルである請求項９８に記載された自動プロセス制御システム。
【請求項１００】
前記多ターゲット・位置決めマークの前記少なくとも２つのターゲットのうち少なくとも一方が、前記マイクロデバイスの処理ステップ中に、ほぼ予測可能な方法で信号特徴を変化させるプロセス・ターゲットである請求項９８に記載された自動プロセス制御システム。
【請求項１０１】
前記プロセス・ターゲットが、タングステンで充填された十字溝の下位構造を有する回折格子である請求項１００に記載された自動プロセス制御システム。
【請求項１０２】
前記多ターゲット・位置決めマークの前記少なくとも２つのターゲットのうち少なくとも一方が、自身に配向されたアライメント放射線に対して不透明な材料の層上に形成された回折格子であり、不透明材料の前記層が、前記回折格子の有効深さを調整するように作用する請求項９８に記載された自動プロセス制御システム。
【請求項１０３】
前記多ターゲット・位置決めマークが、半導体ウェーハのスクライブ線に沿って形成された少なくとも４つのターゲットを有する請求項９７に記載された自動プロセス制御システム。
【請求項１０４】
前記位置決めマーク検出システムが、リソグラフィ露光装置のオフアキシャル・位置決めシステムである請求項９６に記載された自動プロセス制御システム。
【請求項１０５】
前記データ処理ユニットが、さらに、オフライン計測ツールからデータを受信するような構成であり、前記データ処理ユニットが、前記位置決めマーク検出システムおよび前記オフライン計測ツールから受信したデータに基づき、前記更新された処理戦略を決定して、前記更新処理戦略に基づいて前記処理ステップを変更するように、前記信号を出力する請求項１０４に記載された自動プロセス制御システム。
【請求項１０６】
前記複数の検出器チャネルのうち少なくとも２本のチャネルが、異なる波長での検出に対応する請求項９６に記載された自動プロセス制御システム。
【請求項１０７】
マイクロデバイスを製造するための自動機器制御方法で、
複数の検出器チャネルを有する位置決めマーク検出システムからデータを受信することと、
前記位置決めマーク検出システムからの前記受信データに基づき、更新した処理戦略を決定することと、
前記更新処理戦略に基づいて処理ステップを変更することとを含み、
前記位置決めマーク検出システムの前記複数の検出チャネルが、位置決めマークの検出中に対応する複数の信号をほぼ同期して提供する方法。
【請求項１０８】
前記位置決めマーク検出システムからの前記データが、多ターゲット・位置決めマークの走査中に取得される請求項１０７に記載された自動機器制御方法。
【請求項１０９】
前記多ターゲット・位置決めマークが、前記複数の検出器チャネルの対応する少なくとも２本の検出器チャネルに検出信号を提供するように、前記位置決めマーク検出システムによって別個に検出可能な少なくとも２つのターゲットを有する請求項１０８に記載された自動機器制御方法。
【請求項１１０】
前記少なくとも２つのターゲットが、それぞれ、異なる回折次数を強化する回折次数強化格子であり、対応する少なくとも２本の検出器チャネルが回折次数チャネルである請求項１０９に記載された自動機器制御方法。
【請求項１１１】
前記多ターゲット・位置決めマークの前記少なくとも２つのターゲットのうち少なくとも一方が、前記マイクロデバイスの処理ステップ中に、ほぼ予測可能な方法で信号特徴を変化させるプロセス・ターゲットである請求項１１０に記載された自動機器制御方法。
【請求項１１２】
前記プロセス・ターゲットが、タングステンで充填された十字溝の下位構造を有する回折格子である請求項１１１に記載された自動機器制御方法。
【請求項１１３】
前記多ターゲット・位置決めマークの前記少なくとも２つのターゲットのうち少なくとも一方が、自身に配向されたアライメント放射線に対して不透明な材料の層上に形成された回折格子であり、不透明材料の前記層が、前記回折格子の有効深さを調整するように作用する請求項１０９に記載された自動機器制御方法。
【請求項１１４】
前記多ターゲット・位置決めマークが、半導体ウェーハのスクライブ線に沿って形成された少なくとも４つのターゲットを有する請求項１０８に記載された自動機器制御方法。
【請求項１１５】
前記位置決めマーク検出システムが、リソグラフィ露光装置のオフアキシャル・位置決めシステムである請求項１０７に記載された自動機器制御方法。
【請求項１１６】
前記複数の検出器チャネルのうち少なくとも２本のチャネルが、異なる波長での検出に対応する請求項１０７に記載された自動機器制御方法。
【請求項１１７】
リソグラフィ装置の位置決めシステムで、
アライメント放射線源と、
第１検出器チャネルおよび第２検出器チャネルを含む検出システムと、
前記検出システムと連絡する位置決定ユニットとを有し、
前記位置決定ユニットが、前記第１および第２検出器チャネルからの情報を組み合わせて処理し、加工物のアライメント格子を決定するように構成されている位置決めシステム。
【請求項１１８】
前記第１検出器チャネルが第１非ゼロ回折次数チャネルであり、前記第２検出器チャネルが第２非ゼロ回折次数チャネルである請求項１１７に記載された位置決めシステム。
【請求項１１９】
前記位置決定ユニットが、前記第１および第２非ゼロ回折次数チャネルからの前記情報を、前記第１および第２非ゼロ回折次数チャネルからの第１および第２信号を、前記第２信号に対する前記第１信号の相対的強度によって決定される係数で重み付けすることにより処理するように構成されている請求項１１８に記載された位置決めシステム。
【請求項１２０】
前記第２信号に対する前記第２信号の強度が所定の閾値を超えた場合、前記第２非ゼロ回折次数チャネルの重み係数が、ゼロに設定される請求項１１９に記載された位置決めシステム。
【請求項１２１】
前記位置決定ユニットが、前記第１および第２検出器チャネルからの情報を組み合わせて処理し、前記アライメント格子を第１精度で決定するように構成されている請求項１１７に記載された位置決めシステム。
【請求項１２２】
前記位置決定ユニットが、第３および第４検出器チャネルからの情報を処理して、アライメント格子を、前記第１精度より精密な第２精度で決定するように構成されている請求項１２１に記載された位置決めシステム。
【請求項１２３】
前記位置決定ユニットが、前記第１および第２検出器チャネルからの第１および第２信号を等しく重み付けすることにより、前記第１および第２検出器からの前記情報を処理するように構成されている請求項１１７に記載された位置決めシステム。
【請求項１２４】
前記位置決定ユニットが、ｍｃｃ、ミニレプロ、信号対雑音比、信号形状、信号エンベロープ、焦点、勾配、次数チャネル位置オフセット、波長チャネル位置オフセット、セグメントと粗・微位置偏差間の変位で校正された測定可能量のセットから選択された少なくとも１つの測定可能な量に依存する係数で、前記第１および第２検出器チャネルからの第１および第２信号を重み付けすることにより、前記第１および第２検出器チャネルからの前記情報を処理するように構成され、
パラメータｍｃｃは、測定した信号がいかに、完璧な位置決めマークに予想される信号と似ているかを示す複数の相関係数であり、ミニレプロは、アライメント測定の異なる区間または部分の位置合わせした位置の標準偏差で、位置合わせした位置の正確さを示すアライメント測定の様々な区間または部分の位置合わせした位置の標準偏差であり、信号対雑音比は、適合した信号を、測定した信号のスペクトルにわたるノイズの相対的レベルで割った値で、通常は基本周波数の倍数であり、信号形状は、このスペクトルにおける、幾つかの別個周波数の相対レベルであり、信号エンベロープは、測定中の信号強度の分散であり、焦点は、測定中のウェーハ高さのオフセットであり、勾配は、測定中のウェーハ角度と検出器角度との間の角度であり、次数チャネル位置オフセットは、１つの波長の様々なチャネルの位置合わせした位置における測定値の差であり、波長チャネル位置オフセットは、様々な波長チャネルの位置合わせした位置の測定値の差であり、セグメント間変位は、複数のセグメント間した位置決めマークの様々なセグメントの位置合わせした位置の測定値差であり、粗・微位置偏差は、粗位相での位置決めマーク測定に基づいた予想位置に対する微位相での位置決めマークの位置の差である請求項１１７に記載された位置決めシステム。
【請求項１２５】
前記位置決定ユニットが、前記第１および第２検出器チャネルからの前記組み合わせた情報を使用する予測方法により、前記アライメント格子を決定するように構成されている請求項１１７に記載された位置決めシステム。
【請求項１２６】
前記予測方法が、固定したデータ・セットに基づく静的予測方法である請求項１２５に記載された位置決めシステム。
【請求項１２７】
前記予測方法が、前記アライメント格子の前記決定中に変更できる初期データ・セットに基づく、請求項１２５に記載された位置決めシステム。
【請求項１２８】
前記固定したデータ・セットが、前記加工物への前記位置決めマークの位置の依存性を含む、請求項１２６に記載された位置決めシステム。
【請求項１２９】
前記位置決定ユニットが、第２加工物上で決定されたアライメント格子からの情報を含むことにより、前記アライメント格子を決定するように構成されている請求項１１７に記載された位置決めシステム。
【請求項１３０】
前記第１検出器チャネルが第１波長チャネルであり、前記第２検出器チャネルが第２波長チャネルである請求項１１７に記載された位置決めシステム。
【請求項１３１】
前記アライメント放射線源が、第１波長で照明放射線を提供するレーザを有する請求項１１７に記載された位置決めシステム。
【請求項１３２】
前記アライメント放射線源が、さらに、第２波長で照明放射線を提供する第２レーザを有する請求項１２５に記載された位置決めシステム。
【請求項１３３】
前記アライメント放射線源が、複数の波長で照明放射線を提供するような構成である広帯域源を有する請求項１１７に記載された位置決めシステム。
【請求項１３４】
前記検出システムが、第１検出信号を前記第１検出器チャネルに提供するように構成された第１検出器と、第２検出信号を前記第２検出器チャネルに提供するように構成された第２検出器とを有する請求項１１７に記載された位置決めシステム。
【請求項１３５】
前記検出システムが、多ターゲット・位置決めマークの第１ターゲット、および前記多ターゲット・位置決めマークの第２ターゲットを検出するように構成されている請求項１１７に記載された位置決めシステム。
【請求項１３６】
前記多ターゲット・位置決めマークの前記第１ターゲットが、前記第１ターゲットの一部の上または下にある構造の少なくとも１つを含む、請求項１３５に記載された位置決めシステム。
【請求項１３７】
前記検出システムが、多ターゲット・位置決めマークの第１ターゲットを検出して、前記第１検出信号を提供するように構成され、前記検出システムが、前記多ターゲット・位置決めマークの第２ターゲットを検出して、前記第２検出信号を提供するように構成されている請求項１３５に記載された位置決めシステム。
【請求項１３８】
前記多ターゲット・位置決めマークの前記第１ターゲットが、前記加工物の前記製造プロセス中に所定の変化を遂げるように構成されているプロセス・ターゲットである請求項１３５に記載された位置決めシステム。
【請求項１３９】
前記多ターゲット・位置決めマークの前記第２ターゲットが、前記加工物の前記製造プロセス中に、前記第１ターゲットより小さい変化を遂げて、前記第１ターゲットに強健なバックアップ・ターゲットを提供するように構成されている請求項１３８に記載された位置決めシステム。
【請求項１４０】
前記多ターゲット・位置決めマークの前記第１ターゲットが、前記加工物の前記製造プロセス中に破壊されるように構成された犠牲ターゲットである請求項１３５に記載された位置決めシステム。
【請求項１４１】
前記多ターゲット・位置決めマークの前記第１ターゲットが、前記加工物の材料の第１層内に構築され、前記多ターゲット・位置決めマークの前記第２ターゲットが、前記加工物の材料の第２層内に構築されている請求項１３５に記載された位置決めシステム。
【請求項１４２】
前記多ターゲット・位置決めマークの前記第１ターゲットが、純粋に周期的な格子と比較して、そこから回折した放射線の第１回折次数を強化する回折次数強化格子であり、前記多ターゲット・位置決めマークの前記第２ターゲットが、純粋に周期的な格子と比較して、そこから回折した放射線の第２回折次数を強化する回折次数強化格子であり、前記第１回折次数が、前記第２回折次数の整数値とは異なる整数値である請求項１３５に記載された位置決めシステム。
【請求項１４３】
前記検出システムが、さらに、第３検出器チャネルを有し、前記位置決定ユニットが、前記第１、第２および第３検出器チャネルからの情報を組み合わせて処理し、前記加工物上の前記位置決めマークの前記位置を決定しながら、校正および認定のうち少なくとも一方を実行するように構成されている請求項１１７に記載された位置決めシステム。
【請求項１４４】
リソグラフィ投影装置で、
照明放射線を提供するように構成された照明システムと、
前記照明放射線の経路に配置されるような構成である基板ステージ・アセンブリと、
前記照明システムと前記基板ステージ・アセンブリとの間で前記照明放射線の前記経路に配置されるレチクル・ステージ・アセンブリと、
前記レチクル・ステージ・アセンブリと前記基板ステージ・アセンブリとの間に配置された投影システムと、
前記基板ステージ・アセンブリおよび前記レチクル・ステージ・アセンブリの少なくとも一方の近傍に配置された位置決めシステムとを有し、
前記位置決めシステムが、
アライメント放射線源と、
第１検出器チャネルおよび第２検出器チャネルを含む検出システムと、
前記検出システムと連絡する位置決定ユニットとを有し、
前記位置決定ユニットが、前記第１および第２検出器チャネルからの情報を組み合わせて処理し、加工物のアライメント格子を決定するように構成されているリソグラフィ投影装置。
【請求項１４５】
前記第１検出器チャネルが第１非ゼロ回折次数チャネルであり、前記第２検出器チャネルが第２非ゼロ検出次数チャネルである、請求項１４４に記載されたリソグラフィ投影装置。
【請求項１４６】
前記位置決定ユニットが、前記第１および第２非ゼロ回折次数チャネルからの前記情報を、前記第１および第２非ゼロ回折次数チャネルからの第１および第２信号に、前記第２信号に対する前記第１信号の相対的強度に依存する係数で重み付けすることにより処理するように構成されている請求項１４５に記載されたリソグラフィ投影装置。
【請求項１４７】
前記第２信号に対する前記第１信号の強度が所定の閾値を超えた場合、前記第２非ゼロ回折次数チャネルの重み付け係数がゼロに設定される請求項１４６に記載されたリソグラフィ投影装置。
【請求項１４８】
前記位置決定ユニットが、前記第１および第２検出器チャネルからの情報を組み合わせて処理し、前記加工物のアライメント格子を第１精度で決定するように構成されている請求項１４４に記載されたリソグラフィ投影装置。
【請求項１４９】
前記位置決定ユニットが、第３および第４検出器チャネルからの情報を処理して、前記加工物の前記アライメント格子を、前記第１精度より精密な第２精度で決定するように構成されている請求項１４８に記載されたリソグラフィ投影装置。
【請求項１５０】
前記位置決定ユニットが、前記第１および第２検出器チャネルからの前記情報を、前記第１および第２検出器チャネルからの第１および第２信号に等しく重み付けすることにより処理するように構成されている請求項１４４に記載されたリソグラフィ投影装置。
【請求項１５１】
前記位置決定ユニットが、ｍｃｃ、ミニレプロ、信号対雑音比、信号形状、信号エンベロープ、焦点、勾配、次数チャネル位置オフセット、波長チャネル位置オフセット、セグメントと粗・微位置偏差間の変位で校正された測定可能量のセットから選択された少なくとも１つの測定可能な量に依存する係数で、前記第１および第２検出器チャネルからの第１および第２信号を重み付けすることにより、前記第１および第２検出器チャネルからの前記情報を処理するように構成され、
パラメータｍｃｃは、測定した信号がいかに、完璧な位置決めマークに予想される信号と似ているかを示す複数の相関係数であり、ミニレプロは、アライメント測定の異なる区間または部分の位置合わせした位置の標準偏差で、位置合わせした位置の正確さを示すアライメント測定の様々な区間または部分の位置合わせした位置の標準偏差であり、信号対雑音比は、適合した信号を、測定した信号のスペクトルにわたるノイズの相対的レベルで割った値で、通常は基本周波数の倍数であり、信号形状は、このスペクトルにおける、幾つかの別個周波数の相対レベルであり、信号エンベロープは、測定中の信号強度の分散であり、焦点は、測定中のウェーハ高さのオフセットであり、勾配は、測定中のウェーハ角度と検出器角度との間の角度であり、次数チャネル位置オフセットは、１つの波長の様々なチャネルの位置合わせした位置における測定値の差であり、波長チャネル位置オフセットは、様々な波長チャネルの位置合わせした位置の測定値の差であり、セグメント間変位は、複数のセグメント間した位置決めマークの様々なセグメントの位置合わせした位置の測定値差であり、粗・微位置偏差は、粗位相での位置決めマーク測定に基づいた予想位置に対する微位相での位置決めマークの位置の差である請求項１４４に記載されたリソグラフィ投影装置。
【請求項１５２】
前記位置決定ユニットが、前記第１および第２検出器チャネルからの前記組み合わせた情報を使用する予測方法により、前記位置決めマークの前記位置を決定するように構成されている請求項１４４に記載されたリソグラフィ投影装置。
【請求項１５３】
前記予測方法が、固定したデータ・セットに基づく静的予測である請求項１５２に記載されたリソグラフィ投影装置。
【請求項１５４】
前記予測方法が、前記加工物上の前記位置決めマークの前記位置の前記決定中に変更できる初期データ・セットに基づく、請求項１５２に記載されたリソグラフィ投影装置。
【請求項１５５】
前記固定したデータ・セットが、前記加工物への前記位置決めマークの位置の依存性を含む、請求項１５３に記載されたリソグラフィ投影装置。
【請求項１５６】
前記位置決定ユニットが、第２加工物上で決定されたアライメント格子からの情報を含むことにより、前記アライメント格子を決定するように構成されている請求項１４４に記載されたリソグラフィ投影装置。
【請求項１５７】
前記第１検出器チャネルが第１波長チャネルであり、前記第２検出器チャネルが第２波長チャネルである請求項１４４に記載されたリソグラフィ投影装置。
【請求項１５８】
前記アライメント放射線源が、第１波長で照明放射線を提供するレーザを有する請求項１４４に記載されたリソグラフィ投影装置。
【請求項１５９】
前記アライメント放射線源が、さらに、第２波長で照明放射線を提供する第２レーザを有する請求項１５８に記載されたリソグラフィ投影装置。
【請求項１６０】
前記アライメント放射線源が、複数の波長での照明放射線を提供するような構成である広帯域源を有する請求項１４４に記載されたリソグラフィ投影装置。
【請求項１６１】
前記検出システムが、第１検出信号を前記第１検出器チャネルに提供するように構成された第１検出器と、第２検出信号を前記第２検出器チャネルに提供するように構成されている第２検出器とを有する請求項１４４に記載されたリソグラフィ投影装置。
【請求項１６２】
前記検出システムが、多ターゲット・位置決めマークの第１ターゲット、および前記多ターゲット・位置決めマークの第２ターゲットを検出するように構成されている請求項１４４に記載されたリソグラフィ投影装置。
【請求項１６３】
前記多ターゲット・位置決めマークの前記第１ターゲットが、前記第１ターゲットの一部の上または下の構造のうち少なくとも１つを含む、請求項１６２に記載されたリソグラフィ投影装置。
【請求項１６４】
前記検出システムが、多ターゲット・位置決めマークの第１ターゲットを検出して前記第１検出信号を提供するように構成され、前記検出システムが、前記多ターゲット・位置決めマークの第２ターゲットを検出して前記第２検出信号を提供する構成されている請求項１６２に記載されたリソグラフィ投影装置。
【請求項１６５】
前記多ターゲット・位置決めマークの前記第１ターゲットが、前記加工物の前記製造プロセス中に所定の変化を遂げるように構成されているプロセス・ターゲットである請求項１６２に記載されたリソグラフィ投影装置。
【請求項１６６】
前記多ターゲット・位置決めマークの前記第２ターゲットが、前記加工物の前記製造プロセス中に、前記第１ターゲットより小さい変化を遂げて、前記第１ターゲットに強健なバックアップ・ターゲットを提供するように構成されている請求項１６５に記載されたリソグラフィ投影装置。
【請求項１６７】
前記多ターゲット・位置決めマークの前記第１ターゲットが、前記加工物の前記製造プロセス中に破壊されるように構成されている犠牲ターゲットである請求項１６２に記載されたリソグラフィ投影装置。
【請求項１６８】
前記多ターゲット・位置決めマークの前記第１ターゲットが、前記加工物の材料の第１層内に構築され、前記多ターゲット・位置決めマークの前記第２ターゲットが、前記加工物の材料の第２層内に構築されている請求項１６４に記載されたリソグラフィ投影装置。
【請求項１６９】
前記多ターゲット・位置決めマークの前記第１ターゲットが、純粋に周期的な格子と比較して、そこから回折した放射線の第１回折次数を強化する回折次数強化格子であり、前記多ターゲット・位置決めマークの前記第２ターゲットが、純粋に周期的な格子と比較して、そこから回折した放射線の第２回折次数を強化する回折次数強化格子であり、前記第１回折次数が、前記第２回折次数の整数値とは異なる整数値である請求項１６４に記載されたリソグラフィ投影装置。
【請求項１７０】
前記検出システムが、さらに、第３検出器チャネルを有し、前記位置決定ユニットが、前記第１、第２および第３検出器チャネルからの情報を組み合わせて処理し、前記加工物の前記アライメント格子を決定しながら、校正および認定のうち少なくとも一方を実行するように構成されている請求項１４４に記載されたリソグラフィ投影装置。
【請求項１７１】
マイクロデバイスを製造するため加工物を位置合わせする方法で、
前記加工物上に位置決めマークを形成することと、
前記位置決めシステムで前記位置決めマークを検出することと、
前記位置決めマークに応答して前記位置決めシステムから第１信号を受信することと、
前記位置決めマークに応答して前記位置決めシステムから第２信号を受信することと、
前記第１および第２信号からの情報に基づき、前記加工物のアライメント格子を決定することとを含む方法。
【請求項１７２】
前記位置決めマークが多ターゲット・位置決めマークであり、前記第１信号が、前記多ターゲット・位置決めマークの第１ターゲットに応答し、前記第２信号が、前記多ターゲット・位置決めマークの第２ターゲットに応答する請求項１７１に記載された加工物を位置合わせする方法。
【請求項１７３】
前記位置決めシステムが、前記第１信号を生成する第１検出器と、前記第２信号を生成する第２検出器とを有する請求項１７１に記載された加工物を位置合わせする方法。
【請求項１７４】
前記位置決めマークが多ターゲット・位置決めマークであり、前記第１信号が前記多ターゲット・位置決めマークの第１ターゲットに応答し、前記第２信号が、前記多ターゲット・位置決めマークの第２ターゲットに応答する請求項１７３に記載された加工物を位置合わせする方法。
【請求項１７５】
さらに、前記加工物を保持するような構成であるステージ・アセンブリ上の認識マークの位置を決定することと、前記認識マークに対する前記位置決めマークの前記位置を決定することとを含む、請求項１７１に記載された加工物を位置合わせする方法。
【請求項１７６】
前記多ターゲット・位置決めマークが、前記加工物のスクライブ線に沿って、隣接するマイクロデバイス領域間に形成される請求項１７１に記載された加工物を位置合わせする方法。
【請求項１７７】
前記第１ターゲットが第１回折格子であり、前記第２ターゲットが第２回折格子である請求項１７２に記載された加工物を位置合わせする方法。
【請求項１７８】
前記第１および第２回折格子が回折次数強化格子である請求項１７７に記載された加工物を位置合わせする方法。
【請求項１７９】
前記第１ターゲットが、前記第２ターゲットとは異なるパターンを有する請求項１７２に記載された加工物を位置合わせする方法。
【請求項１８０】
前記第１ターゲットが、前記マイクロデバイスの構造に基づいて構成された構造を有する請求項１７２に記載された加工物を位置合わせする方法。
【請求項１８１】
前記多ターゲット・位置決めマークを前記検出することが、アライメント放射線ビームで前記多ターゲット・位置決めマークを照明することを含む、請求項１７２に記載された加工物を位置合わせする方法。
【請求項１８２】
前記位置決めシステムの前記第１検出器から受信した前記第１信号が、前記アライメント放射線ビームが前記第１ターゲットを照明した後に、第１対の非ゼロ次数回折アライメント放射線ビームを検出することに対応し、
前記位置決めシステムの前記第２検出器から受信した前記第２信号が、前記アライメント放射線ビームが前記第２ターゲットを照明した後に、第２対の非ゼロ次数回折アライメント放射線ビームを検出することに対応し、前記第１および第２対の非ゼロ次数回折ビームが相互とは異なる次数である請求項１７３に記載された加工物を位置合わせする方法。
【請求項１８３】
前記位置決めマークの前記位置を前記決定することが、前記第１および第２信号に基づいて位置を予測することを含む請求項１７１に記載された加工物を位置合わせする方法。
【請求項１８４】
リソグラフィ装置の計測システムで、
アライメント放射線源と、
第１検出器チャネルおよび第２検出器チャネルを含む検出システムと、
前記検出システムに連絡する処理ユニットとを有し、
前記処理ユニットが、前記第１および第２検出器チャネルからの情報を組み合わせて処理し、加工物上の位置決めマークの検出に基づいて、焦点、エネルギ、露光量、線幅、コンタクト・ホール幅または微小寸法のうち少なくとも１つを決定するように構成された計測システム。
【請求項１８５】
前記第１検出器チャネルが第１非ゼロ検出次数チャネルであり、前記第２検出器チャネルが第２非ゼロ回折次数チャネルである請求項１８４に記載された計測システム。
【請求項１８６】
前記処理ユニットが、前記第１および第２非ゼロ回折次数チャネルからの第１および第２信号を、前記第２信号に対する前記第１信号の相対的強度に依存する係数で重み付けすることにより、前記第１および第２非ゼロ回折次数チャネルからの前記情報を処理するように構成された請求項１８５に記載された計測システム。
【請求項１８７】
前記第２信号に対する前記第１信号の強度が所定の閾値を超えた場合、前記第２非ゼロ回折次数チャネルの重み係数がゼロに設定される、請求項１８６に記載された計測システム。
【請求項１８８】
前記第１検出器チャネルが第１波長チャネルであり、前記第２検出器チャネルが第２波長チャネルである請求項１８４に記載された計測システム。
【請求項１８９】
前記アライメント放射線源が、第１波長で照明放射線を提供するレーザを有する請求項１８４に記載された計測システム。
【請求項１９０】
前記アライメント放射線源が、さらに、第２波長で照明放射線を提供する第２レーザを有する請求項１８９に記載された計測システム。
【請求項１９１】
前記アライメント放射線源が、複数の波長で照明放射線を提供するような構成である広帯域源を有する請求項１８４に記載された計測システム。
【請求項１９２】
前記検出システムが、前記第１検出器チャネルに第１検出信号を提供するように構成された第１検出器と、前記第２検出器チャネルに第２検出信号を提供するように構成された第２検出器とを有する請求項１８４に記載された計測システム。
【請求項１９３】
前記検出システムが、多ターゲット・位置決めマークの第１ターゲット、および前記多ターゲット・位置決めマークの第２ターゲットを検出するように構成されている請求項１８４に記載された計測システム。
【請求項１９４】
前記多ターゲット・位置決めマークの前記第１ターゲットが、前記第１ターゲットの一部の上または下にある構造の少なくとも１つを含む、請求項１９３に記載された計測システム。
【請求項１９５】
前記検出システムが、多ターゲット・位置決めマークの第１ターゲットを検出して、前記第１検出信号を提供するように構成され、前記検出システムが、前記多ターゲット・位置決めマークの第２ターゲットを検出して、前記第２検出信号を提供するように構成されている請求項１９３に記載された計測システム。
【請求項１９６】
前記多ターゲット・位置決めマークの前記第１ターゲットが、前記加工物の製造プロセス中に所定の変化を遂げるように構成されたプロセス・ターゲットである請求項１９３に記載された計測システム。
【請求項１９７】
前記多ターゲット・位置決めマークの前記第２ターゲットが、前記加工物の前記製造プロセス中に、前記第１ターゲットより小さい変化を遂げて、前記第１ターゲットに強健なバックアップ・ターゲットを提供するように構成されている、請求項１９６に記載された計測システム。
【請求項１９８】
前記多ターゲット・位置決めマークの前記第１ターゲットが、前記加工物の製造プロセス中に破壊されるように構成された犠牲ターゲットである請求項１９３に記載された計測システム。
【請求項１９９】
前記多ターゲット・位置決めマークの前記第１ターゲットが、前記加工物の材料の第１層内に構築され、前記多ターゲット・位置決めマークの前記第２ターゲットが、前記加工物の材料の第２層内に構成されている、請求項１９３に記載された計測システム。
【請求項２００】
前記多ターゲット・位置決めマークの前記第１ターゲットが、純粋に周期的な格子と比較して、そこから回折した放射線の第１回折次数を強化する回折次数強化格子であり、前記多ターゲット・位置決めマークの前記第２ターゲットが、純粋に周期的な格子と比較して、そこから回折した放射線の第２回折次数を強化する回折次数強化格子であり、前記第１回折次数が、前記第２回折次数の整数値とは異なる整数値である請求項１９３に記載された計測システム。
【請求項２０１】
前記検出システムが、さらに、第３検出器チャネルを有し、前記位置決定ユニットが、前記第１、第２および第３検出器チャネルからの情報を組み合わせて処理し、校正および認定のうち少なくとも一方を実行しながら、前記焦点、エネルギ、露光量、線幅、コンタクト・ホール幅または微小寸法のうち少なくとも１つを決定するように構成されている、請求項１８４に記載された計測システム。
【請求項２０２】
リソグラフィ装置で、
照明システムと、
前記照明システムからの照明放射線の放射線経路に配置された基板ステージ・アセンブリと、
前記照明放射線の前記放射線経路内で、前記照明システムと前記基板ステージ・アセンブリとの間に配置されたレチクル・ステージ・アセンブリと、
前記レチクル・ステージ・アセンブリと前記基板ステージ・アセンブリとの間に配置された投影システムと、
前記基板ステージ・アセンブリおよび前記レチクル・ステージ・アセンブリのうち少なくとも一方の近傍に配置された位置決めシステムとを有し、
前記位置決めシステムが、
アライメント放射線源と、
第１検出器チャネルおよび第２検出器チャネルを含む検出システムと、
前記検出システムに連絡する位置決定ユニットとを有し、
前記位置決定ユニットが、前記第１および第２検出器チャネルからの情報を組み合わせて処理し、加工物上の位置決めマークの位置を決定するように構成され、前記組合せが、前記加工物の製造プロセスを考慮に入れたものであるリソグラフィ装置。
【発明の詳細な説明】
【技術分野】
【０００１】
本発明はリソグラフィ投影装置の位置決めシステム、およびこのような位置決めシステムを有するリソグラフィ投影装置に係り、特にほぼ並列に検出される少なくとも２つの独立した信号を使用した位置決めマークの位置検出および／または多ターゲット・マークの位置検出を可能にする位置決めシステムに関するものである。
【背景技術】
【０００２】
リソグラフィ投影装置は、集積回路および／または他のマイクロデバイスを製造するための基本的構成要素である。このような装置の助けにより、異なるマスク・パターンを有する多くのマスクが、正確にアライメント（位置決め、または、位置合わせ）された位置で半導体ウェーハまたはＬＣＤパネルなどの基板上に連続的に画像形成される。基板は、互いに位置合わせされた連続画像間で所望の物理的および化学的変化を受けなければならない。基板は、マスク・パターンに曝露された後、装置から取り出され、所望のプロセス・ステップを経た後、基板は第２マスク・パターンの画像で露光するために置き換えられ、以下同様となるが、その間に第２マスク・パターンの画像およびその後のマスク・パターンが基板に対して正確に配置されることを保証しなければならない。そのため、リソグラフィ投影装置には光学位置決めシステムを設け、それで基板上の位置決めマークをマスク上の位置決めマークに対して位置合わせする。
【０００３】
リソグラフィ装置は、ＩＣの製造に使用するばかりでなく、１マイクロメートルのオーダー以下の細かい寸法を有する他の構造の製造にも使用することができる。その例には、集積つまり完全な光学系または磁気ドメイン・メモリの案内および検出パターン、超微細電気機械システム（ＭＥＭＳ）の構造、および液晶表示パネルの構造がある。これらの構造の製造では、マスク・パターンの画像も基板に対して非常に正確に位置合わせしなければならない。
【０００４】
リソグラフィ投影装置は、ステップ式装置または走査ステップ式装置でよい。ステップ式装置では、マスク・パターンを１ショットで基板のＩＣ領域に画像形成する。その後、その後のＩＣ領域がマスク・パターンおよび投影レンズ・システムの下に位置し、マスク・パターンがその後のＩＣ領域に画像形成されるような方法で、マスクに対して移動する。このプロセスを、基板の全てのＩＣ領域にマスク・パターン像を設けるまで繰り返す。走査ステップ式装置では、上述したステップ式手順にも従うが、マスク・パターンは１ショットで画像形成されず、走査動作を介して画像形成される。マスク・パターンの画像形成中に、投影システムの倍率を考慮に入れながら、基板を投影システムおよび投影ビームに対してマスクと同期して移動させる。マスク・パターンの連続的に露光した部分の一連の並置部分像が、ＩＣ領域に画像形成される。マスク・パターンをＩＣ領域に完全に画像形成した後、その後のＩＣ領域で１ステップ実行する。可能な走査手順が雑誌「Semiconductors International」１９８６年５月号１３７〜１４２ページのD. A. Markleによる記事「Sub-micron 1:1 Optical Lithography」に記載されている。
【０００５】
米国特許第５２４３１９５号が、位置決めシステムを設け、ＩＣの製造を意図した光学リソグラフィ投影装置を開示している。この位置決めシステムは、基板の位置決めマークをこのアライメント・ユニットに対して位置合わせするため、オフアクシス・アライメント・ユニットを備える。また、この位置決めシステムは、投影レンズ（ＴＴＬ）を介して基板のマークをマスクのマークと位置合わせする第２アライメント・ユニットを備える。投影レンズを介したアライメント（オンアクシス・アライメント）は、現世代の光学リソグラフィ投影装置多くに頻繁に使用され、基板およびマスクを相互に対して直接位置合わせできるという利点を提供する。オフアクシス・アライメント法を使用する場合は、米国特許第５２４３１９５号に記載されたようなベースラインのオフセットを考慮に入れなければならない。しかし、ＩＣ上のコンポーネントのサイズが縮小し続け、複雑さが増しているので、オンアクシス・位置決めシステムは、必要な精度および正確さを達成するのに十分なほど改良するのが困難であることが判明した。
【０００６】
基板の表面積当たりの電子コンポーネント数の増加と、それに伴うそれらコンポーネントのサイズ縮小に関連して、集積回路を作成する際の正確さに対する要件がますます厳格になっている。したがって、連続するマスクを基板に画像形成する位置を、ますます正確に固定しなければならない、線幅が小さくなった新世代ＩＣの製造では、アライメント精度を向上させなければならない。つまり、より小さい偏差を検出できなければならず、したがって位置決めシステムの解像力を向上させなければならない。他方で、線幅が減少した場合に、投影レンズ・システムの必要な開口数（ＮＡ）が増加するので、基板の平坦さに対する要件も、さらに厳密になる。ＮＡが増加するにつれ、このシステムの焦点深度が減少する。投影レンズ・システムの所望の比較的大きい画面サイズで、多少の画面サイズの湾曲が発生するので、基板の凹凸にはほとんど余地が残っていない。所望の基板の平坦さを獲得するため、投影装置内で異なるマスク・パターンに連続して２回曝露する間に入れる化学機械研磨（ＣＭＰ）プロセスによって、基板を研磨するよう提案されている。しかし、この研磨プロセスは、オンアクシス・アライメント法の正確さに影響を及ぼす。この方法では、格子を基板の位置決めマークとして使用し、この格子によって１次で回折するサブビームを、レチクル・マークに基板のマークを画像形成するために使用する。このプロセスでは、基板の格子マークの充填がレチクルの位置決めマークの充填に対して位置合わせされていると、基板がレチクルに対して正確に位置合わせされていると仮定する。その場合、各格子マークの充填は、格子の幾何学的中心と一致すると仮定されている。しかし、ＣＭＰプロセスにより基板の格子マークが非対称になり、したがってこのアライメント方法はもはや信頼できない。また、様々な処理ステップが、基板の格子マークの溝の有効深さに非対称性および変化を導入するなど、位置決めマークの変化をもたらす。他の処理ステップおよび／または方法も、往々にして異なるタイプの誤差を導入する。例えば、Ｃｕダマシン・プロセスは、ＩＣ表面へのランダム分布にアライメント誤差を持ち込む傾向がある。リソグラフィ技術で構築する構造のサイズが縮小し、複雑さが上がるにつれ、アライメントの正確さを改善しようという要求が常にある。アライメントの正確さが改善されないと、解像力の改善を利用することができない。また、マイクロデバイスがさらに複雑になっているので、アライメント誤差のために製造プロセス中に廃棄しなければならない基板の数を制御し、最少にするための技術に対する要求が上がっている。
【発明の開示】
【発明が解決しようとする課題】
【０００７】
したがって、アライメントの正確さおよび／または強健性が改善されたリソグラフィ投影装置の位置決めシステムを提供することが、本発明の目的である。
【課題を解決するための手段】
【０００８】
本発明の前記目的およびその他の目的を達成するために、リソグラフィ装置の位置決めシステムに、アライメント放射線源と、第１検出器チャネルおよび第２検出器チャネルを備える検出システムと、前記検出システムと連絡する位置決定ユニットとを設ける。位置決定ユニットは、第１および第２検出器チャネルからの情報を組み合わせて処理し、組み合わせた情報に基づいて、第２物体上の基準位置に対する第１物体上の位置決めマークの位置を決定する。
【０００９】
本発明の別の形態によると、リソグラフィ投影装置は、照明放射線源と、照明放射線源の放射線経路に配置された基板ステージ・アセンブリと、照明放射線源の放射線経路に、ソースと基板ステージ・アセンブリとの間に配置されたレチクル・ステージ・アセンブリと、レチクル・ステージ・アセンブリと基板ステージ・アセンブリとの間に配置された投影システムと、投影システムに隣接して配置され、基板ステージ・アセンブリの近傍にあるオフアキシャル・位置決めシステムとを有する。オフアキシャル・位置決めシステムは、アライメント放射線源と、第１検出器チャネルおよび第２検出器チャネルを備える検出システムと、検出システムと連絡する位置決定ユニットとを有する。位置決定ユニットは、第１および第２検出器チャネルからの情報を組み合わせて処理し、組み合わせた情報に基づいて、第２物体上の基準位置に対する第１物体上の位置決めマークの位置を決定する。位置決めシステムは、照明放射線の前記放射線経路から離して配置してもよい。必要なことは、位置決めシステムからのアライメント放射園が基板ステージ・アセンブリに到達できることである。
【００１０】
本発明の別の形態によると、マイクロデバイスの製造で加工物を位置合わせする方法は、加工物上に多ターゲット・位置決めマークを形成することと、複数の検出器を有する位置決めシステムで多ターゲット・位置決めマークを走査することとを含み、多ターゲット・位置決めマークの第１ターゲットは、位置決めシステムの複数検出器のうち第１検出器で検出されるような構成であり、多ターゲット・位置決めマークの第２ターゲットは、位置決めシステムの複数検出器のうち第２検出器から検出されるような構成であり、さらに多ターゲット・位置決めマークの第１ターゲットに応答して、位置決めシステムの第１検出器から第１信号を受信することと、多ターゲット・位置決めマークの第２ターゲットに応答して、位置決めシステムの第２検出器から第２信号を受信することと、第１および第２信号からの情報に基づき、所定の基準位置に対する加工物上の位置決めマークの位置を決定することとを含む。
【００１１】
本発明の別の形態によると、測定領域内でマイクロデバイスを製造するために加工物上の位置決めマークを捕捉する方法は、加工物上に多格子位置決めマークを形成することと、複数の検出器を有する位置決めシステムで多格子位置決めマークを走査することと、多格子位置決めマークから第１および第２格子を選択することと、複数の検出器のうち第１検出器からの多格子位置決めマークの第１格子からのほぼ周期的な第１信号を、複数の検出器のうち第２検出器からの多格子位置決めマークの第２格子からのほぼ周期的な第２信号と比較することと、比較に基づいて捕捉範囲を決定することとを含む。第１格子は、第１次より大きい次数を強化する回折次数強化格子でよく、第２格子は、第１次より大きい次数を強化する回折次数強化格子でよい。
【００１２】
本発明の別の形態によると、マイクロデバイスの製造に使用する位置決めマークは、第１検出パターンを有する第１ターゲットと、第２検出パターンを有する第２ターゲットとを有する。第１ターゲットは、第１検出器で検出されるような構成であり、第２ターゲットは、第２検出器で検出されるようなこうせいである。
【００１３】
本発明の別の形態によると、マイクロデバイスの製造に使用する回折次数強化位置決めマークは、周期的パターンおよびサブパターンを有する回折格子パターンを有する。回折次数強化格子は、非ゼロ次数の回折されたビームの強度を強化する。
【００１４】
本発明の別の形態によると、マイクロデバイスの製造に使用する位置決めマークは、検出パターンおよび処理パターンを有するターゲットを有する。処理パターンは、製造中に前記マイクロデバイスの変化に対応してマイクロデバイス処理中に変化する構造を有する。
【発明を実施するための最良の形態】
【００１５】
次に、本発明による方法および装置を、例示により特定の実施例について説明する。広い意味での本発明思想は、特に説明されているこれらの実施形態にのみ制限されるものではない。本発明を、基板（加工物）に対するマスクの最終的なアライメントを得るため、組み合わせて使用することができるオンアクシス（軸線上：オンアキシャルとも言う）およびオフアクシス（非軸線上：オフアキシャルとも言う）の位置決めシステム両方を含むフォトリソグラフィ・システムの位置決めシステムに関して説明する。アキシャル位置決めシステムは、レンズ通し（ＴＴＬ）またはレチクル通し（ＴＴＲ）システムなど、位置決めマークを照明する独立した放射線源を有するか、露光放射線と同じ放射線を使用することができる。以下の例では、本発明例として、ＴＴＬシステムをオフアキシャル・システム（ＯＡＳ）との関連で説明する。さらに、本発明は、回折投影システムを有するフォトリソグラフィ・システム、さらに現在使用されているより短い波長の電磁放射線を使用する他のタイプのリソグラフィ・システム、屈折および／または回折撮像光学系を使用するシステムおよび／または磁気、電磁気および／または静電気撮像光学系で画像形成する電子線などの荷電粒子ビームのような他のタイプの放射線を使用するシステムへの適用も構想する。本発明の実施例は、リソグラフィ・システムの位置決めシステムを、さらに処理する前にフォトレジストの露光の正確さを測定するために使用する計測ツールなどの自動プロセス制御（ＡＰＣ）システムの他のコンポーネントに統合することも構想する。
【００１６】
次に、オンアクシス・アライメント・ユニットおよび他の測定システムを有する光学リソグラフィ投影装置を、本発明の実施例に組み込むことができるシステムの例として説明する。
【００１７】
図１は、マスク・パターンを基板上に走査ステップ式に画像形成するような装置の実施例の光学素子を概略的に示す。この装置は、その主コンポーネントとして、投影システムＰＬを組み込んだ投影カラムを備える。このシステムの上には、画像形成すべきマスク・パターンＣを設けたマスクＭＡのマスク・ホルダＭＨを配置する。マスク・ホルダはマスク・ステージＭＴの部分である。基板ステージＷＴを投影レンズ・システムＰＬの下に配置する。このテーブルは、感光性を設けた基板Ｗの基板ホルダＷＨを備える。マスク・パターンＣは、感光層に何回も画像形成しなければならず、回ごとに領域、つまりＩＣ領域Ｗdが異なる。基板テーブルは、ＸおよびＹ方向に移動可能であり、したがって第１ＩＣ領域でマスク・パターンを画像形成した後、その後のＩＣ領域をマスク・パターンの下に配置することができる。
【００１８】
装置は、さらに、例えばクリプトン・フッ素エキシマ・レーザまたは水銀灯などの放射線源ＬＡ、レンズ・システムＬＳ、ミラーＲＥおよび集光レンズＣＯを設けた照明システムを備える。照明システムによって供給された投影ビームＰＢがマスク・パターンＣを照明する。このパターンは、基板ＷのＩＣ領域上の投影レンズ・システムＰＬによって画像形成される。投影レンズ・システムは、例えば倍率Ｍ＝１／４、開口数ＮＡ＝０．６、および直径２２ｍｍの回折で制限された画面サイズを有する。
【００１９】
装置には、さらに幾つかの測定システム、つまりＸＹ面でマスクＭＡおよび基板Ｗを相互に対して位置合わせするシステム、基板ホルダの、したがって基板の位置および方位を決定する干渉計システム、および投影レンズ・システムＰＬの焦点面または画像面と基板Ｗの表面との間の差を決定する焦点誤差検出システムを設ける。これらの測定システムは、電子信号処理および制御回路およびドライバ、つまり測定システムによって供給された信号に対して、基板および焦点の位置および方位を補正できるアクチュエータを備えるサーボ・システムの部分である。
【００２０】
位置決めシステムは、図１の右上部分に示すマスクＭＡの２つの位置決めマークＭ1およびＭ2を使用する。図２で示すように、これらのマークは回折格子でよいが、代替的に周囲から光学的に識別される正方形または星形などの他のマークでよい。位置決めマークは２次元でよい。つまり、図１のＸおよびＹ方向である２つの相互に直角の方向に延在するか、またはＸおよびＹ方向の両方に延在する他のマークと組み合わせて使用してもよい。基板Ｗ、例えば半導体基板は、少なくとも２つの位置決めマークを有し、これは２次元回折格子でよく、そのうち２つＰ1およびＰ2を図１に示す。マークＰ1およびＰ2は、基板ＷのＩＣ領域の外側に位置する。格子マークＰ1およびＰ2は、位相格子として実現することが好ましく、格子マークＭ1およびＭ2は、増幅格子として実現することが好ましい。隣接する回路間のスクライブ線に沿って、他のタイプの位置決めマークを設けてもよい。
【００２１】
図１は、オンアクシス・アライメント・ユニットの特殊な実施例、つまりそれぞれ基板の位置決めマークＰ2をマスクの位置決めマークＭ2上に位置合わせし、基板の位置決めマークＰ1をマスクの位置決めマークＭ1に位置合わせするのに、２本のアライメント・ビームｂおよびｂ’を使用する二重アライメント・ユニットを示す。ビームｂは、ミラーなどの反射エレメント３０で反射してプリズム２６の反射表面２７に向かう。表面２７はビームｂを基板の位置決めマークＰ2へと反射し、これは放射線の一部をビームｂ2として関連するマスク・マークＭへと送り、ここにマークＰ2の像が形成される。マークＭ2の上には、マークＭ2が渡した放射線を放射線感受性検出器１３へと配向するプリズムなどの反射エレメント１１が配置される。
【００２２】
第２アライメント・ビームｂ’は、ミラー３１で反射して、投影レンズ・システムＰＬの反射器２９に向かう。この反射器は、ビームｂ’をプリズム２６の第２反射表面２８に送り、この表面がビームｂ’を基板の位置決めマークＰ1へと配向する。このマークは、ビームｂ’の放射線の一部をビームｂ’1としてマスクの位置決めマークＭ1へと反射し、ここにマークＰ1の像が形成される。マークＭ1を通過するビームｂ’1の放射線は、反射器１１’によって放射線感受性検出器１３’へと配向される。
【００２３】
図２は、２つの等しい基板マークのうち一方を、位相格子の形態で拡大して示す。このような格子は、４つの部分格子Ｐ1,a、Ｐ1,b、Ｐ1,cおよびＰ1,dで構成することができ、そのうち２つＰ1,bおよびＰ1,dがＸ方向のアライメントに貢献し、他の２つＰ1,aおよびＰ1,cがＹ方向のアライメントに貢献する。２つの部分格子Ｐ1,bおよびＰ1,cは、例えば１６μｍなどの格子周期を有し、部分格子Ｐ1,aおよびＰ1,dは例えば１７．６μｍなどの格子周期を有する。各部分格子は、例えば２００×２００μｍなどの寸法を有してよい。原則的に０．１μｍより小さいアライメントの正確さは、この格子マークおよび適切な光学系で達成することができる。異なる格子周期を選択することで、アライメント・ユニットの捕捉範囲を拡大することができる。この範囲は、例えば４０μｍである。
【００２４】
図３は、わずかに変形したアライメント・ユニットの光学素子を、さらに詳細に示す。二重アライメント・ユニットは、２つの別個で等しい位置決めシステムＡＳ1およびＡＳ2を備え、これは投影レンズ・システムＰＬの光学軸ＡＡ’に対して対称に配置される。位置決めシステムＡＳ1はマスク・位置決めマークＭ2を伴い、位置決めシステムＡＳ2はマスク・位置決めマークＭ1を伴う。２つの位置決めシステムの対応する要素は、同じ参照番号で示され、システムＡＳ2のそれは、システムＡＳ1のそれと区別するようダッシュを付ける。
【００２５】
次にシステムＡＳ1の構造、さらにマスク・マークＭ2と例えば基板マークＰ2との相互位置をこのシステムで決定する方法について説明する。
【００２６】
位置決めシステムＡＳ1は、放射線源１、例えばアライメント・ビームｂを放射するヘリウム・ネオン・レーザを備える。このビームはビーム・スプリッタ２によって基板Ｗへと反射する。ビーム・スプリッタは、半透明ミラーまたは半透明プリズムで構成してよいが、λ／４プレート３の前にある偏光感受性分割プリズム２で構成することが好ましく、ここでλはビームｂの波長である。投影レンズ・システムＰＬは、基板Ｗ上の約１ｍｍの直径を有する小さい放射線スポットＢにビームｂを集束する。この基板はビームの一部をビームｂ1としてマスクＭＡに反射する。ビームｂ1は投影レンズ・システムＰＬを横断し、このシステムは放射線スポットＶをマスクに画像形成する。基板を投影装置内に配置する前に、放射線スポットＶが基板のマークＰ2上に位置するよう、装置に結合されたアライメント前ステーション、例えば欧州特許出願第０１６４１６５号に記載されたステーション内で事前にアライメントする。次に、このマークをビームｂ1でマスク・マークＭ2に画像形成する。投影レンズ・システムの倍率Ｍを考慮に入れて、２つのマークを相互に正確に配置すると、マークＰ2の像がマークＭ2に正確に一致するよう、マスク・マークＭ2の寸法を基板マークＰ2の寸法に適応させる。
【００２７】
基板Ｗとの間の経路で、ビームｂおよびｂ1はλ／４プレート４を２回横断し、その光学軸は、光源１から来る直線偏光ビームｂの偏光方向に対して４５°の角度にある。これで、λ／４を通過したビームｂ1は、ビームｂに対して９０°回転した偏光方向を有し、したがってビームｂ1は偏光分割プリズムを通過する。偏光分割プリズムをλ／４プレートと組み合わせて使用すると、アライメント・ビームを位置決めシステムの放射線経路に結合する場合に、放射線損が最小になるという利点が与えられる。
【００２８】
位置決めマークＭ2を通過するビームｂ1は、プリズム１１で反射し、例えばさらなる反射プリズム１２によって放射線感受性検出器１３へと配向される。この検出器は、例えば、図２に示す部分格子の数と一致する４つの独立した放射線感受性領域などを有する複合フォトダイオードである。検出器領域の出力信号は、マークＭ2と基板マークＰ2の像との一致の尺度である。これらの信号は電気的に処理し、マークＰの像がマークＭと一致するよう、駆動システム（図示せず）によってマスクと基板とを相互に移動させるために使用することができる。このように、自動位置決めシステムが獲得される。
【００２９】
例えばビームｂ1の一部分をビームｂ2として分割する部分的に透明なプリズムなどの形態のビーム・スプリッタ１４を、プリズム１１と検出器１３の間に配置することができる。分割されたビームは、例えば２枚のレンズ１５および１６などを介して、投影装置のオペレータに位置決めマークＰ2およびＭ2が見えるモニタ（図示せず）に結合されたテレビ・カメラ１７へと入射する。これで、このオペレータは、２つのマークが一致するか確認し、マークが一致するようマニピュレータによって基板Ｗを移動させることができる。
【００３０】
マークＭ2とＰ2に関して以上で説明したのと同様に、マークＭ1とＰ2およびマークＭ1とＰ1は、相互に対して位置合わせすることができる。最後に述べた２つの位置合わせに、位置決めシステムＡＳ2を使用する。
【００３１】
二重アライメント・ユニットの構造およびアライメント手順に関するさらなる詳細は、米国特許第４７７８２７５号を参照し、これは参照により本明細書に組み込まれる。
【００３２】
図１に示すオンアクシス・アライメント・ユニットの実施例は、例えば２４８ｎｍなどの短い波長を有する投影ビームＰＢ、および例えば６３３ｎｍなどの非常に長い波長を有するアライメント・ビームを使用する装置には、特に適している。
【００３３】
投影レンズ・システムは、投影ビームＰＢの波長に合わせて設計されているので、このシステムＰＬを、アライメント・ビームによって位置決めマークＰ1、Ｐ2およびＭ1およびＭ2を相互に画像形成するために使用すると、差が生じる。例えば、基板位置決めマークは、マスク・位置決めマークが位置するマスク・パターンの面にはなく、そこから所定距離に画像形成され、この距離は、投影ビームとアライメント・ビームの波長の差、および２つの波長の投影レンズ・エレメントの材料の屈折率の差によって決定される。投影ビームが、例えば２４８ｎｍの波長を有し、アライメント・ビームが６３３ｎｍの波長を有する場合、この距離は２ｍｍでよい。さらに、前記波長差のため、基板位置決めマークは、所望の倍率とは異なり、しかも波長の差とともに増大する倍率で、マスク・位置決めマークに画像形成される。
【００３４】
前記差を補正するため、投影レンズ・システムＰＬは、追加のレンズ、つまり補正レンズ２５を組み込む。補正レンズは、一方で、アライメント・ビームの異なる回折次数のサブビームで、基板位置決めマークから発し、それによって生成されるサブビームが、補正レンズの面にて、これらのサブビームに別個に影響を及ぼせるほど十分に分離され、他方では、この補正レンズが、投影ビームおよびそれで形成されるマスク・パターン像に些細な影響しか与えないような高さで、投影レンズ内に配置される。補正レンズは、投影レンズ・システムのフーリエ面に配置することが好ましい。図３に示すように、アライメント・ビームｂおよびｂ’の主光線が相互に交差する面に補正レンズ２５が位置する場合、このレンズを、両方のアライメント・ビームの補正に使用することができる。
【００３５】
所望に応じて、回折エレメントなどのウェッジ（くさび）または異なる偏向エレメントを、位置決めマークの近位側でアライメント・ビームの経路に配置することができる。このような偏向エレメント（図３には図示せず）があると、検出器１３または１３’が受ける選択アライメント・ビーム部分内の意図しない位相差によって生じるアライメント誤差を防止することができ、この位相差は、基板の位置決めマークから来るアライメント・ビーム部分の対称軸がマスク・プレートに直角でない場合に生じ、したがってこのプレート内に疑似反射が生じることがある。このような偏向エレメントを設けたアライメント・ユニットが、欧州特許出願第０４６７４４５号に記載されている。
【００３６】
グローバル・アライメントと呼ばれるマスクに対する基板全体の位置合わせに使用し、図１に図示されたグローバル・位置決めマークＰ1およびＰ2に加えて、基板には、各ＩＣ領域をマスク・パターンに対して別個に位置合わせするよう、ＩＣ領域ごとにさらなる位置決めマークを設けてもよい。マークは、例えばＺ軸を中心とするマスクの回転を補正できるよう、このような回転を測定するため、さらなる位置決めマークを使用できる３つ以上の位置決めマークも備えることができる。
【００３７】
投影装置は、さらに、投影レンズ・システムＰＬの焦点面と基板Ｗの表面との偏差を決定する焦点誤差検出システムも備え、したがってこの偏差は、例えばその軸線、つまりＺ軸に沿って投影レンズ・システムを移動させることにより、補正することができる。このシステムは、投影レンズ・システムに固定接続されたホルダ（図示せず）内に配置されたエレメント４０、４１、４２、４３、４４、４５および４６によって構成することができる。参照番号４０は、集束ビームｂ2を発する放射線源、例えばダイオード・レーザを指す。このビームは、反射プリズム４２によって基板上に小さい角度で配向される。基板で反射したビームは、プリズム４３によって逆反射器４４に配向される。エレメント４４は自身内にビームを反射し、したがってビーム（ｂ3’）は再びプリズム４３、基板Ｗおよびプリズム４２での反射を介して同じ経路を移動する。
【００３８】
ビームｂ3’は、部分的に反射するエレメント４１および反射エレメント４５を介して放射線感受性検出システム４６に到達する。この検出システムは、例えば位置依存検出器、または２つの独立した検出器で構成される。このシステム上にビームｂ3’によって形成される放射線スポットの位置は、投影レンズ・システムの焦点面が基板Ｗの面と一致する程度によって決定される。焦点誤差検出システムの包括的な説明については、米国特許第４３５６３９２号を参照されたい。
【００３９】
基板ホルダのＸおよびＹ位置を正確に決定するため、ステップ式投影装置に、多軸干渉計システムを設ける。米国特許第４２５１１６０号は、２本の測定軸があるシステムについて記載し、米国特許第４７３７２８３号は、３本の測定軸があるシステムについて記載している。図１では、このような干渉計システムが、エレメント５０、５１、５２および５３によって線図で図示され、測定軸は１本のみ、つまりＸ軸が図示されている。レーザの形態で放射線源５０が発するビームｂ4は、ビーム・スプリッタ５１によって分割されて測定ビームｂ4,mおよび基準ビームｂ4,rになる。測定ビームは基板ホルダＷＨの反射側面５４に到達し、反射した測定ビームはビーム・スプリッタ５１によって、コーナー・キューブなどの静止逆反射器が反射した基準ビームと組み合わされる。組み合わされたビームの強度は、検出器５３で測定され、基板ホルダＷＨの変位、この場合はＸ方向の変位は、この検出器の出力信号から導出することができ、このホルダの瞬間位置も決定することができる。
【００４０】
図１の線図で示すように、単純にするため１つの信号Ｓ53で表された干渉計信号、および二重アライメント・ユニットの信号Ｓ13およびＳ’13を、マイクロコンピュータなどの信号処理ユニットＳＰＵに与え、これは前記信号を処理して、アクチュエータＡＣのための信号ＳACを制御し、これによって基板ホルダをＸＹ面で基板テーブルＷＴを介して移動させる。
【００４１】
図１に示すＸ測定軸ばかりでなくＹ測定軸、場合によっては第３測定軸も有する干渉計システムがあると、マスクおよび基板の相互に対する初期アライメント、つまりグローバル・アライメント中に、位置決めマークＰ1、Ｐ2およびＭ1、Ｍ2の位置、およびその間の相互距離を、静止干渉計システムによって画定された座標系内で固定することができる。この干渉計システムは、基板テーブルを非常に正確に移動するためにも使用され、これは第１ＩＣ領域から第２ＩＣ領域へと非常に正確にステップできるよう、ステップ式投影装置にとって必要である。
【００４２】
図１に示すように、投影装置が、ＩＣ領域内でマスク・パターンを投影する間にマスクと基板とを同時に移動しなければならない走査ステップ式装置である場合、マスクも一方向、つまり走査方向に移動しなければならない。投影レンズ・システムの倍率Ｍを考慮に入れると、この移動は、基板の対応する移動と同期しなければならない。次に、マスクおよび基板は、投影中は相互に対して静止し、両方とも投影レンズ・システムおよび投影ビームに対しては移動しなければならない。マスクの移動を測定するため、装置には第２干渉計システムを設ける。この干渉計システムは、エレメント５０、５１、５２、５３および５４と同様の機能を有するエレメント６０、６１、６２、６３および６４を備える。単純にするため図１では信号Ｓ63で表されたマスク干渉研システムからの信号を、信号処理ユニットＳＰＵに与え、ここでこの信号を基板干渉計システムからの対応する信号と比較する。これで、マスクおよび基板が相互に正確な位置を有したり、同期して移動したりしているか確認することができる。
【００４３】
マスクのＸおよびＹ方向の位置をＸr、Ｙrで、基板のそれをＸw、Ｙwで、Ｚ軸を中心とする回転をφr,rおよびφz,wで表すと、マスクおよび基板が相互に対して正確に配置された場合、以下の状態を満足する。
【００４４】
【数１】
2008034878.tif 000003
【００４５】
【数２】
2008034878.tif 000004
【００４６】
【数３】
2008034878.tif 000005
【００４７】
ここで、Ｍは投影レンズ・システムの倍率である。マスクおよび基板が反対方向に移動すると仮定している。これらのエレメントが同じ方向に移動する場合は、上記の状態でＭの前にあるマイナス記号をプラス記号で置換しなければならない。
【００４８】
これらの条件を満たしたか確認するには、基板の干渉計システムとマスクの干渉計システムとの両方が３つの測定軸を有することで十分である。
【００４９】
しかし、基板干渉計システムは、５つの測定軸を有することが好ましい。次に、Ｘw、Ｙwおよびφz,wばかりでなく、φx,wおよびφy,,w、つまりＸ軸およびＹ軸を中心とした傾斜も計算することができる。
【００５０】
このようなマスクの傾斜を測定できるようにするには、５軸マスク干渉計システムを使用するか、Ｘr、Ｙrおよびφz,rを求める３軸干渉計システムと、φx,rおよびφy,r測定用容量センサなどの他のセンサとの組合せを使用することができる。
【００５１】
Ｘw、Ｙw、φx,w'およびφy,,wおよびＸr、Ｙr、φz,r、φx,r、φy,rを、焦点誤差検出システムＺwおよびＺr、つまり基板およびマスクのＺ軸に沿った位置の助けを借りて測定することができれば、条件（１）、（２）および（３）ばかりでなく、以下の条件も満たすか確認することができる。
【００５２】
【数４】
2008034878.tif 000006
【００５３】
【数５】
2008034878.tif 000007
【００５４】
【数６】
2008034878.tif 000008
【００５５】
マスクの位置決めマークと基板の位置決めマークを相互に対して相互位置合わせする図３に関して説明したオンアクシス・アライメント・ユニットは、所与の最小値までの線幅を有する像を形成するステップ式投影装置と走査ステップ式投影装置との両方に非常に適していることが判明した。しかし、ＩＣ製造に新規技術を使用し、像の線幅が縮小すると、既知のアライメント・ユニットの正確さおよび信頼性に関する限り、問題が生じる。線幅を縮小した場合、アライメントの正確さを向上させなければならない。前記ＣＭＰプロセスを使用すると、基板格子マークに非対称性が持ち込まれ、したがって１次サブビームを使用するアライメント手順が信頼できなくなる。さらに、１つの波長を有するアライメント・ビームを使用する場合、位置決めマークの格子溝の深さに厳密な要件を設けなければならず、その要件を満たすには、困難さが増してしまう。
【００５６】
これらの問題は全て、基板マークの位置合わせにオフアクシス・アライメント・ユニットを使用し、より高次のサブビーム、つまり位置合わせに２以上の回折次数を有するサブビームを使用することにより解決することができる。基板マークのアライメントの実行にもはや投影レンズ・システムが関与しないので、さらにサブビームを、特により高次のサブビームを使用する自由度が高くなる。アライメント・ユニットの解像力はサブビームの次数の増加とともに向上するので、アライメントの正確さを大幅に向上させることができる。特に、より高次のサブビームは基板の格子マークの縁によって決定され、格子の中心と比較して、これらの縁は格子の対称に影響する前記ＣＭＰプロセスおよび他の措置からの影響が少ないので、格子マークの非対象に関する問題が、ほとんど解消される。さらに、格子溝の深さに課された要件が大幅に緩和できるよう、複数の波長を有するアライメント放射線を使用することも可能である。
【００５７】
以下で解明されるように、回折次数は、電子的手段および／または関連するソフトウェアによってではなく、本発明によるアライメント・ユニットの光学素子によって、相互から分離される。その結果、信号の振幅を測定する必要はないが、この種の技術ではより伝統的な位相測定を使用することができる。
【００５８】
図４は、オフアクシス・位置決めシステムを有するリソグラフィ・システムの略図である。オフアクシス・位置決めシステムは、２つの異なる波長で位置決めマークを照明する２つの放射線源７０、例えば赤いレーザおよび緑のレーザを有する。両方のレーザは、位置決めマークを同時に照明し、反射光は別個の検出器チャネル（例えば赤いチャネルおよび緑のチャネル）に配向される。したがって、２つの波長チャネルそれぞれの信号が並列で獲得される。また、２つの波長それぞれで、幾つかの回折次数を別個に検出することができ、したがって信号を並列に出力する複数の色／次数チャネルが提供される。位置決定ユニットＰＤＵは、検出システムの複数の色／次数チャネルと連絡する。位置決定ユニットＰＤＵは、特定の機能を実行する固定配線専用装置であるか、所望の機能を実行するようプログラムされたプログラム可能なコンピュータを含むことができる。また、図１に示したＳＰＵとは別個のユニットか、ソフトウェアを通してＳＰＵに実装することができる。位置決定ユニットＤＰＵは、色／次数チャネルのうち少なくとも２つからの信号を処理し、検出中の位置決めマークの位置を決定する。
【００５９】
図５は、本発明の実施例によるオフアクシス・アライメント・ユニットの略図である。本明細書で説明する位置決めシステムの多くの構造的特徴は、米国特許第６２９７８７６号に記載されたものと同様、または同じであり、その全内容は参照により本明細書に組み込まれる。格子の形態の基板マークを、Ｐ1で示す。この格子に入射する波長λを有する平行アライメント・ビームｂは、格子に直角に異なる角度αn（図示せず）で延在する幾つかのサブビームに分割され、その角度は既知の格子数式で定義される。
【００６０】
【数７】
2008034878.tif 000009
【００６１】
ここで、Ｎは、回折次数、Ｐは格子周期である。
【００６２】
格子で反射したサブビームの経路は、レンズ・システムＬ1を組み込み、これはサブビームの様々な方向を、そのサブビームの面７３における様々な位置ｕnに変換する。
【００６３】
【数８】
2008034878.tif 000010
【００６４】
この面に、様々なサブビームをさらに分離する手段を設ける。そのため、この面にプレートを配置することができ、それに例えばウェッジの形態の偏向エレメントを設ける。図５では、ウェッジ・プレートをＷＥＰで示す。ウェッジを、例えばプレートの後側に設ける。次に、プリズム７２をプレートの前側に設けることができ、これによりＨｅ−Ｎｅレーザなどの放射線源７０から来るアライメント・ビームを、アライメント・ユニットに結合することができる。このプリズムは、０次サブビームが検出器に到達するのを防止することもできる。ウェッジの数は、使用するサブビームの数に対応する。図示の実施例では、プラスの次数の次元ごとに６個のウェッジがあり、したがってサブビームは、アライメントのために７次まで使用することができる。全てのウェッジは異なるウェッジ角度を有し、したがって異なるサブブームの最適な分離が獲得される。
【００６５】
第２レンズ・システムＬ2を、ウェッジ・プレートの背後に配置する。このレンズ・システムは、マークＰ1を基準プレートＲＧＰの面に画像形成する。ウェッジ・プレートがないと、全てのサブビームが基準面に重ねられてしまう。ウェッジ・プレートを通る様々なサブビームが異なる角度で偏向するので、サブビームが形成した像は、基準面の様々な位置に到達する。この位置Ｘnは下式によって与えられる。
【００６６】
【数９】
2008034878.tif 000011
【００６７】
ここで、γは、サブビームがウェッジ・プレートによって偏向する角度である。
【００６８】
これらの位置に、図６で示すように基準格子Ｇ90〜Ｇ96を設けることができる。独立した検出器９０〜９６をこれらの基準格子それぞれの背後に配置する。各検出器の出力信号は、基板格子Ｐ1の像が関連する基準格子と一致する程度によって決定される。したがって、基板格子のアライメントの程度、したがって基板のアライメントの程度を、各検出器９０〜９６で測定することができる。しかし、実行する測定の正確さは、使用するサブビームの次数によって決定される。この次数が大きくなるにつれ、正確さが向上する。図６では、単純にするため、全ての基準格子Ｇ90〜Ｇ96が同じ格子周期を有すると仮定している。しかし、実際には各格子の格子周期は、関連するサブビームの次数に適応する。次数が大きくなるにつれ、格子周期が小さくなり、検出できるアライメント誤差が小さくなる。
【００６９】
これまでは、１セットの回折次数しか考慮していない。知られているように、回折格子は、＋１、＋２、＋３などの次数のサブビームに加えて、回折次数が−１、−２、−３などのサブビームも形成する。格子像を形成するには、プラス次数とマイナス次数のサブビームの両方を使用することができる。つまり格子マークの第１像は、＋１および−１次のサブビームが共同して形成し、第２像は＋２および−２次のサブビームが共同して形成し、以下同様である。＋１次および−１次のサブビームでは、ウェッジを使用する必要がないが、路長の差を補償する平行平面プレートを、ウェッジ・プレートの面で、これらのサブビームの様々な位置に設けることができる。したがって、２〜７次には、プラスの次数とマイナスの次数の両方で６個のウェッジが必要である。
【００７０】
図７は、図５の実施例のウェッジの働きをさらに明瞭に示す。より概略的な図７では、第１レンズ・システムＬ1および第２レンズ・システムＬ2を波線で示す。明快さを期して、１次のサブビームｂ（＋１）およびｂ（−１）、７次のサブビームｂ（＋７）およびｂ（−７）、および別の次数のサブビームｂ（＋ｉ）およびｂ（−ｉ）、例えば５次を示す。図７で示すように、ウェッジ８０および８０’のウェッジ角度、つまりウェッジの傾斜面がウェッジ・プレートＷＥＰの表面と形成する角度は、サブビームｂ（＋７）およびｂ（−７）が平行方向に偏向し、第２レンズ・システムによって１つの基準格子Ｇ96上に収束するような角度である。また、サブビームｂ（＋１）およびｂ（−１）は、関連するウェッジ８２および８２’によって平行方向に偏向し、１つの基準格子Ｇ91上に集束する。１次サブビームは偏向せず、第２レンズ・システムによって１つの基準格子Ｇ93上に集束する。各回折次数のプラスの次数とマイナスの次数の両方を使用することにより、基板格子マークＰ1の真実の像が関連する基準格子上に形成され、使用可能な放射線が最大限に使用される。
【００７１】
図８は、マークＰ1の面、およびレンズ・システムＬ1およびＬ2の基準格子プレートに対する好ましい位置、およびこれらのレンズ・システムの焦点距離を示す。レンズ・システムは焦点距離ｆ1を有し、このシステムはマークＰ1の面から距離ｆ1に配置される。レンズ・システムＬ1は、サブビームの主光線を光軸ＯＯ’に平行な方向に偏向する。第１レンズ・システムと第２レンズ・システム間の距離はｆ1＋ｆ2に等しく、これによりｆ2は第２レンズ・システムの焦点距離である。基準格子プレートは第２レンズ・システムから距離ｆ2に配置される。２つのレンズ・システム間の経路と同様、サブビームの主光線は光軸ＯＯ’に平行であり、ウェッジ・プレートの位置は重要でない。
【００７２】
図４の実施例では、同じ回折次元でプラスおよびマイナスの次数のサブビームが、第２レンズ・システムによって関連する基準格子上に正確に重ねられるよう偏向するため、２つの関連するウェッジの相互品質には、より厳密な要件を設定する。この品質要件は、ウェッジの傾斜面およびウェッジ角度の品質の関連する。
【００７３】
前記要件を軽減し、アライメント・ユニットの公差を緩和するため、図９に示す偏向エレメントの構造を使用することが好ましい。サブビームごとに１つの別個のウェッジにする代わりに、全てのサブビームに共通の幾つかの、例えば３つのウェッジ・プレート１９０、１９１、１９２を使用する。図９はウェッジ・プレートの斜視図を示し、図１０は側面図を示す。ウェッジ角度、つまりプレートの上面と下面との間の角度、つまりプレート１９２の場合は面１９２ａと面１９２ｂの間の角度は、３つのプレートで異なる。プレートの１つ、例えばプレート１９０は、他のプレートの角度とは反対のウェッジ角度を有する。このプレートには、幾つかの開口２００を設けるが、図９にはその幾つかしか図示されていない。これらの開口は、サブビームが関連するプレートに入射する位置に配置される。しかし、このような位置全てに開口があるわけではない。サブビームがプレートの開口に入射すると、そのプレートによって偏向されない。
【００７４】
サブビームは、プレートに向かう途中で０個、１個または２個の開口に遭遇する。１次サブビームのみが０個の開口に遭遇し、どのプレートでも偏向しない。図１０では、サブビームの１本がプレートを通る経路を示す。このサブビームは、第１プレート１９０によって右に偏向する。その後、このサブビームは左へ前より小さい角度偏向する。最後に、このサブビームはプレオート１９２の開口２００を通過し、したがってさらなる偏向は生じない。サブビームごとに、開口の数およびこのような開口があるプレートの次数は、他のサブビームとは異なり、したがってサブビームは全て、異なる方向に偏向する。３つのプレートの組合せ２3＝８により、異なる偏向方向を実現できることが明白である。同じ回折次数の１対のサブビームは、同じウェッジ・プレートで偏向するので、これらのサブビームが平行方向に偏向されないという危険は最小になる。
【００７５】
図５、図６の実施例では、１から７の次数のサブビームを使用し、したがってＸ方向でのアライメントには７つの基準格子Ｇ90〜Ｇ96が必要である。Ｙ方向のアライメントには、図６に示すように、７本のサブビームを７つのさらなる基準格子Ｇ93〜Ｇ104と一緒に使用することができる。次に、図５の実施例では、第２組のウェッジ１２個をＹ方向でウェッジ・プレートに配置する。図９の実施例では、第１組のウェッジ・プレートの前または後に、第２組の３個のウェッジ・プレートをサブビームの経路に配置し、第２組のプレートはサブビームをＹ方向に偏向する。基板マークは、図２に示すマーク、または他のタイプのマーク、例えばスクライブ線に沿って設けたマークでよい。１次サブビームでは、４つの格子部分がある同様の基準格子を使用することができ、そのうち２つは１６．０μｍの格子周期を有し、他の２つの格子部分は、図６に示すように１７．６μｍの格子周期を有する。他の基準格子は、基板格子Ｐ1の１６μｍという周期を有する格子部分の関連回折次数と対応する１つの格子周期しか有さない。これで、図２の格子マークＰ1に関連する４４μｍという捕捉範囲が維持される。
【００７６】
図５、図６の実施例では、最高次数を有するサブビームが、最大角度を通る偏向エレメントによって偏向される。しかし、これは必要ではない。ある状況では、例えば格子像の光学収差を最小にするため、この次数を変更してよい。これは、図６に示すように、昇順次数のサブビームがウェッジによってプラスの角度とマイナスの角度で交互に偏向することの理由にもなる。
【００７７】
任意の非対称の基板マークＰ1で十分に正確な状態で位置合わせできるよう、検出すべき最低回折次数は、コンピュータ・シミュレーションで決定することができる。このようなシミュレーションは、例えば１次サブビームを使用する場合に維持される１５０ｎｍのアライメント誤差などが、５次サブビームを使用すると２０ｎｍに低下できることを証明している。
【００７８】
原則的に、検出できる最高次数は、依然として検出できる最低強度、およびレンズ・システムＬ1、Ｌ2の開口数によって決定される。知られているように、回折格子によって形成されるサブビームの強度は、このサブビームの次数の増加と共に低下し、サブビームの強度は、このサブビームの次数の平方に逆比例する。７次サブビームの場合、強度は１次サブビームの約１／５０になる。しかし、オフアクシス・アライメント・ユニットを横断する時にアライメント・ビームが経験する反射によって生じる強度損は、オンアクシス・アライメント・ユニットを横断する場合よりはるかに小さい。最後に言及したユニットでは、アライメント・ビームは、反射損が生じる約１００の表面に遭遇し、最初に言及したユニットでは、例えばその表面のうち２０にしか遭遇しない。全反射損がオフアクシス・アライメント・ユニットの４の関数の場合、７次アライメント・サブビームは、オンアクシス・アライメント・ユニットの１次アライメント・ビームと同じ強度を有することができる。
【００７９】
光学システムＬ1、Ｌ2がＮの回折次数を有するサブビームを通過させねばならない開口数ＮＡnは、下式によって与えられる。
【００８０】
【数１０】
2008034878.tif 000012
【００８１】
７次サブビームと、格子周期ｐ＝１６μｍおよび波長λ＝５４４ｎｍを有する基板格子マークでは、所望の開口数は約０．２４であり、これは非常に満足できる数である。
【００８２】
十分に安定したシステムを保証するため、クォーツで構成することが好ましい単一のプレートＲＧＰに、様々な基準格子を設ける。このプレートの寸法、したがって第２レンズ・システムの画面サイズは、基準格子の寸法ｄ1およびその相互距離ｄ2によって決定される。距離および寸法は、例えば両方とも０．２ｍｍであり、したがってプレートＲＧＰのＸおよびＹ方向の寸法ｄxおよびｄy、および所望のフィールド直径は約３ｍｍである。
【００８３】
図５の実施例の別個のウェッジは、ガラスまたはクォーツで作成し、クォーツ・プレートに固定することができる。この構造は、高度の安定性を示す。ウェッジは透明な合成材料、例えば紫外線硬化性プラスチックで作成してもよい。その場合、特に光学で知られている複製技術を使用し、ウェッジ構造全体を型により１回でこの材料の薄い層に印刷することが好ましく、この層を、例えばクォーツ基板に適用する。既に述べたように、別個のウェッジの代わりに、開口を設けたウェッジ・プレートを使用することが好ましい。別個のウェッジまたはウェッジ・プレートの代わりに、１つの次数しか使用しない回折格子など、他の偏向手段を代替的に使用することができる。さらに、材料のプレートの屈折率変動のパターンによって構成した偏向構造を使用することが可能であり、このパターンは、例えばイオン注入によって設けられる。
【００８４】
基板マークの溝深さに対する要件が厳格になりすぎないようにするため、２つの波長、例えば６３３ｎｍおよび５３２ｎｍを有するアライメント放射線が適切であることが判明した。式（７）および式（８）から明白なように、アライメント格子がサブビームを偏向する角度、およびこれらのビームがレンズ・システムＬ1の後部焦点面で占有する位置が波長によって決定されるという事実を利用することができる。原則的に、異なる波長の次数は相互から識別することができる。しかし、さらなる測定をせずに、所与の次数、例えば第１波長（６３３ｎｍ）の２次が、例えば第２波長（５３２ｎｍ）の２次と３次の間に来てもよい。異なる波長の次数を相互からよりよく分離するため、異なる波長のビームが基板格子Ｐ1に異なる角度で入射することを保証することができる。２つの回折次数を使用する場合は、図１１に示すような状態がレンズ・システムＬ1の後焦点面に生成される。次に、第１波長の様々な次数には位置１１０〜１３７の第１十字形パターンがあり、第２波長の様々な次数の位置１３８〜１６５の第２十字形パターンがある。図７の中心にある二重矢印によって示すように、これらのパターンは相互に対してずれ、これは異なる波長のアライメント・ビームの入射角が異なるからである。これらの角度は、集束高価によって生じるアライメント誤差を防止するよう、可能な限り小さく維持しなければならない。２つの波長を使用する場合、偏向エレメントがあるプレートは、言うまでもなく図１１に示すような状態に適合しなければならない。つまり、特に２４個の別個のウェッジではなく４８個のウェッジを使用しなければならないか、６枚のウェッジ形プレートの代わりに、このようなプレートを１２枚使用しなければならない。
【００８５】
２つの波長でのアライメントに対する代替法が、図１２に図示されている。この図では、参照番号１６０は偏向感受性ビーム・スプリッタを示す。このビーム・スプリッタは、Ｈｅ−Ｎｅレーザからの第１波長λ1、例えば６３３ｎｍを有し、第１偏光方向を有する第１アライメント・ビームｂを受け、このビームを基板位置決めマークＰ1に渡す。このビーム・スプリッタには、第２波長λ2、例えば５３２ｎｍを有し、周波数２倍器の前にあるＹＡＧレーザから来る第２アライメント・ビームｂ5も入射する。ビームｂ5は、ビームｂに直角の偏光方向を有し、したがってビームｂ5は基板マークＰ1へと反射する。ビームｂおよびｂ5の主光線は、ビーム・スプリッタによって一致させられ、したがってこれらのビームが１本のビームとしてマークＰ1に渡されることが保証されている。ビームｂおよびｂ5は、マークで反射した後、再びビーム・スプリッタによって分割される。独立したアライメント・ユニット１７０、１８０がこれらのビームそれぞれにある。これらのユニットはそれぞれアライメント・ビームを発し、ビーム・スプリッタを介して、基板マークから来る異なる回折次数のサブビームを受ける。これらのユニットそれぞれで、図５に関して説明したように、基板マークの像が異なるサブビームで異なる基準格子上に形成される。そのため、各ユニットには、レンズ・システムＬ1、Ｌ2（Ｌ1’、Ｌ2’）、ウェッジ・プレートＷＥＰ（ＷＥＰ’）、および図９または一連のウェッジ形プレート、基準格子ＲＧＰ（ＲＧＰ’）があるプレート、幾つかの検出器９０〜９６（９０’〜９６’）、および結合プリズム７２（７２’）を介してシステムに結合されたビームを有する放射線源７０（７０’）を設ける。
【００８６】
図１３は、特殊な種類のビーム・スプリッタ１６０を使用するアライメント・ユニットの実施例の一部を示す。このビーム・スプリッタは、偏光感受性ビーム分割プリズム２１０、１／４波長プレート２１１および反射器２１２を備える。異なる波長を有し、源（図示せず）から来るビームｂ10およびｂ11を太線で示し、格子マークＰ1が反射するビームを細線で示す。ビームｂ10およびｂ11は同じ偏光方向を有する。第１ビームｂ10は反射器２１５で反射して、プリズム２１０内の偏光感受性ビーム分割層２１３に向かう。この層はビームｂ10を格子マークＰ1へと反射する。格子マークで反射し、異なる回折次数のサブビームに分割された放射線は、１本のビーム線ｂ15で表される。ビームｂ15は層２１３で反射して、関連の偏光エレメントの構造および検出器（図１３には図示せず）に向かう。
【００８７】
第２ビームｂ11は反射器２１６で反射してビーム分割層２１３に向かい、これはビームを１／４波長プレート２１２へと反射する。ビームｂ11は、このプレートを通過すると、このプレートの背側で反射層２１２によって反射し、したがって２回目でプレート２１１を通過する。プレート２１１を出たビームｂ12は、元のビームｂ11の偏光方向に対して９０°回転した偏光方向を有する。ビームｂ12は、ビーム分割層２１３を通過して、格子マークＰ1に到達することができる。このマークで反射する放射線も、１本のビーム線ｂ16で表す。このビームは最初にビーム分割層２１３を通過し、次に１／４波長プレートを２回横断して、最終的に層２１３で反射して、ウェッジおよび検出器（図１３には図示せず）の関連構造に向かう。明快さを期して、図１３には反射ビームｂ16およびｂ17は空間的に分離されたビームとして図示されているが、実際には、これらのビームは一致する。マークＰ1の位置におけるビームｂ10およびｂ11についても、同じことが当てはまる。
【００８８】
図１２、図１３の実施例では、第１レンズ・システムＬ1は、図１３に示すようにビーム・スプリッタ２１６と格子マークＰ1との間に配置することが好ましい。これは、波長が異なる２本のビームに、このようなレンズ・システムが１つした必要でないという追加の利点を有する。反射したビームには、別個の第２レンズ・システムＬ2（図１３には図示せず）が依然として必要である。
【００８９】
上述した様々な実施例では、検出器を基準格子の真後ろに配置する。しかし実際には、基準格子の背後には、１束の撮像ファイバを配置することができ、これは基準格子および基準格子、および基板格子マークの重畳画像をそれぞれ、遠隔位置の検出器に画像形成し、これは、装置全体の設計およびこの装置の性能に関して、さらに都合がよい。例えば、異なる回折次数のサブビームによって形成される画像間のクロストークを減少させ、信号増幅器および電子プロセッサによって発生する熱をアライメント・ユニットおよび装置から遠ざけておくことができる。放射線源も、アライメント・ユニットから遠い位置に配置し、その放射線をファイバの照明束によってユニットに案内することもできる。この方法で、放射線源から発生した熱を、アライメント・ユニットおよび統制装置から遠ざけておくことができる。
【００９０】
ビームｂ15およびｂ17の一方について、プリズム２１６と第２レンズ・システムＬ2の間に、部分的に透過する反射器を配置し、このビームの一部をカメラへと分割することができ、カメラはミラーと一緒に基板マークの視覚像を装置のオペレータに提供する。
【００９１】
様々な検出器信号の使用については、様々な可能性がある。１次サブビームによって、そのサブビームに関連する検出器の信号を処理することにより、アライメントから開始してよい。その後、２次サブビームに関連する検出器の信号を、さらに細かい位置合わせに使用し、次に３次サブビームに関連する検出器の信号を、さらに細かい位置合わせに使用し、以下同様とすることができる。使用するサブビームが依然として確実な方法で検出されるほど十分な強度を有する限り、これを続行することができる。
【００９２】
別の可能性は、特定の回折次数の強度は、基板に所与のプロセス層を設けた場合、他の回折次数を代償として増加する、という認識に基づく。その倍、位置合わせについて、好ましい次数を直接選択することができる。ある状況では、前記可能性を組み合わせてもよい。
【００９３】
基板のバッチをマスク・パターンで照明する前、または生産日の開始時に、アライメント・ユニットを校正することも可能である。幾つかの基板マークの位置について、各回折次数について検出器信号を測定する。その測定の結果を、基板マークの各位置について各回折次数の検出器信号の値を表示するグラフまたは表に記憶する。基板の照明中に、比較的低い回折次数、例えば最初の３つの次数について比較的大きい検出器信号のみを測定することにより、アライメント測定を実行することができる。内挿によってより高い回折次数、例えば７次について、対応する値を決定することができる。この方法にて、高い解像度および大きい信号振幅でアライメント誤差を決定することが可能である。
【００９４】
これまで、基準格子の形態の装置基準に対する基板のアライメントについてのみ説明してきた。同じアライメント・ユニットで、基板ホルダまたはテーブルの位置も決定することができる。そのため、このホルダまたはテーブルに、基板位置決めマークと同様の位置決めマークを設ける。（例えば図４に概略的に示す認識マークを参照。）アライメント・ユニットの基準に対する基板ホルダ・マークの位置を決定する。基板ホルダ・マークに対する基板マークの位置も、これで知られる。マスク・パターンと基板との相互位置を固定できるようにするため、さらなる測定が必要である。つまり基板ホルダまたはテーブルに対するマスク・パターンの位置の測定である。このさらなる測定のため、図１、図２、及び図３に関して説明したオンアクシス・アライメント・ユニットを使用することができ、このマスク・パターンを基板ホルダのマークに対して位置合わせする。図３に示した二重アライメント・ユニットばかりでなく、米国特許第４２５１１６０号に記載された単アライメント・ユニットも使用することができる。
【００９５】
基板テーブルに対してマスク・パターンを位置合わせする別の可能性は、例えば米国特許第４５４０２７７号に記載された画像センサ・ユニットを使用することである。このようなユニットでは、マスク・位置決めマークを、投影放射線によって基板テーブルの対応する透過性基準マークに画像形成する。このテーブルには、基準マークが渡した放射線を電気信号に変換するため、検出器を基準マークの背後に配置することができる。第１の場合には、この画像センサ・ユニットは、例えば投影放射線とは大きく異なる波長を有するアライメント放射線で作動するオンアクシス・アライメント・ユニットを校正するか、投影レンズ・システムが形成する画像の画像品質をチェックし、発生するかもしれない歪みおよび収差を測定するためのものであるが、基板テーブルに対してマスク・パターンを位置合わせするにも非常に適している。基板テーブル・マスクに対してマスク・マークを位置合わせするため、米国特許第４５４０２７７号に記載された透過画像センサ・ユニットの代わりに、反射で作動する画像センサ・ユニットを代替的に使用してもよい。このようなユニットは、米国特許第５１４４３６３号に記載され、テーブル上の反射性マークで働き、比較的多数の検出器を備え、これは様々な角度のマークを観察し、関連する光学システムとともに、投影レンズ・システムと基板テーブルの間に配置されたセンサ・プレート内に設けられる。本発明によるオフアクシス・アライメント・ユニットも、この空間に設けなければならない。このユニットは、基板テーブルの中心に可能な限り近く配置し、例えば０．３の開口を有する錐形の構築空間が必要である。実際には、基板テーブルのＹ辺の長さは、投影装置の設計対象である基板の半径のほぼ対応し、例えば８インチ（２０３．２ｍｍ）の基板では１０２ｍｍであり、したがって８インチ基板を扱うことができるアライメント・ユニットを、投影レンズ・システムの光学軸から２５ｍｍの距離に配置することができる。これは図１４に非常に概略的に図示され、これは投影レンズ・システムＰＬの一部およびその光学軸ＯＯ’を示す。投影レンズ・システムと基板との間の部分は、投影ビームによって占有される空間を示し、ｂのマークがある矢印はアライメント放射線のサブビームを示す。アライメント・ビームは光学軸ＯＯ’から距離ｄｘで基板に入射し、したがってその距離は例えば２５ｍｍである。参照文字ＣＳは、使用できる構築空間の臨界位置を示す。この位置で、異なる回折次数を有するサブビームが位置する錐形の直径が、基板への距離に開口数の値を２回掛けた値と等しくなる。開口数が０．２５で、前記距離が３２ｍｍの値の場合は、前記距離、したがってＣＳの位置で必要な垂直空間は１６ｍｍになる。これは、実際には妥当な要件である。しかし、この垂直空間が完全には使用可能でないこともある。その場合は、相互に対して対角線上に配置され、それぞれ基板の一部を覆うことができる２つのオフアクシス・アライメント・ユニットを使用することができる。
【００９６】
以上で述べたように、オフアクシス・アライメント・ユニットは、リソグラフィ投影装置のマスク・ホルダ、投影システムおよび基板ホルダを備える投影カラム内に配置される。細部がさらに小さくなり、したがってより多くの電子コンポーネントを備えたＩＣの拡大化に対する需要が高まるとともに、アライメント手順にますます時間がかかるようになった。したがって、これらの装置のスループットは、さらなる処置を執らないと低下する傾向がある。このような装置には、別個の測定ステーションを追加することがすでに提案されている。このステーション内で、このウェーハを投影カラム、つまり投影ステーションに運び込む前に、基板内の位置、例えばＸ、ＹおよびＺ方向を測定する。測定ステーション内で、基板マークを基板ホルダまたはテーブル上の位置決めマークに対して位置合わせすることができる。基板をホルダとともに投影システム内に配置した後、マスクの位置決めマークしか基板ホルダのマークに位置合わせする必要がなく、これは短い時間しかかからない。別個の測定ステーションおよび投影ステーションを備える装置内と同様、投影ステーション内で第１基板を照明する間、第２基板を測定ステーションで測定し、この装置のスループットは、別個の測定ステーションがない装置よりはるかに大きい。基板のマークを基板ホルダのマークと位置合わせするために測定ステーションで使用するアライメント・ユニットは、本明細書で説明するようにオフアクシス・位置決めシステムであることが好ましい。
【００９７】
上述したオフアクシス・位置決めシステムは、組み合わせて位置決めマークの位置を決定することができる複数の信号を生成する複数のセンサを有する位置決めシステムの例である。これらの例では、位置決めマークで回折した光の別個の回折次数について、位置決めマークから信号を生成するセンサがある。記載した特定の実施例では、１次とは別個の最高７次までの次数を検出することができる。さらに、これをＸおよびＹ方向のそれぞれで実行する。また、ＸおよびＹ方向の７つの次数それぞれを、位置決めマークを照明する光の異なる２つの波長で検出することができる。その結果、これは、アライメント走査中にほぼ同時に信号を提供するチャネルを合計２８本提供する。本発明の範囲および精神から逸脱することなく、特に迅速に切り換える場合、同時ではなく、調子を合わせて切り換わる信号も受信することができた。本発明によると、このような多センサ・位置決めシステムの複数のチャネルからの情報を組み合わせて、アライメントを改善する。アライメントの改善には、より小さい規模での位置合わせの精度改善および／または処理効果などの系統的効果によるエラーの削減および／または再現性の改善などがある。これは、「フォールバック手順」も含み、故障した手順の代わりに代替アライメント・ステップまたは方法が使用可能である。本発明の実施例では、複数の異なる回折次数からの信号を組み合わせて、位置決めマークの位置を決定する。この実施例では、複数の回折次数チャネルから検出した位置決めマークの位置は、連続関数として表すことができる曲線に一致し、この連続関数を使用して、ほぼ系統的誤差がなく獲得される位置を予想する。
【００９８】
このような予想の手法の実施形態は、例えば半導体ウェーハがタングステン化学機械研磨プロセス（Ｗ−ＣＭＰ）を経験した時などに、マスクが変形した場合に有用であることが判明している。（アルミニウム物理蒸着（Ａｌ−ＰＶＤ）プロセスは、通常、Ｗ−ＣＭＰと組み合わせて実行される。したがって、Ｗ−ＣＭＰと言うと、これはＡｌ−ＰＶＤも含むと理解されたい。）図１５Ａから図１５Ｄは、Ｗ−ＣＭＰ処理中に生じ、ウェーハ上の標的の検出で系統的誤差を引き起こすことがある系統的効果を示す。図１５Ａは、多ターゲット・マーク、またはその一部を形成する酸化物層３１６にエッチングされた３連の溝３１０、３１２および３１４を示す。図１５Ｂは、タングステン蒸着ステップ後のウェーハの一部を示す。タングステン層３１８が酸化物層３１６上、さらに溝３１０、３１４内に蒸着される。図１５Ｃは、Ｗ−ＣＭＰ処理ステップ後のウェーハを示す。最後に、図１５Ｄは、アルミニウム層３２０をウェーハの部分に蒸着した後、ウェーハのその部分を示す。図１５Ｃおよび図１５Ｄで見られるように、酸化物層、例えば３２２および３２４に非対称の変化があり、これはＷ−ＣＭＰ処理のためにアルミニウム層３２６および３２８でも繰り返される。位置決めマークに使用する回折格子に対するこのような非対称の変化は、アライメント格子の位置における装置の変位につながる。これが、Ｗ−ＣＭＰ処理ステップによって持ち込まれる系統的効果である。
【００９９】
図１６は、３つの異なる回折次数チャネルについてＷ−ＣＭＰによって持ち込まれるアライメント誤差のプロットである。この場合、検出される次数は３次、５次および７次の回折次数チャネルである。データは、以下でさらに詳細に説明するように、検出された次数ごとの別個の回折格子に対応する。このような実施形態は、良好な結果を提供することが判明したが、本発明の範囲は、多格子マークのみに制限されない。誤差は、検出される回折次数の増加とともに減少するのを見ることができる。発明者は、曲線をこのようなデータに適合させることができ、曲線に外挿して、検出システムが対応する比較的高い次数を検出するよう設計された場合に見えると予想されるアライメント誤差の減少を予想できることを発見した。
【０１００】
図１７は、異なる方法でプロットした同じデータを示す。検出された３つの次数それぞれのアライメント誤差は、ここでは回折次数にコントラスト係数を掛けた値の逆数（［周期性］）としてプロットされる。これは逆比例に換算したプロットであるので、無限大の回折次数に向かうにつれ、グラフの位置は、周期性とラベルされた軸に沿ってゼロに近づく。この方法でプロットすると、ゼロ周期性の位置でゼロ・アライメント誤差に近づく曲線が、データによく適合できることが分かる。したがって、複数の回折次数チャネルのアライメント誤差測定値に直線を適合させることにより、外挿して、Ｗ−ＣＭＰ処理から生じるゼロ・アライメント誤差のケースにおけるターゲット位置を予想することができる。ゼロ周期性のケースは、無限の回折次数に対応する。無限数の回折次数を別個に検出するシステムを構築できないことは明白である。しかし、本発明のこの実施形態による予想方法で、検出される無限回折次数のこのような限度を投影することができる。
【０１０１】
発明者は、第３回折次数、第５回折次数および第７回折次数からの信号を以下の１次結合で組み合わせることにより、Ｗ−ＣＭＰによる系統的誤差が減少した良好な結果を生じることを発見した。
【０１０２】
【数１１】
2008034878.tif 000013
【０１０３】
これは、以下の一般式への３点最小二乗適合法に基づく。
【０１０４】
【数１２】
2008034878.tif 000014
【０１０５】
ここで、Ｃは定数、ｎは次数である。
【０１０６】
発明者は、７つの回折次数のうち３つを使用した場合しか良好な結果を認めなかったが、本発明のより広義の概念は、上述した予測方法にのみ制限されない。本発明の一般的概念から逸脱することなく、２つ以上の回折次数チャネルを使用し、測定値を他の関数に適合させることができる。さらに、本発明のこの態様は、Ｗ−ＣＭＰまたは同様の処理に持ち込まれる効果を補正するため、予測方法を設けることに制限されない。
【０１０７】
別の例では、銅ダマシン・プロセスは、異なる波長および回折次数チャネルで観察されるようなほぼランダムに見える誤差を持ち込む傾向がある。発明者は、使用可能な複数の信号チャネルを等しい重みで平均する予想方法が、Ｃｕダマシン・プロセスで良好な結果をもたらす傾向があることを発見した。本発明の一般的概念は、複数の回折次数チャネルからの情報を組み合わせて、１本のチャネルのみを使用する場合と比較して、基板上の位置決めマークの検出の正確さを改善することも含む。このような予測方法は、Ｗ−ＣＭＰプロセスおよびＣｕダマシン・プロセスのケースで上述したように、基板上で実行される特定のプロセスで特定の形態をとることができる。さらに、本発明の概念は、複数の波長チャネルおよび回折次数チャネルからの情報を組み合わせて、基板への処理効果を考慮に入れた予測方法を提供することに制限されない。複数の波長チャネルおよび回折次数チャネルからの情報を組み合わせて、位置決めマークの位置決定で誤差を引き起こすような基板の他の変化を考慮に入れた予測方法を提供することができる。
【０１０８】
処理ステップは、基板ごとに変動する系統的効果を持ち込むことがある。例えば、Ｗ−ＣＭＰおよびＡｌ−ＰＶＤプロセスによる装置の膨脹を、４つの異なるシリコン・ウェーハの第３、第５および第７回折次数について測定した通りに、図１８にプロットする。発明者は、膨脹および収縮に伴うこのような誤差が、検出された回折次数とともに変動し、基板ごとにも変動することを発見した図１８で見られるように、回折次数と反比例する周期性での変動は、ウェーハごとにほぼ直線の変動である。しかし、各ウェーハのデータに適合する線は、異なる直線（例えば異なる勾配）である。直線は周期性の減少で相互に近づき、これは回折次数の増加に対応することに留意されたい。その結果、このような予測方法により、ウェーハごとにほとんど変動しない結果を予想することができる。同様に、Ｗ−ＣＭ−およびＡｌ−ＰＶＣ処理によって持ち込まれる疑似回転を予想して、ウェーハごとの変動を減少させるか、ほぼ解消することができる。図１９は、このケースでウェーハごとの変動を減少させる予測方法を示すデータを提供する。
【０１０９】
予測方法の上記の例は、複数のチャネルからの情報を固定した係数と組み合わせるという意味で、静的方法と見なすことができる。静的方法という用語は、多チャネル情報の数学的表現を取得し、次に数学的表現を使用して、位置決めマークの位置を決定するという一般的概念を含むよう意図される。本発明の概念は、予測方法の一般的概念の中に動的方法も含み、ここでは様々なチャネルからの情報を、測定した量に依存する方法で組み合わせる。例えば、複数の回折次数チャネルからの情報を、測定した信号強度に依存する係数と組み合わせることができる。動的方法には他の測定量も使用することができる。例えば、出力信号を、シヌソイドなどの予想される関数形に適合させることができる。このような適合での相関係数は、複数のチャネルからの信号を組み合わせる動的方法に使用できる別の測定量を提供する。他の入力パラメータ、例えば「ｍｃｃ」、「ミニレプロ」、「信号対雑音比」、「信号形状」、「信号エンベロープ」、「焦点」、「勾配」、「次数チャネル位置オフセット」、「波長チャネル位置オフセット」、「セグメント間変位」および／または「粗・微位置偏差」を、場合によってはユーザ入力パラメータと組み合わせて使用することにより、パフォーマンスを向上させることができる。
【０１１０】
これらのパラメータの多くは、位置合わせした位置決定の正確さに関連する。パラメータ「ｍｃｃ」は、測定した信号がいかに、完璧な位置決めマークに予想される信号と似ているかを示す複数の相関係数であり、「ミニレプロ」は、アライメント測定の異なる区間または部分の位置合わせした位置の標準偏差で、位置合わせした位置の正確さを示し、「信号対雑音比」は、適合した信号を、測定した信号のスペクトルにわたるノイズの相対的レベルで割った値であり、「信号形状」は、このスペクトルにおける、概ね複数の基本周波数における幾つかの別個周波数の相対レベルであり、「信号エンベロープ」は、測定中の信号強度の分散であり、「焦点」は、検出器に対するウェーハ高さのオフセットであり、「勾配」は、測定中のウェーハ角度と検出器角度との間の角度であり、「次数チャネル位置オフセット」は、１つの波長の様々なチャネルの位置合わせした位置における測定値の差であり、「波長チャネル位置オフセット」は、様々な波長チャネルの位置合わせした位置の測定値の差であり、「セグメント間変位」は、複数のセグメント間した位置決めマークの様々なセグメントの位置合わせした位置の測定値差であり、「粗・微位置偏差」は、粗位相での位置決めマーク測定に基づいた予想位置に対する微位相での位置決めマークの位置の差である。
【０１１１】
係数は、プロセスの履歴データを含めることによって決定することもできる。例えば、回折次数チャネルで取得したデータを、以前のウェーハからの情報と組み合わせることができる。特定チャネルの情報が、以前のウェーハにあるそのチャネルからの情報とは大きく異なる場合、そのチャネルに、そのチャネルからの情報が以前のウェーハからの情報に非常に類似している場合より低い重み付き係数を与えることができる。複数の回折次数チャネルからの情報を扱う別の方法は、チャネルごとにウェーハ格子パラメータ（並進、回転、ウェーハ膨脹、直交性、非対称縮尺およびより高次のパラメータ）に関して個々のチャネルをモデル化することである。個々の信号に適合するウェーハ・モデルの残余、いわゆる格子残余は、特定回折チャネルの相対的重要性の修飾子である。例えば、ウェーハ上の特定位置にあるチャネルの残余が、その位置における履歴残余の分散に非常に類似する場合、残余が以前のウェーハの平均残余と非常に異なる場合より大きい重み係数を割り当てる。（ウェーハ残余の統計的分散の図については図２９も参照。）履歴データは、この方法で、位置決めシステムで取得した情報の拡散を最小にするのに役立つ。複数の回折次数チャネルから情報を測定し、アライメントのため最高信号強度を有するチャネルを選択して、最低信号強度を有する回折次数チャネルの情報を拒否することもできる。このような動的方法には他の測定量も使用することができる。
【０１１２】
実験データに基づき、個々の検出器間の相関を決定することが可能である。そのプロセスによって相関を導入すると、これを使用して、より正確な測定を提供することができる重み付け係数を生成することができる。一つの実施形態は、１組のデータを使用し、この情報に基づいて静的予測方法を決定する。第２の実施形態は、実行中に予測方法を検証し、調節する。現在のウェーハで測定した検出器間の相関が静的方法と等しくない場合は、予測方法を小さく調節することができる。
【０１１３】
以上の静的方法の例では、複数チャネルからの同じ方法を全マークに使用する。ウェーハの各ターゲットには、複数のチャネルからのどの情報を使用すべきか画定する別のタイプの静的方法を識別することができる。このような静的方法により、位置決めシステムは、表面に広がるプロセスの変動を扱うことができる。マークごとに複数の回折次数チャネルからの情報の一部を即座に選択するか、重み付けする代わりに、全ターゲットからの全情報を最初に収集すると有用なことがある。
【０１１４】
次に、個々のチャネル全てについてウェーハ格子を決定することができる。このようなシナリオにより、はるかに融通性が与えられる。例えば、これで、回転の決定に使用するチャネル／マークとは異なるチャネルおよび／またはマーク上のウェーハ膨脹を決定することが可能である。
【０１１５】
オフアキシャル・位置決めシステムＯＡＳを使用して、様々なタイプの位置決めマークを検出することができる。図２は、ウェーハ・アセンブリ上の認識マークとして往々にして使用される位置決めマーク、または大域位置決めマークとしてウェーハの周縁に沿った位置決めマークを示す。図２０は、回路を将来作成するか、現在作成中の４０２および４０４などの複数の領域を有する半導体ウェーハ４００の部分を示す。回路の間には、スクライブ線４０６および４０８などのスクライブ線がある。位置決めマーク４１０がスクライブ線４０８に書き込まれている。同様に、位置決めマーク４１２がスクライブ線４０６に書き込まれる。位置決めマーク４１０および４１２は、ウェーハのスペースを無駄にしないよう、細いスクライブ線を維持するために十分細く作成される。４１０および４１２などの位置決めマークの組合せは、ＸおよびＹ方向と呼ばれる直角方向のアライメント情報を提供する。位置決めマーク４１０は、第１ターゲット４１４および第２ターゲット４１６を有するようセグメント化される。同様に、位置決めマーク４１２は、第１ターゲット４１８および第２ターゲット４２０を有するようセグメント化される。各ターゲット４１４、４１６、４１８および４２０は、この実施形態では回折格子である。概して、格子４１４〜４２０は位相または振幅格子でよい。例えば、位相格子は、基板またはその層に溝をエッチングすることにより形成してよい。この実施形態では、個々のマーク内の回折格子ターゲットそれぞれは、異なる周期性、つまりピッチを有する。現在の製造プロセスおよび規模では、ターゲット４１６などの１つの回折格子ターゲットに１６．０μｍのピッチを、ターゲット４１４などの第２回折格子ターゲットには１７．６μｍのピッチ、およびそれ以下を使用することが適切であることが判明した。このような組合せは、以下でさらに詳細に説明する捕捉プロセスで有用である。
【０１１６】
捕捉プロセスは、位置決めマークの位置を所望の範囲内で確立する粗アライメントの形態である。微アライメントは、問題の位置決めマークのさらに精密な位置を決定するのに実行される。アライメント・プロセス中、ウェーハ４００は、所望の位置決めマークを、オフアキシャル・位置決めシステムＯＡＳの検出視野全体で、位置決めマークのターゲット格子にある溝に対してほぼ直角の方向で走査するよう動作する。捕捉および微アライメントのための全信号は、ほぼ並列に取得できることに留意されたい。位置決めマーク４１０のターゲット格子４１６が、スクライブ線４１８の方向に沿って位置決めシステムＯＡＳの視野全体を移動するよう、ウェーハ４００を動作させると、２つの波長成分を有するアライメント・ビームがターゲット格子４１６から反射および回折する（図１２も参照）。上述した位置決めシステムＯＡＳの実施形態では、ターゲット格子４１６が位置決めシステムＯＡＳの視野全体を走査するにつれ、７つの回折次数チャネルおよび２つの色チャネルの信号を検出する（図６に図示した基準格子プレートを参照）。ＸおよびＹ方向それぞれ、および２つの色それぞれに捕捉プロセス用の追加チャネルもある。
【０１１７】
図２１は、ターゲット格子４１６などの格子を、オフアキシャル・位置決めシステムＯＡＳの視野で一定速度にて走査した場合、２つの波長の一方について７つの回折次数チャネル４２３Ａ〜４２３Ｇで生成した信号の例を示す。ターゲット格子４１６の像が個々の回折次数の基準格子と位置合わせされるにつれ、信号強度は最大になる。逆に、個々の基準格子にあるターゲット格子４１６の像が完全に位置合わせから外れると、検出される信号強度が最小になる。したがって、ほぼ一定の走査動作では、出力信号がほぼシヌソイドであることが分かる。より高次のチャネルの信号は、低次チャネルより周波数が高い。位置決めシステムの２つの色それぞれについて、オフアキシャル・位置決めシステムＯＡＳの視野を通してターゲット格子４１６を走査する間、７つの回折次数チャネル全て内で、信号を取得する。位置決めマーク４１０および４１２は、多ターゲット・位置決めマークの一例を提供する。この実施形態では、位置決めマーク４１０を使用して、位置決めマーク４１０の位置を決定する。同様に、セグメント化された位置決めマーク４１２内のターゲットを使用して、位置決めマーク４１２の位置を決定する。多セグメント・位置決めマークの概念は、位置決めマーク内に３個、４個またはそれ以上のセグメントを含むよう拡張してもよい。図２０に示すような２つのセグメントを有する位置決めマークに加えて、本発明の発明者は、マーク内に４つのターゲットを有する位置決めマークが現在有用であることを発見した。図２２は、ターゲット４２４、４２６、４２８および４３０を有するこのような４ターゲット・位置決めマーク４２２の実施例を示す。この実施形態では、ターゲット４２２、４２６、４２８および４３０はそれぞれ回折格子であり、ターゲット格子と呼ぶこともできる。ターゲット格子４２４、４２６、４２８はそれぞれ同じピッチを有し、ターゲット格子４３０は異なるピッチ（図示せず）を有する。適切なピッチは、現在の特徴となる規模および幾つかの用途では、回折格子４２４、４２６、４２８では１６．０μｍ、回折格子４３０では１７．６μｍであることが判明した。この実施形態では、各ターゲット４２４、４２６および４２８が異なる検出特徴を有するよう選択することができる。例えば、ターゲット４２４および４２６および４２８は、異なる回折次数を強化する回折次数強化格子となるよう選択してもよい。（以上では、これはその回折次数の「信号」を、一様な回折格子のそれと比較して強化する、という意味であった。）例えば、ターゲット４２４が、第３回折次数を強化する回折次数強化格子であるよう、位置決めマーク４２２を構築することができる。第５回折次数を強化するようターゲット４２６を選択し、第７回折次数を強化するようターゲット４２８を選択することができる。
【０１１８】
図２３Ａから図２３Ｄは、位相格子の一部の断面の略図である。図２３Ａは、幅が等しい等間隔の溝を有する通常の回折格子に対応する。図２３Ｂは、図２３Ａの通常の格子で隣接するプラトー領域間の溝が２つの部分に細分された、３次の次数強化格子の略図である。この下位構造領域の幅は、図２３Ａで示した領域４３２、４３４および４３６とほぼ同じに維持される。図２３Ｃは、下位構造が図２３Ｂの２つの部分ではなく３つの部分を有する、５次の次数強化格子の例を示す。図２３Ｄは、７次を強化する次数強化格子を示す。１６．０μｍの格子の場合、下位セグメント４３２、４３４、４３６および領域４３８、４４０などまでがそれぞれ１６．０μｍである。図２３Ｂ、図２３Ｃ、及び図２３Ｄの対応する機構も１６．０μｍであるが、幾つかは下位構造を有する。
【０１１９】
次数強化格子は、アライメント・センサの回折次数検出チャネル内で、ベース・ピッチ格子で検出した信号強度に対して強化された信号強度を有するターゲットとして定義される。図２３Ａは、１６．０μｍのピッチを有するベース・ピッチ格子を示す例である。図２３Ｂ、図２３Ｃ、及び図２３Ｄは、次数強化格子の例である。係数Ｎだけ減少したベース・ピッチを有する格子も、次数強化格子の別の例である。このような格子の２次回折ビームが、アライメント・センサのＮ次回折次数検出チャネルによって検出される。これは、ｎ次検出器と呼ばれる検出器が、ベース・ピッチからのｎ次と一致する角度から来る光を検出する結果である。格子のピッチが増減すると、格子からの光が発散する角度が変化し、格子からのどの次数をｎ次検出器が実際に検出するかが潜在的に変化する。回折次数を強化する他の全ての格子も、本発明の範囲に入る。
【０１２０】
オフアキシャル・位置決めシステムＯＡＳの視野全体でその長手に沿って基準マーク４２２を走査すると、センサが２つの照明波長それぞれについて、第７回折次数チャネルに信号を生成する。その結果、位置決めマーク４２２を１回走査すると、ターゲット４２４、４２６、４２８および４３０それぞれで４つの色／次数信号を提供することができる。通常の回折格子では、回折次数の信号強度は、回折次数が上がるにつれ低下する。次数強化格子は、純粋に一定のピッチを有し、下位構造がない回折格子で通常取得するものより、特定の回折次数を強化する。多ターゲット・位置決めマーク４２２内のターゲットを、特定の次数強化格子になるよう選択することにより、対応するターゲットからの強化した次数のデータを使用するよう選択することができる。例えば、ターゲット格子４２４が７次強化格子に、ターゲット４２が５次境界格子に、ターゲット４２８が３次強化格子になるよう選択した場合、発明者は、ターゲット４２４からは４次チャネルからの信号のみ、ターゲット４２６からは５次チャネルのみ、ターゲット４２８からは３次チャネルのみを使用して良好な結果を取得した。図１６から図１９に示すデータは、このような位置決めマークで取得し、この方法で処理したものである。図１６から図１９で示したデータは、このような多ターゲット・位置決めマーク内で同じ次数の次数強化ターゲット格子に対応する回折次数チャネルの信号から取得したものであるが、図１５から図１８に関して述べた一般的概念は、そのケースのみに制限されない。
【０１２１】
図２０の位置決めマーク４１０および４１２は、異なるピッチを有する回折格子である２つのターゲットを有する多ターゲット・位置決めマークの例を提供する。４ターゲット・位置決めマーク４２２を、両方の異なるピッチを有するターゲットと、特定の回折次数を強化するよう選択されたターゲットとの組合せに関して説明した。追加の効果または異なる効果を達成するよう、ターゲットを選択してもよい。例えば、処理中に予測できる方法で、または製造中のデバイスの変化と相関がある方法で挙動する構造的特徴を有するターゲットを、多ターゲット・位置決めマークに含めることができる。例えば、回折格子パターンに、製造中に所望の特徴を提供するサブパターンを設けてもよい。図２４は、回折格子の一部にサブパターンを追加する例を示す。（図２６Ｃも参照。）例えば、図２３Ａの下位構造４３２を切断して図２６Ｃに概略的に示す構造４４２を取得することができる。製造中のデバイスの主要構造にさらによく類似するよう、コンポーネント４４２内の構造の幅を選択することができる。図２４に示す下位構造は、Ｗ−ＣＭＰプロセスに有用であると考えられる。図２３の右手断面図で、下位構造の溝を充填するのにタングステンを使用することが分かる。複数のターゲット中に、製造プロセス中に非常に変化し、場合によっては破壊される犠牲ターゲットを意図的に作成してもよい。
【０１２２】
犠牲ターゲットの目的は、非犠牲ターゲットを使用して、位置決めマーク位置の決定を改善するよう、プロセス依存性を決定することである。したがって、犠牲ターゲットはプロセスの影響に敏感である。例えば、多ターゲット・位置決めマークの第１ターゲットは、位置安定性に対して最適化され、この多ターゲット・位置決めマークの第２ターゲットは、例えばマークの深さ、線幅または線の角度などに非常に敏感である。感度を使用して、第１ターゲットへのプロセスの影響を補正することができ、その結果、さらに安定した位置になる。第１ターゲットの位置は、プロセスに関係なく比較的安定しているが、第２ターゲットは、適切な検出器で、プロセスの効果を検出するよう最適化され、この知識により、両ターゲットの組み合わせた情報に基づき、位置決めマークのより良い位置を計算する。位置安定性に有用なターゲットの例は、ターゲットの別の区間の真上にある区間を有するターゲットである。例えば、その区間は基板の異なる層にあってもよい。ターゲットの様々な区間は、一つの例示的実施形態では、ピッチが異なる格子でよい。ターゲット区間は、基板の面に対してほぼ同一の位置にあるので、両ターゲット区間からの信号を同時に測定することができる。したがって、ターゲットの様々な区間からの信号は、基板または基板ホルダの動作エラーに対して敏感でない。
【０１２３】
別の実施形態の犠牲ターゲットの目的は、犠牲ターゲットの上または下に位置するアライメント・ターゲットを準備するか、仕上げ加工することである。別のターゲットの上に配置された犠牲ターゲットの例は、ウェーハ表面から不透明材料を除去する構造である。これによって、光が基板を透過し、下の標的に到達して、他の方法では不可能なターゲット上のアライメントを可能にすることができる。別のターゲットの下に配置された犠牲ターゲットの例は、不透明な構造である。透明材料に配置されたアライメント格子の有効深さは、格子の下に不透明構造を配置することにより、調整することができる。この実施形態の範囲は、提供された例に制限されない。アライメントの性能を改善するためにアライメント・ターゲットの上または下に配置された他の構造も、この実施形態の範囲に入る。
【０１２４】
別の実施形態では、第１ターゲットは、製品構造に非常に類似し、したがって実際の製品とほぼ同じ歪みおよびプロセス効果を受ける。ターゲットは、製品の特徴にさらによく似た解像力を有するコンタクト・ホールなどの機構を備える下位構造から構築することができる。このようなターゲットは、製品の位置をよりよく表すが、プロセスからの影響が大きくなることもあり、ターゲットが検出しにくくなる。例えば、ＣＭＰは、製品の解像力で表面構造を完全に除去することが知られている。多ターゲット・位置決めマークの利点は、バックアップのために強健な第２ターゲットが基本的に常に使用可能なことである。
【０１２５】
別の実施形態では、多ターゲット・位置決めマークを使用して、ターゲットまたはターゲットの部分を異なる層に印刷することにより、オーバレイを決定する。モアレ技術を使用した例が与えられ、ここで層１にパターンａを印刷し、層２には、パターンａに重なるパターンｂが印刷され、両方が多ターゲット・位置決めマークの第１ターゲットを形成する。特定のパターンａおよびパターンｂを使用すると、これはアライメント・センサで検出できるビート・パターンを生成し、第２ターゲットに対する第１ターゲットの位置変位がオーバレイを示す。この点での多ターゲット・マークの利点は、アライメント・ターゲットがウェーハ上のほぼ同じ位置に配置されることである。ダイ内でのプロセス変動によってあり得る測定誤差が生じない。
【０１２６】
犠牲ターゲットは、例えば焦点、エネルギ、露光量、線幅、コンタクト・ホール幅、または微小寸法の測定など、位置決定以外の他の目的にも使用することができ、単一ターゲット・マークまたは多ターゲット・マークに使用することができる。この実施形態では、犠牲ターゲットは特に、これをアライメントまたはオーバレイ・センサで検出できるようにする効果に対して敏感である。製品の線幅、コンタクト・ホール幅または微小寸法は、通常、アライメント・ターゲットがコンタクト・ホールまたは線のグループで構成され、改造力および密度が製品と同様である場合、そのターゲットの相対信号強度を使用して測定することができる。焦点および露光量に敏感なアライメント・ターゲットの例が、国際特許第０２／０５２３５０Ａ１で示され、これは参照により全体が本明細書に組み込まれる。また欧州特許第０２２５３１７６６号も参照し、その全内容は参照により本明細書に組み込まれる。これらの測定では、焦点または露光量をオフセットにした状態で、歩留まりを予想せず幾つかの縁部ダイを印刷し、アライメント・センサまたはオーバレイ・センサで焦点または露光量を検出し、フィードバック・ループで調節する。
【０１２７】
３本の検出器チャネルを使用すると、測定システムのオンライン認定および校正を実行することが可能になる。例えば、３本の検出器チャネルが、多ターゲット・位置決めマークの位置を測定する。２本の検出器チャネルが測定位置に関して一致し、第３センサが異なる位置を測定した場合、この第３センサを、この位置決めマークの測定時に信頼性がないと認定することができる。別の例では、２本の検出器チャネルが、プロセスまたは位置決めマークに関係なく、常に位置合わせした位置で一定の位置の差を測定する。このオフセットは、自動校正またはマッチングで補正することができる。別の例では、２本の検出器チャネルが、特定プロセスで位置決めマークの位置測定に特定のオフセットを有し、このオフセットは、前記特定プロセスについて校正することができる。校正したオフセットを使用して、１つのセンサから別のセンサへの切換時、または両方の検出器チャネルを同時に使用する時に、測定値の補正に使用することができる。
【０１２８】
上述したように、多ターゲット・位置決めマークの概念は、多格子位置決めマークのみの使用に制限されない。多ターゲット・位置決めマーク内のターゲットは、様々なタイプのターゲットでよい。これは、ターゲットとしての格子、さらに縁部検出および／または画像認識技術など、他のプロセスによって検出される他のターゲットを含んでもよい。また、多ターゲット・位置決めマーク内の幾つかのターゲットを、特定の１タイプのセンサについて最適化することができ、例えば格子を上述したオフアキシャル・位置決めシステムＯＡＳについて最適化するが、同じマーク内の他のターゲットが、他の位置決めシステムおよび／または他の測定システムに適していてもよい。例えば、多ターゲット・位置決めマーク内のターゲットは、さらなる処理をする前にフォトレジストの露光の正確さを評価するために使用するオンライン計測ツールによっての検出に適してもよい。
【０１２９】
捕捉プロセスも、新しい多ターゲット・位置決めマークの使用で改善することができる。現在の捕捉プロセスでは、アライメント・センサが、第１ピッチを有する回折格子を走査する。上述したように、走査は、通常、アライメント・センサの視野を通して基板を移動させることにより達成される。その結果、図２５で概略的に図示するように、第１周期のシヌソイド信号５００が生じる。次に、アライメント・センサは、第１ピッチより大きい第２ピッチを有する回折格子を操作し、この場合、第１および第２格子は同じ多ターゲット・位置決めマークの一部である。つまり、２つのターゲットを組み合わせて使用し、位置決めマークについて１つの位置を決定する。第２シヌソイド信号５０２は、第１信号とは異なる周期を有する第２格子から生成される。その結果、２つの信号の最大値の一致点５０４は、適切に選択したピッチでは、所望のサイクル数の後、再び一致する。この用途では、１６．０μｍのピッチを有する第１格子および１７．６μｍのピッチを有する第２格子が有用であることが判明している。この場合、信号は、１６．０μｍの格子の１１サイクル、および１７．６μｍの格子の１０サイクル後に再び一致する。このパターンが周期的に繰り返し、したがって正確なアライメント位置に曖昧さが生じる（つまり、反復する一致点の１つを捕捉することができる）。捕捉範囲は、誤った曖昧範囲を選択した場合に８８μｍの倍数の誤差が持ち込まれるケースでは、±４４μｍである。
【０１３０】
捕捉プロセスは、上述したアキシャルまたはオフアキシャル・位置決めシステムで検出した回折次数サブビームを使用して実行することもできる。さらに、１次より高次のサブビームを捕捉プロセスに使用したり、回折次数強化格子を使用したりすることができる。また、種々のタイプのターゲットを使用してよい。
【０１３１】
位置決めマークの捕捉を実行するための多ターゲット・マークには、他のターゲット・タイプも含めることができる。例えば、各対が、例えば回折次数を強化した格子のような異なる下位セグメント化、または図２４に関して前述したような異なるプロセス・セグメント化を有する多格子対を含むことができる。図２６Ａおよび図２６Ｂは、格子の多数対の例２つを示す。位置決めマーク６００は４つのターゲット６０２、６０４、６０６および６０８を有する。ターゲット６０２、６０４および６０６は、例えばそれぞれ３次、５次および７次を強化する次数強化格子でよく、１６．０μｍのピッチを有することができる。（１６．０μｍのピッチを有する格子は、下位構造を無視すると、各線または溝が１／２ピッチであるので、８．０μｍ格子とも呼ぶ。）ターゲット６０８は、例えば３次を強化する次数強化格子でよく、１７．６μｍのピッチを有することができる。別の例は、４つの次数強化格子を有し、その全てが５次を強化する位置決めマーク６１０である。ターゲット６１２、６１４および６１６はそれぞれ、１６．０μｍのピッチを有し、ターゲット６１８は１７．６μｍのピッチを有する。この例では、ターゲット６１４および６１４はそれぞれ異なるプロセス・セグメント化を有することができる。これは、可能な多数の変形のうち２、３の特定の例にすぎない。アライメントにどの格子対を使用するかは、予め画定したり、測定した信号の品質に基づいて動的に決定したりすることができる。１６．０および１７．６μｍの信号対の典型的修飾子は、最も近い１６．０と１７．６μｍ最大値のうち２つの信号最大値間の残余変位であり、ゼロ残余変位が最良である。また、多ターゲット・マークは、平均値から遠く離れた特定の検出マークを識別するのに使用することができる。１６．０μｍの格子などの３つ以上の格子、さらには任意のターゲットまで使用する場合、格子の位置合わせした位置を相互に比較し、結果の一つが１の２つ以上と非常に離れている場合、それを検出することができる。この偏差したアライメント信号は「フライヤ」と呼ばれ、したがってウェーハの位置決定には使用されない。フライヤは、全体としてマークごとに決定するか、さらに特定の検出チャネルに対して指定することができる。また、ターゲットごとに位置を決定することができ、ターゲットは全体として、マークの他のターゲットと比較した位置について評価され、次に位置合わせした位置の決定のため、ターゲットを保持するか、またはそのターゲットを拒否するか決定することができる。このメカニズムは、捕捉中は特に有用であることが判明した。というのは、捕捉プロセス後に、より高次（高周波）の誤った最大値を選択しても、この例では誤差が（７次では）少なくとも８μｍになるので、容易に検出することができる。
【０１３２】
多格子の実施形態の一つは、捕捉多格子マークである。このマークは、捕捉用に最適化された２つの格子、および微細位置合わせ用に最適化された２つの格子を有する。この実施形態の主要な利点は、１つの格子で捕捉と微細位置合わせとの両方を可能にするのに、妥協する必要がないことである。別の実施形態は、プロセス多格子である。（図２６Ｃ参照。）このマークは、捕捉用の１７．６μｍの１個のピッチ・セグメント、および３個の１６μｍのピッチ・セグメントを有する。１６μｍのピッチ・セグメントは、同じ回折次数を強化する機構を装備する。１６μｍのピッチ・セグメントそれぞれの特徴は、特定のプロセス・ウィンドウに対して最適化される。プロセスの特徴に応じて、１６ミクロン・ピッチ・セグメントの１つの位置合わせに使用する。
【０１３３】
本発明の別の実施形態は、オーバレイ戦略を改善するためのシステムである。ウェーハ・アライメントのパラメータは、マイクロデバイスを構築する際のオーバレイ戦略にとって重要である。重要なパラメータの幾つかは、使用する位置決めマークの数、アライメント方法、残余閾値、およびウェーハ上のマークの位置である。図２７は、オーバレイが改善されたシステムで使用できる、本発明の実施形態による多ターゲット・マークを示す。格子ピッチに対応する数値（ピッチ値の半分）は、現在のところ有用であることが判明し、一般的概念を制限する特徴ではない値の例として提供される。図２７に示す位置決めマークは、製造工場（「ｆａｂ」）で現在使用されている大部分のプロセス（つまりＣＭＰ、ＰＶＤ、ＳＴＩ、ＤＴ、Ｃｕダマシンなど）に対して、このようなマーク上の強健なアライメントを提供する３つのプロセス・ターゲットを有する。３つのプロセス・ターゲットが有用であることが判明したが、本発明の範囲から逸脱することなく、他の数のプロセス・ターゲットを移用することもできる。個々のプロセスを処理しても強健さを向上させるため、特殊なプロセス・モジュールが設計された。プロセス・ターゲットの例は、図２４及び図２６Ｃに関して上記で説明している。例えば、付着中にＷ厚さが大幅に変動する場合は、Ｗ厚さ変動の全範囲をカバーするような方法で、プロセス・セグメント化を選択する。その方法で、Ｗ−ＣＭＰおよびＡｌ−ＰＶＣプロセス・ステップ後に、最適なアライメント性能が獲得される。
【０１３４】
能動的アライメントには、多ターゲット・位置決めマーク内の１つまたは複数のターゲットを使用し、他のターゲットは平行して測定し、予想される関数形への信号の適合性に関する相関係数である信号品質（ＭＣＣ）、信号強度（ＳＳ）およびグリッド・モデリング・パラメータ（並進、回転、拡大など）のような追加情報を提供する。図２８は、本発明による構造全体にわたる自動プロセス制御（ＡＰＣ）システムのデータ・フローの略図である。ＡＰＣシステムは、オフライン・オーバレイ計測ツールからもデータを受信するので、システムは、代替戦略で獲得することができるオーバレイを予測することができる。ＡＰＣシステムを、本発明の実施形態により校正し、異なる戦略へ切り換えるか、そしていつ切り換えるかを決定することができる。情報は、異なる戦略に変更するか否かを決定するヒトにも提供できることに留意されたい。
【０１３５】
直前で説明した実施形態は、外部制御システムのフィードバック・ループ用のものである。これは、バッチごとなど、徐々に変動するパラメータには有用である。本発明の別の実施形態は、「フォールバック」システムおよび方法、およびウェーハ単位の動的大域アライメント戦略を提供する。リソグラフィ・ツールに基づくこの制御ループは、自動機器制御（ＡＥＣ）の実施形態である。本発明では、自動フォールバックは、能動的アライメント戦略が失敗した場合の代替戦略の一つである。例えば、予め定義したフォールバック戦略、または２番目に性能が優れた戦略をフォールバックに使用することができる。その方法で、アライメント誤差により製造プロセス中に拒否されるウェーハの数を最少にすることができる。
【０１３６】
アライメント失敗の場合、別の戦略に切り換えるべきことは明白である。しかし、バッチ内での動的大域アライメント戦略の場合、代替戦略への切換は、オーバレイ性能の間接的な指標に基づく。外部からのオーバレイ・データが入手できないからである。このような指標は、例えば次数ごとの安定性、残余分析、または信号品質分析（ＳＳ、ＭＣＣ）である。２００１年２月２５日から３月２日にカリフォルニア州サンタクララで開催された第２６回マイクロリソグラフィに関する国際年次シンポジウムでのRamon Navarro、StefanKeij、Arie den Boef、Sicco Schets、Frank van Bilsen、Geert Sijons、Ron Schuurhuis、Jaap Burghoornによる「Extended Athena alignment performance and appliation for the 100nm technology node」を参照されたい。この全内容は、参照により本明細書に組み込まれる。次数ごとの安定性は、処理のみに誘発されるような位置合わせした位置の変動の尺度である。残余分析は、モデル化したウェーハ格子が測定した位置にいかにうまく適合するかを特徴付ける。代替戦略への切換の決定は、バッチ内で実現することができる。しかし、代替戦略へ切り換える場合は、通常、新しいプロセス補正が必要である。両方の場合（フォールバックおよび動的大域アライメント戦略）、正しいプロセス補正の決定が問題となる。プロセス補正は、バッチ全体で安定していると仮定されるので、これは低速フィードバックＡＰＣシステムで導出することができる。したがって、ＡＰＣシステムは、ここでの新しいアライメント戦略のパラメータを決定せず、多ターゲット・マークの全セグメントのプロセス補正を決定し、この補正をリソグラフィ・ツールに送信する。リソグラフィ・ツールにこれらのデータがあると、アライメント戦略をバッチごとに切り換えて、フィードバック・ループを実現することができる。
【０１３７】
本発明の別の実施形態では、位置決めシステムから収集したデータを使用して、製造中の品質管理を改善することができる。品質管理は、通常は各バッチからランダムに拾われる幾つかのウェーハでオーバレイ計測ツールが実行する。したがって、バッチから代表的でないウェーハが選択される可能性が十分になる。次のバッチのプロセス補正は、このオーバレイ計測測定に基づくので、その結果、バッチごとにオーバレイが変動する。この実施形態では、全てのウェーハで入手可能なアライメント・データを使用して、オーバレイ計測ツールで測定すべきウェーハを識別する。どのウェーハがバッチを代表するかを決定するため、例えばウェーハ・モデル・パラメータ（並進、膨脹、回転）のウェーハごとの分布を決定し、バッチ平均のウェーハ・パラメータに最も近いウェーハを識別することができる。特に、ウェーハの膨脹および非直交性は、この目的に有用である。あるいは、格子残余、つまり測定した位置への最良の格子適合からの各測定位置の偏差を求めることができる。位置決めマークが異なる機械で露光されている場合、格子残余に系統的誤差が生じることがある。これで、位置決めシステムは、異なるオフセットで各マークを測定する。このオフ接地は、残余に大きく貢献し、それによって真の処理効果を曖昧にしてしまう。図２７に示すようなマーク位置ごとの残余分布を決定することにより、オフセットの効果が排除される。これで、全マークについて、これが格子内に適合するか個別に決定することができる。使用できる他の修飾子には、全マークおよび全ウェーハにわたる、または全ウェーハにまたがるマークごとのＳＳおよびＭＣＣ分布がある。あるいは、最悪のウェーハを指示し、ウェーハ（フライヤ）を疑うこともできる。例えば、最悪のＳＳ、ＭＣＣ、または残余を使用してよい。これらの最悪ウェーハがオーバレイ計測ツールの仕様内であれば、バッチ全体が仕様内である。
【０１３８】
本発明の別の実施形態では、アライメント・データを使用して、代替戦略のプロセス補正値を決定する。プロセス補正値は、能動的戦略のみについて、オーバレイ計測ツールで決定される。能動的戦略と代替戦略との差を、位置決めシステムで測定する。古い戦略およびアライメント・データのプロセス補正値から、新しい戦略のプロセス補正値を計算する式は、以下の通りである。
【０１３９】
【数１３】
2008034878.tif 000015
【０１４０】
これは、各ウェーハ・モデル・パラメータに当てはまり、ここでＰＣはモデル化されたウェーハ・モデル・パラメータであり、Ｗは露光したウェーハ格子のパラメータである。適用可能なウェーハ・パラメータは、並進Ｘ、Ｙ、ウェーハ膨脹Ｘ、Ｙ、ウェーハ回転、非直交性である。例えば、
１．バッチからの全ウェーハ、
２．オフライン・オーバレイ測定に使用するウェーハのみ、
３．以前のバッチ（拒否の場合）
のようなアライメント・データを平均するには、異なるシナリオを使用することができる。
【０１４１】
本発明の別の実施形態では、モデル化したオーバレイ計測データ（ＰＣ）を補正する代わりに、生のオーバレイ計測データに、オフラインで測定した各オーバレイ・ターゲットおよび各ウェーハの格子差Ｗalternative−Ｗactiveによるオフセットを与える。次に、代替戦略のオーバレイ性能およびプロセス補正値を、そのバッチについて計算する。オペレータまたはＡＰＣシステムは、これでオーバレイの傾向を（つまり幾つかのバッチについて時間の関数として）監視することができ、したがってオペレータまたはＡＰＣシステムは、代替戦略の一つに切り換えるか否か決定する。
【０１４２】
上述した多数のシステムは、コヒーレントなアライメント放射線源を使用するが、米国特許第６３８４８９９号に記載された位相変調技術も、本明細書で説明するシステムと組み合わせて使用することができる。米国特許第６３８４８９９号の全内容は、参照により全体として本明細書に組み込まれる。本発明による位置決めシステムは、多様なアライメント装置で実現することができる。特定の例では、図３、図５、図７、図１２、及び図１３に示す位置決めシステムで実現することができる。この例では、位置決めシステムは、位置決定ユニットを有する。概して、位置決定ユニットは、固定配線の専用コンポーネントか、プログラマブル・コンポーネントでよい。プログラマブル・ユニットでは、位置決定ユニットはＣＰＵ、メモリ、およびデータ保存領域を備える。また、位置決定ユニットは、他の機器との連絡および／またはユーザとのインタフェースのため、Ｉ／Ｏポートを有する。
【０１４３】
本発明を例示的実施形態に関して説明している。これは、これらの実施形態のみに制限されず、請求の範囲で定義されるような本発明の範囲内で、これらの実施形態の組合せおよび変形を含む。本発明は、ＩＣ製造のために基板上のマスク・パターンを走査ステップ式に画像形成する装置での使用に関しても説明しているが、これに制限されるという意味ではない。本発明は、代替的に、集積つまり完全な光学系、磁気ドメイン・メモリの案内および検出パターン、または液晶表示パネルのこのような製造装置に使用することができる。投影装置は、投影ビームが電磁放射線のビームで、投影システムが光学投影レンズ・システムである光学装置ばかりでなく、投影ビームが電子ビーム、イオン・ビームまたはＸ線ビームなどの荷電粒子ビームであり、電子レンズ・システムなどの関連する投影システムを使用する装置でもよい。概して、本発明は、非常に小さい細部を有する像を形成しなければならない撮像システムに使用することができる。言うまでもなく、上記の様々な組合せも、本発明の範囲に入る。
【図面の簡単な説明】
【０１４４】
【図１】様々な測定システムを有する走査ステップ式投影装置の実施形態を示す。
【図２】基板位置決めマークの実施形態を示す。
【図３】マスクのマークと基板のマークを相互に対して位置合わせする二重アライメント・ユニットの実施形態を示す。
【図４】本発明の実施形態によるオフアキシャル・位置決めシステムを有するリソグラフィ装置の略図である。
【図５】本発明によるオフアクシス・アライメント・ユニットの実施形態を示す。
【図６】本発明の実施形態に使用する基準格子を有するプレートを示す。
【図７】本発明の実施形態のウェッジ・エレメントによる偏向を示す。
【図８】本発明の実施形態によるアライメント・ユニットの第１および第２レンズ・システムの好ましい配置構成を示す。
【図９】アライメント・ユニットの第２実施形態にある偏向エレメントの構造として使用するウェッジ形プレートのシリーズを示す。
【図１０】このシリーズがサブビームを偏向する方法を示す。
【図１１】２つの波長を有するアライメント放射線を使用するアライメント・ユニットの実施形態で、このプレートの面におけるサブビームの位置を示す。
【図１２】２つの波長を使用するアライメント・ユニットの実施形態を示す。
【図１３】この実施形態に使用する好ましいビーム・スプリッタを示す。
【図１４】投影レンズおよび基板に対するアライメント・ユニットの位置を示す。
【図１５】図５Ａから図１５Ｄは、タングステン化学機械研磨（Ｗ−ＣＭＰ）プロセスによる位置決めマークへの非対称損傷を示す。
【図１６】検出チャネルの回折次数の関数として、Ｗ−ＣＭＰプロセスによるアライメント誤差を示す。
【図１７】異なる方法でプロットした図１６のアライメント誤差を示す。
【図１８】半導体ウェーハ４個の周期性の関数として、Ｗ−ＣＭＰおよびアルミニウム物理蒸着（Ａｌ−ＰＶＤ）プロセスによる疑似拡張エラーを示す。
【図１９】半導体ウェーハ４個の周期性の関数として、Ｗ−ＣＭＰおよびＡｌ−ＭＶＤプロセスによる疑似回転エラーを示す。
【図２０】半導体ウェーハのスクライブ線に書き込まれたＸおよびＹ２ターゲット・位置決めマークの略図である。
【図２１】本発明の実施形態によるオフアキシャル・位置決めシステムで、２つの波長の一方に関する回折次数チャネル７本からの出力信号を示す。
【図２２】本発明の実施形態により、半導体ウェーハのスクライブ線を形成するのに適した４ターゲット・位置決めマークの略図である。
【図２３】図２３Ａから図２３Ｄは、本発明の実施形態による位置決めマークのターゲットに適した回折次数強化格子の部分の略断面図である。
【図２４】処理構造を有するアライメント格子の下部構造を示す斜視図である。
【図２５】本発明によるアライメント捕捉システムおよび方法の概念を説明する略図である。
【図２６】図２６Ａ、図２６Ｂおよび図２６Ｃは、本発明の実施形態によるプロセス固有のターゲットを有する多ターゲット・位置決めマークの略図である。
【図２７】本発明の別の実施形態による多ターゲット・位置決めマークの略図である。
【図２８】本発明の実施形態による半導体処理システムを示す。
【図２９】本発明の実施形態による処理品質制御を示す。
【図１】
2008034878.tif 000016
【図２】
2008034878.tif 000017
【図３】
2008034878.tif 000018
【図４】
2008034878.tif 000019
【図５】
2008034878.tif 000020
【図６】
2008034878.tif 000021
【図７】
2008034878.tif 000022
【図８】
2008034878.tif 000023
【図９】
2008034878.tif 000024
【図１０】
2008034878.tif 000025
【図１１】
2008034878.tif 000026
【図１２】
2008034878.tif 000027
【図１３】
2008034878.tif 000028
【図１４】
2008034878.tif 000029
【図１５】
2008034878.tif 000030
【図１６】
2008034878.tif 000031
【図１７】
2008034878.tif 000032
【図１８】
2008034878.tif 000033
【図１９】
2008034878.tif 000034
【図２０】
2008034878.tif 000035
【図２１】
2008034878.tif 000036
【図２２】
2008034878.tif 000037
【図２３】
2008034878.tif 000038
【図２４】
2008034878.tif 000039
【図２５】
2008034878.tif 000040
【図２６】
2008034878.tif 000041
【図２７】
2008034878.tif 000042
【図２８】
2008034878.tif 000043
【図２９】
2008034878.tif 000044
【手続補正書】
【提出日】平成19年10月15日(2007.10.15)
【手続補正１】
【補正対象書類名】特許請求の範囲
【補正対象項目名】全文
【補正方法】変更
【補正の内容】
【特許請求の範囲】
【請求項１】
マイクロデバイスを製造するために、製造領域内で加工物上の位置決めマークを捕捉する方法で、
前記加工物上に多格子位置決めマークを形成することと、
複数の検出器を有する位置決めシステムで、前記多格子位置決めマークを検出することと、
前記多格子位置決めマークの複数の格子から第１および第２格子を選択することと、
前記複数の検出器のうち第１検出器の前記多格子位置決めマークの前記第１格子からのほぼ周期的な第１信号を、前記複数の検出器のうち第２検出器の前記多格子位置決めマークの前記第２格子からのほぼ周期的な第２信号と比較することと、
前記比較に基づいて捕捉範囲を決定することとを含む方法。
【請求項２】
前記第１格子が、１次より大きい次数を強化する回折次数強化格子であり、前記第２格子が、１次より大きい次数を強化する回折次数強化格子である請求項１に記載された位置決めマークを捕捉する方法。
【請求項３】
前記多格子位置決めマークの前記第１および第２回折次数強化格子が、異なる回折次数を強化する請求項２に記載された位置決めマークを捕捉する方法。
【請求項４】
マイクロデバイスの製造に使用する位置決めマークで、
第１検出パターンを有する第１ターゲットと、
第２検出パターンを有する第２ターゲットとを有し、
前記第１ターゲットが、第１検出器で検出するような構成であり、
前記第２ターゲットが、第２検出器で検出するような構成である位置決めマーク。
【請求項５】
前記第１ターゲットが、第１周期的格子パターンを有する第１回折次数強化格子であり、
前記第２ターゲットが、第２周期的格子パターンを有する第２回折次数強化格子であり、
記第１ターゲットが、前記第２ターゲットによって強化された回折ビームから、異なる次数の回折ビームを強化する請求項４に記載された位置決めマーク。
【請求項６】
さらに、第３検出パターンを有する第３ターゲットを有し、
前記第３ターゲットが、第３周期的格子パターンを有する第３回折次数強化格子であり、前記第３ターゲットが、前記第１および第２ターゲットによって強化された前記回折ビームから、異なる次数の回折ビームを強化する請求項５に記載された位置決めマーク。
【請求項７】
さらに、第４検出パターンを有する第４ターゲットを有し、
前記第４ターゲットが、前記第１、第２および第３周期的格子パターンからの異なる周期の周期的パターンを有する回折格子である請求項６に記載された位置決めマーク。
【請求項８】
マイクロデバイスの製造に使用するため、非ゼロ次の回折ビームの強度を強化する、オブジェクト上に形成された回折次数強化位置決めマーク。
【請求項９】
マイクロデバイスの製造に使用するため、オブジェクト上に形成された位置決めマークで、検出パターンおよび処理パターンを有するターゲットを有し、前記処理パターンが、製造中の前記マイクロデバイスの変化に対応してマイクロデバイスの処理にて変化する構造を有する位置決めマーク。
【請求項１０】
マイクロデバイスを製造するための自動プロセス制御方法で、
複数の検出器チャネルを有する位置決めマーク検出システムからデータを受信することと、
前記位置決めマーク検出システムからの前記受信データに基づき、更新された処理戦略を決定することと、
前記更新された処理戦略に基づいて処理ステップを変更することとを含み、
前記位置決めマーク検出システムの前記複数の検出器チャネルが、位置決めマークの検出中に、対応する複数の信号をほぼ同期して提供する方法。
【請求項１１】
前記位置決めマーク検出システムからの前記データが、多ターゲット・位置決めマークの走査から取得される請求項１０に記載された自動プロセス制御方法。
【請求項１２】
前記多ターゲット・位置決めマークが、前記複数の検出器チャネルのうち対応する少なくとも２つの検出器チャネルに、検出信号を提供するため、前記多ターゲット・位置決めマークが、前記位置決めマーク検出システムによって別個に検出可能な少なくとも２つのターゲットを有する請求項１１に記載された自動プロセス制御方法。
【請求項１３】
前記少なくとも２つのターゲットが、それぞれ、異なる回折次数を強化する回折次数強化格子であり、対応する少なくとも２つの検出器チャネルが回折次数チャネルである請求項１２に記載された自動プロセス制御方法。
【請求項１４】
前記多ターゲット・位置決めマークの前記少なくとも２つのターゲットのうち少なくとも一方が、前記マイクロデバイスの処理ステップ中に、ほぼ予測可能な方法で信号特徴を変化させるプロセス・ターゲットである請求項１１に記載された自動プロセス制御方法。
【請求項１５】
前記プロセス・ターゲットが、タングステンで充填された十字溝の下位構造を有する回折格子である請求項１４に記載された自動プロセス制御方法。
【請求項１６】
前記多ターゲット・位置決めマークの前記少なくとも２つのターゲットのうち少なくとも一方が、自身に配向されたアライメント放射線に対して不透明な材料の層上に形成された回折格子であり、不透明材料の前記層が、前記回折格子の有効深さを調整するように作用する請求項１２に記載された自動プロセス制御方法。
【請求項１７】
前記多ターゲット・位置決めマークが半導体ウェーハのスクライブ線に沿って形成された少なくとも４つのターゲットを有する請求項１１に記載された自動プロセス制御方法。
【請求項１８】
前記位置決めマーク検出システムが、リソグラフィ露光装置のオフアキシャル・位置決めシステムである請求項１０に記載された自動プロセス制御方法。
【請求項１９】
さらに、
オフライン計測ツールからデータを受信することと、
前記位置決めマーク検出システムからの前記受信データ、および前記オフライン計測ツールからの前記データに基づき、前記更新された処理戦略を決定することとを含む、請求項１８に記載された自動プロセス制御方法。
【請求項２０】
前記複数の検出器チャネルのうち少なくとも２本のチャネルが、異なる波長での検出に対応する請求項１０に記載された自動プロセス制御方法。
【請求項２１】
マイクロデバイスを製造するための自動プロセス制御システムで、
複数の検出器チャネルを有する位置決めマーク検出システムからデータを受信するような構成であるデータ処理ユニットを有し、
前記データ処理ユニットが、前記位置決めマーク検出システムから受信したデータに基づき、更新された処理戦略を決定し、前記更新処理戦略に基づいて処理ステップを変更するように信号を出力し、
前記位置決めマーク検出システムの前記複数の検出器チャネルが、位置決めマークの検出中に、対応する複数の信号をほぼ同期して提供する自動プロセス制御システム。
【請求項２２】
前記位置決めマーク検出システムからの前記データが、多ターゲット・位置決めマークの走査中に取得される請求項２１に記載された自動プロセス制御システム。
【請求項２３】
前記多ターゲット・位置決めマークが、前記複数の検出器チャネルの対応する少なくとも２本の検出器チャネルに検出信号を提供するように、前記位置決めマーク検出システムによって別個に検出可能な少なくとも２つのターゲットを有する請求項２２に記載された自動プロセス制御システム。
【請求項２４】
前記少なくとも２つのターゲットが、それぞれ、異なる回折次数を強化する回折次数強化格子であり、対応する少なくとも２つの検出器チャネルが回折次数チャネルである請求項２３に記載された自動プロセス制御システム。
【請求項２５】
前記多ターゲット・位置決めマークの前記少なくとも２つのターゲットのうち少なくとも一方が、前記マイクロデバイスの処理ステップ中に、ほぼ予測可能な方法で信号特徴を変化させるプロセス・ターゲットである請求項２３に記載された自動プロセス制御システム。
【請求項２６】
前記プロセス・ターゲットが、タングステンで充填された十字溝の下位構造を有する回折格子である請求項２５に記載された自動プロセス制御システム。
【請求項２７】
前記多ターゲット・位置決めマークの前記少なくとも２つのターゲットのうち少なくとも一方が、自身に配向されたアライメント放射線に対して不透明な材料の層上に形成された回折格子であり、不透明材料の前記層が、前記回折格子の有効深さを調整するように作用する請求項２３に記載された自動プロセス制御システム。
【請求項２８】
前記多ターゲット・位置決めマークが、半導体ウェーハのスクライブ線に沿って形成された少なくとも４つのターゲットを有する請求項２２に記載された自動プロセス制御システム。
【請求項２９】
前記位置決めマーク検出システムが、リソグラフィ露光装置のオフアキシャル・位置決めシステムである請求項２１に記載された自動プロセス制御システム。
【請求項３０】
前記データ処理ユニットが、さらに、オフライン計測ツールからデータを受信するような構成であり、前記データ処理ユニットが、前記位置決めマーク検出システムおよび前記オフライン計測ツールから受信したデータに基づき、前記更新された処理戦略を決定して、前記更新処理戦略に基づいて前記処理ステップを変更するように、前記信号を出力する請求項２９に記載された自動プロセス制御システム。
【請求項３１】
前記複数の検出器チャネルのうち少なくとも２本のチャネルが、異なる波長での検出に対応する請求項２１に記載された自動プロセス制御システム。
【請求項３２】
マイクロデバイスを製造するための自動機器制御方法で、
複数の検出器チャネルを有する位置決めマーク検出システムからデータを受信することと、
前記位置決めマーク検出システムからの前記受信データに基づき、更新した処理戦略を決定することと、
前記更新処理戦略に基づいて処理ステップを変更することとを含み、
前記位置決めマーク検出システムの前記複数の検出チャネルが、位置決めマークの検出中に対応する複数の信号をほぼ同期して提供する方法。
【請求項３３】
前記位置決めマーク検出システムからの前記データが、多ターゲット・位置決めマークの走査中に取得される請求項３２に記載された自動機器制御方法。
【請求項３４】
前記多ターゲット・位置決めマークが、前記複数の検出器チャネルの対応する少なくとも２本の検出器チャネルに検出信号を提供するように、前記位置決めマーク検出システムによって別個に検出可能な少なくとも２つのターゲットを有する請求項３３に記載された自動機器制御方法。
【請求項３５】
前記少なくとも２つのターゲットが、それぞれ、異なる回折次数を強化する回折次数強化格子であり、対応する少なくとも２本の検出器チャネルが回折次数チャネルである請求項３４に記載された自動機器制御方法。
【請求項３６】
前記多ターゲット・位置決めマークの前記少なくとも２つのターゲットのうち少なくとも一方が、前記マイクロデバイスの処理ステップ中に、ほぼ予測可能な方法で信号特徴を変化させるプロセス・ターゲットである請求項３５に記載された自動機器制御方法。
【請求項３７】
前記プロセス・ターゲットが、タングステンで充填された十字溝の下位構造を有する回折格子である請求項３６に記載された自動機器制御方法。
【請求項３８】
前記多ターゲット・位置決めマークの前記少なくとも２つのターゲットのうち少なくとも一方が、自身に配向されたアライメント放射線に対して不透明な材料の層上に形成された回折格子であり、不透明材料の前記層が、前記回折格子の有効深さを調整するように作用する請求項３４に記載された自動機器制御方法。
【請求項３９】
前記多ターゲット・位置決めマークが、半導体ウェーハのスクライブ線に沿って形成された少なくとも４つのターゲットを有する請求項３３に記載された自動機器制御方法。
【請求項４０】
前記位置決めマーク検出システムが、リソグラフィ露光装置のオフアキシャル・位置決めシステムである請求項３２に記載された自動機器制御方法。
【請求項４１】
前記複数の検出器チャネルのうち少なくとも２本のチャネルが、異なる波長での検出に対応する請求項３２に記載された自動機器制御方法。
【請求項４２】
リソグラフィ装置の位置決めシステムで、
アライメント放射線源と、
第１検出器チャネルおよび第２検出器チャネルを含む検出システムと、
前記検出システムと連絡する位置決定ユニットとを有し、
前記位置決定ユニットが、前記第１および第２検出器チャネルからの情報を組み合わせて処理し、加工物のアライメント格子を決定するように構成されている位置決めシステム。
【請求項４３】
前記第１検出器チャネルが第１非ゼロ回折次数チャネルであり、前記第２検出器チャネルが第２非ゼロ回折次数チャネルである請求項４２に記載された位置決めシステム。
【請求項４４】
前記位置決定ユニットが、前記第１および第２非ゼロ回折次数チャネルからの前記情報を、前記第１および第２非ゼロ回折次数チャネルからの第１および第２信号を、前記第２信号に対する前記第１信号の相対的強度によって決定される係数で重み付けすることにより処理するように構成されている請求項４３に記載された位置決めシステム。
【請求項４５】
前記第２信号に対する前記第２信号の強度が所定の閾値を超えた場合、前記第２非ゼロ回折次数チャネルの重み係数が、ゼロに設定される請求項４４に記載された位置決めシステム。
【請求項４６】
前記位置決定ユニットが、前記第１および第２検出器チャネルからの情報を組み合わせて処理し、前記アライメント格子を第１精度で決定するように構成されている請求項４２に記載された位置決めシステム。
【請求項４７】
前記位置決定ユニットが、第３および第４検出器チャネルからの情報を処理して、アライメント格子を、前記第１精度より精密な第２精度で決定するように構成されている請求項４６に記載された位置決めシステム。
【請求項４８】
前記位置決定ユニットが、前記第１および第２検出器チャネルからの第１および第２信号を等しく重み付けすることにより、前記第１および第２検出器からの前記情報を処理するように構成されている請求項４２に記載された位置決めシステム。
【請求項４９】
前記位置決定ユニットが、ｍｃｃ、ミニレプロ、信号対雑音比、信号形状、信号エンベロープ、焦点、勾配、次数チャネル位置オフセット、波長チャネル位置オフセット、セグメントと粗・微位置偏差間の変位で校正された測定可能量のセットから選択された少なくとも１つの測定可能な量に依存する係数で、前記第１および第２検出器チャネルからの第１および第２信号を重み付けすることにより、前記第１および第２検出器チャネルからの前記情報を処理するように構成され、
パラメータｍｃｃは、測定した信号がいかに、完璧な位置決めマークに予想される信号と似ているかを示す複数の相関係数であり、ミニレプロは、アライメント測定の異なる区間または部分の位置合わせした位置の標準偏差で、位置合わせした位置の正確さを示すアライメント測定の様々な区間または部分の位置合わせした位置の標準偏差であり、信号対雑音比は、適合した信号を、測定した信号のスペクトルにわたるノイズの相対的レベルで割った値で、通常は基本周波数の倍数であり、信号形状は、このスペクトルにおける、幾つかの別個周波数の相対レベルであり、信号エンベロープは、測定中の信号強度の分散であり、焦点は、測定中のウェーハ高さのオフセットであり、勾配は、測定中のウェーハ角度と検出器角度との間の角度であり、次数チャネル位置オフセットは、１つの波長の様々なチャネルの位置合わせした位置における測定値の差であり、波長チャネル位置オフセットは、様々な波長チャネルの位置合わせした位置の測定値の差であり、セグメント間変位は、複数のセグメント間した位置決めマークの様々なセグメントの位置合わせした位置の測定値差であり、粗・微位置偏差は、粗位相での位置決めマーク測定に基づいた予想位置に対する微位相での位置決めマークの位置の差である請求項４２に記載された位置決めシステム。
【請求項５０】
前記位置決定ユニットが、前記第１および第２検出器チャネルからの前記組み合わせた情報を使用する予測方法により、前記アライメント格子を決定するように構成されている請求項４２に記載された位置決めシステム。
【請求項５１】
前記予測方法が、固定したデータ・セットに基づく静的予測方法である請求項５０に記載された位置決めシステム。
【請求項５２】
前記予測方法が、前記アライメント格子の前記決定中に変更できる初期データ・セットに基づく、請求項５０に記載された位置決めシステム。
【請求項５３】
前記固定したデータ・セットが、前記加工物への前記位置決めマークの位置の依存性を含む、請求項５１に記載された位置決めシステム。
【請求項５４】
前記位置決定ユニットが、第２加工物上で決定されたアライメント格子からの情報を含むことにより、前記アライメント格子を決定するように構成されている請求項４２に記載された位置決めシステム。
【請求項５５】
前記第１検出器チャネルが第１波長チャネルであり、前記第２検出器チャネルが第２波長チャネルである請求項４２に記載された位置決めシステム。
【請求項５６】
前記アライメント放射線源が、第１波長で照明放射線を提供するレーザを有する請求項４２に記載された位置決めシステム。
【請求項５７】
前記アライメント放射線源が、さらに、第２波長で照明放射線を提供する第２レーザを有する請求項５０に記載された位置決めシステム。
【請求項５８】
前記アライメント放射線源が、複数の波長で照明放射線を提供するような構成である広帯域源を有する請求項４２に記載された位置決めシステム。
【請求項５９】
前記検出システムが、第１検出信号を前記第１検出器チャネルに提供するように構成された第１検出器と、第２検出信号を前記第２検出器チャネルに提供するように構成された第２検出器とを有する請求項４２に記載された位置決めシステム。
【請求項６０】
前記検出システムが、多ターゲット・位置決めマークの第１ターゲット、および前記多ターゲット・位置決めマークの第２ターゲットを検出するように構成されている請求項４２に記載された位置決めシステム。
【請求項６１】
前記多ターゲット・位置決めマークの前記第１ターゲットが、前記第１ターゲットの一部の上または下にある構造の少なくとも１つを含む、請求項６０に記載された位置決めシステム。
【請求項６２】
前記検出システムが、多ターゲット・位置決めマークの第１ターゲットを検出して、前記第１検出信号を提供するように構成され、前記検出システムが、前記多ターゲット・位置決めマークの第２ターゲットを検出して、前記第２検出信号を提供するように構成されている請求項６０に記載された位置決めシステム。
【請求項６３】
前記多ターゲット・位置決めマークの前記第１ターゲットが、前記加工物の前記製造プロセス中に所定の変化を遂げるように構成されているプロセス・ターゲットである請求項６０に記載された位置決めシステム。
【請求項６４】
前記多ターゲット・位置決めマークの前記第２ターゲットが、前記加工物の前記製造プロセス中に、前記第１ターゲットより小さい変化を遂げて、前記第１ターゲットに強健なバックアップ・ターゲットを提供するように構成されている請求項６３に記載された位置決めシステム。
【請求項６５】
前記多ターゲット・位置決めマークの前記第１ターゲットが、前記加工物の前記製造プロセス中に破壊されるように構成された犠牲ターゲットである請求項６０に記載された位置決めシステム。
【請求項６６】
前記多ターゲット・位置決めマークの前記第１ターゲットが、前記加工物の材料の第１層内に構築され、前記多ターゲット・位置決めマークの前記第２ターゲットが、前記加工物の材料の第２層内に構築されている請求項６０に記載された位置決めシステム。
【請求項６７】
前記多ターゲット・位置決めマークの前記第１ターゲットが、純粋に周期的な格子と比較して、そこから回折した放射線の第１回折次数を強化する回折次数強化格子であり、前記多ターゲット・位置決めマークの前記第２ターゲットが、純粋に周期的な格子と比較して、そこから回折した放射線の第２回折次数を強化する回折次数強化格子であり、前記第１回折次数が、前記第２回折次数の整数値とは異なる整数値である請求項６０に記載された位置決めシステム。
【請求項６８】
前記検出システムが、さらに、第３検出器チャネルを有し、前記位置決定ユニットが、前記第１、第２および第３検出器チャネルからの情報を組み合わせて処理し、前記加工物上の前記位置決めマークの前記位置を決定しながら、校正および認定のうち少なくとも一方を実行するように構成されている請求項４２に記載された位置決めシステム。
【請求項６９】
リソグラフィ投影装置で、
照明放射線を提供するように構成された照明システムと、
前記照明放射線の経路に配置されるような構成である基板ステージ・アセンブリと、
前記照明システムと前記基板ステージ・アセンブリとの間で前記照明放射線の前記経路に配置されるレチクル・ステージ・アセンブリと、
前記レチクル・ステージ・アセンブリと前記基板ステージ・アセンブリとの間に配置された投影システムと、
前記基板ステージ・アセンブリおよび前記レチクル・ステージ・アセンブリの少なくとも一方の近傍に配置された位置決めシステムとを有し、
前記位置決めシステムが、
アライメント放射線源と、
第１検出器チャネルおよび第２検出器チャネルを含む検出システムと、
前記検出システムと連絡する位置決定ユニットとを有し、
前記位置決定ユニットが、前記第１および第２検出器チャネルからの情報を組み合わせて処理し、加工物のアライメント格子を決定するように構成されているリソグラフィ投影装置。
【請求項７０】
前記第１検出器チャネルが第１非ゼロ回折次数チャネルであり、前記第２検出器チャネルが第２非ゼロ検出次数チャネルである請求項６９に記載されたリソグラフィ投影装置。
【請求項７１】
前記位置決定ユニットが、前記第１および第２非ゼロ回折次数チャネルからの前記情報を、前記第１および第２非ゼロ回折次数チャネルからの第１および第２信号に、前記第２信号に対する前記第１信号の相対的強度に依存する係数で重み付けすることにより処理するように構成されている請求項７０に記載されたリソグラフィ投影装置。
【請求項７２】
前記第２信号に対する前記第１信号の強度が所定の閾値を超えた場合、前記第２非ゼロ回折次数チャネルの重み付け係数がゼロに設定される請求項７１に記載されたリソグラフィ投影装置。
【請求項７３】
前記位置決定ユニットが、前記第１および第２検出器チャネルからの情報を組み合わせて処理し、前記加工物のアライメント格子を第１精度で決定するように構成されている請求項６９に記載されたリソグラフィ投影装置。
【請求項７４】
前記位置決定ユニットが、第３および第４検出器チャネルからの情報を処理して、前記加工物の前記アライメント格子を、前記第１精度より精密な第２精度で決定するように構成されている請求項７３に記載されたリソグラフィ投影装置。
【請求項７５】
前記位置決定ユニットが、前記第１および第２検出器チャネルからの前記情報を、前記第１および第２検出器チャネルからの第１および第２信号に等しく重み付けすることにより処理するように構成されている請求項６９に記載されたリソグラフィ投影装置。
【請求項７６】
前記位置決定ユニットが、ｍｃｃ、ミニレプロ、信号対雑音比、信号形状、信号エンベロープ、焦点、勾配、次数チャネル位置オフセット、波長チャネル位置オフセット、セグメントと粗・微位置偏差間の変位で校正された測定可能量のセットから選択された少なくとも１つの測定可能な量に依存する係数で、前記第１および第２検出器チャネルからの第１および第２信号を重み付けすることにより、前記第１および第２検出器チャネルからの前記情報を処理するように構成され、
パラメータｍｃｃは、測定した信号がいかに、完璧な位置決めマークに予想される信号と似ているかを示す複数の相関係数であり、ミニレプロは、アライメント測定の異なる区間または部分の位置合わせした位置の標準偏差で、位置合わせした位置の正確さを示すアライメント測定の様々な区間または部分の位置合わせした位置の標準偏差であり、信号対雑音比は、適合した信号を、測定した信号のスペクトルにわたるノイズの相対的レベルで割った値で、通常は基本周波数の倍数であり、信号形状は、このスペクトルにおける、幾つかの別個周波数の相対レベルであり、信号エンベロープは、測定中の信号強度の分散であり、焦点は、測定中のウェーハ高さのオフセットであり、勾配は、測定中のウェーハ角度と検出器角度との間の角度であり、次数チャネル位置オフセットは、１つの波長の様々なチャネルの位置合わせした位置における測定値の差であり、波長チャネル位置オフセットは、様々な波長チャネルの位置合わせした位置の測定値の差であり、セグメント間変位は、複数のセグメント間した位置決めマークの様々なセグメントの位置合わせした位置の測定値差であり、粗・微位置偏差は、粗位相での位置決めマーク測定に基づいた予想位置に対する微位相での位置決めマークの位置の差である請求項６９に記載されたリソグラフィ投影装置。
【請求項７７】
前記位置決定ユニットが、前記第１および第２検出器チャネルからの前記組み合わせた情報を使用する予測方法により、前記位置決めマークの前記位置を決定するように構成されている請求項６９に記載されたリソグラフィ投影装置。
【請求項７８】
前記予測方法が、固定したデータ・セットに基づく静的予測である請求項７７に記載されたリソグラフィ投影装置。
【請求項７９】
前記予測方法が、前記加工物上の前記位置決めマークの前記位置の前記決定中に変更できる初期データ・セットに基づく、請求項７７に記載されたリソグラフィ投影装置。
【請求項８０】
前記固定したデータ・セットが、前記加工物への前記位置決めマークの位置の依存性を含む、請求項７６に記載されたリソグラフィ投影装置。
【請求項８１】
前記位置決定ユニットが、第２加工物上で決定されたアライメント格子からの情報を含むことにより、前記アライメント格子を決定するように構成されている請求項６９に記載されたリソグラフィ投影装置。
【請求項８２】
前記第１検出器チャネルが第１波長チャネルであり、前記第２検出器チャネルが第２波長チャネルである請求項６９に記載されたリソグラフィ投影装置。
【請求項８３】
前記アライメント放射線源が、第１波長で照明放射線を提供するレーザを有する請求項６９に記載されたリソグラフィ投影装置。
【請求項８４】
前記アライメント放射線源が、さらに、第２波長で照明放射線を提供する第２レーザを有する請求項８３に記載されたリソグラフィ投影装置。
【請求項８５】
前記アライメント放射線源が、複数の波長での照明放射線を提供するような構成である広帯域源を有する請求項６９に記載されたリソグラフィ投影装置。
【請求項８６】
前記検出システムが、第１検出信号を前記第１検出器チャネルに提供するように構成された第１検出器と、第２検出信号を前記第２検出器チャネルに提供するように構成されている第２検出器とを有する請求項６９に記載されたリソグラフィ投影装置。
【請求項８７】
前記検出システムが、多ターゲット・位置決めマークの第１ターゲット、および前記多ターゲット・位置決めマークの第２ターゲットを検出するように構成されている請求項６９に記載されたリソグラフィ投影装置。
【請求項８８】
前記多ターゲット・位置決めマークの前記第１ターゲットが、前記第１ターゲットの一部の上または下の構造のうち少なくとも１つを含む、請求項８７に記載されたリソグラフィ投影装置。
【請求項８９】
前記検出システムが、多ターゲット・位置決めマークの第１ターゲットを検出して前記第１検出信号を提供するように構成され、前記検出システムが、前記多ターゲット・位置決めマークの第２ターゲットを検出して前記第２検出信号を提供する構成されている請求項８７に記載されたリソグラフィ投影装置。
【請求項９０】
前記多ターゲット・位置決めマークの前記第１ターゲットが、前記加工物の前記製造プロセス中に所定の変化を遂げるように構成されているプロセス・ターゲットである請求項８７に記載されたリソグラフィ投影装置。
【請求項９１】
前記多ターゲット・位置決めマークの前記第２ターゲットが、前記加工物の前記製造プロセス中に、前記第１ターゲットより小さい変化を遂げて、前記第１ターゲットに強健なバックアップ・ターゲットを提供するように構成されている請求項９０に記載されたリソグラフィ投影装置。
【請求項９２】
前記多ターゲット・位置決めマークの前記第１ターゲットが、前記加工物の前記製造プロセス中に破壊されるように構成されている犠牲ターゲットである請求項８７に記載されたリソグラフィ投影装置。
【請求項９３】
前記多ターゲット・位置決めマークの前記第１ターゲットが、前記加工物の材料の第１層内に構築され、前記多ターゲット・位置決めマークの前記第２ターゲットが、前記加工物の材料の第２層内に構築されている請求項８９に記載されたリソグラフィ投影装置。
【請求項９４】
前記多ターゲット・位置決めマークの前記第１ターゲットが、純粋に周期的な格子と比較して、そこから回折した放射線の第１回折次数を強化する回折次数強化格子であり、前記多ターゲット・位置決めマークの前記第２ターゲットが、純粋に周期的な格子と比較して、そこから回折した放射線の第２回折次数を強化する回折次数強化格子であり、前記第１回折次数が、前記第２回折次数の整数値とは異なる整数値である請求項８９に記載されたリソグラフィ投影装置。
【請求項９５】
前記検出システムが、さらに、第３検出器チャネルを有し、前記位置決定ユニットが、前記第１、第２および第３検出器チャネルからの情報を組み合わせて処理し、前記加工物の前記アライメント格子を決定しながら、校正および認定のうち少なくとも一方を実行するように構成されている請求項６９に記載されたリソグラフィ投影装置。
【請求項９６】
マイクロデバイスを製造するため加工物を位置合わせする方法で、
前記加工物上に位置決めマークを形成することと、
前記位置決めシステムで前記位置決めマークを検出することと、
前記位置決めマークに応答して前記位置決めシステムから第１信号を受信することと、
前記位置決めマークに応答して前記位置決めシステムから第２信号を受信することと、
前記第１および第２信号からの情報に基づき、前記加工物のアライメント格子を決定することとを含む方法。
【請求項９７】
前記位置決めマークが多ターゲット・位置決めマークであり、前記第１信号が、前記多ターゲット・位置決めマークの第１ターゲットに応答し、前記第２信号が、前記多ターゲット・位置決めマークの第２ターゲットに応答する請求項９６に記載された加工物を位置合わせする方法。
【請求項９８】
前記位置決めシステムが、前記第１信号を生成する第１検出器と、前記第２信号を生成する第２検出器とを有する請求項９６に記載された加工物を位置合わせする方法。
【請求項９９】
前記位置決めマークが多ターゲット・位置決めマークであり、前記第１信号が前記多ターゲット・位置決めマークの第１ターゲットに応答し、前記第２信号が、前記多ターゲット・位置決めマークの第２ターゲットに応答する請求項９８に記載された加工物を位置合わせする方法。
【請求項１００】
さらに、前記加工物を保持するような構成であるステージ・アセンブリ上の認識マークの位置を決定することと、前記認識マークに対する前記位置決めマークの前記位置を決定することとを含む、請求項９６に記載された加工物を位置合わせする方法。
【請求項１０１】
前記多ターゲット・位置決めマークが、前記加工物のスクライブ線に沿って、隣接するマイクロデバイス領域間に形成される請求項９６に記載された加工物を位置合わせする方法。
【請求項１０２】
前記第１ターゲットが第１回折格子であり、前記第２ターゲットが第２回折格子である請求項９７に記載された加工物を位置合わせする方法。
【請求項１０３】
前記第１および第２回折格子が回折次数強化格子である請求項１０２に記載された加工物を位置合わせする方法。
【請求項１０４】
前記第１ターゲットが、前記第２ターゲットとは異なるパターンを有する請求項９７に記載された加工物を位置合わせする方法。
【請求項１０５】
前記第１ターゲットが、前記マイクロデバイスの構造に基づいて構成された構造を有する請求項９７に記載された加工物を位置合わせする方法。
【請求項１０６】
前記多ターゲット・位置決めマークを前記検出することが、アライメント放射線ビームで前記多ターゲット・位置決めマークを照明することを含む、請求項９７に記載された加工物を位置合わせする方法。
【請求項１０７】
前記位置決めシステムの前記第１検出器から受信した前記第１信号が、前記アライメント放射線ビームが前記第１ターゲットを照明した後に、第１対の非ゼロ次数回折アライメント放射線ビームを検出することに対応し、
前記位置決めシステムの前記第２検出器から受信した前記第２信号が、前記アライメント放射線ビームが前記第２ターゲットを照明した後に、第２対の非ゼロ次数回折アライメント放射線ビームを検出することに対応し、前記第１および第２対の非ゼロ次数回折ビームが相互とは異なる次数である請求項９８に記載された加工物を位置合わせする方法。
【請求項１０８】
前記位置決めマークの前記位置を前記決定することが、前記第１および第２信号に基づいて位置を予測することを含む請求項９６に記載された加工物を位置合わせする方法。
【請求項１０９】
リソグラフィ装置の計測システムで、
アライメント放射線源と、
第１検出器チャネルおよび第２検出器チャネルを含む検出システムと、
前記検出システムに連絡する処理ユニットとを有し、
前記処理ユニットが、前記第１および第２検出器チャネルからの情報を組み合わせて処理し、加工物上の位置決めマークの検出に基づいて、焦点、エネルギ、露光量、線幅、コンタクト・ホール幅または微小寸法のうち少なくとも１つを決定するように構成された計測システム。
【請求項１１０】
前記第１検出器チャネルが第１非ゼロ検出次数チャネルであり、前記第２検出器チャネルが第２非ゼロ回折次数チャネルである請求項１０９に記載された計測システム。
【請求項１１１】
前記処理ユニットが、前記第１および第２非ゼロ回折次数チャネルからの第１および第２信号を、前記第２信号に対する前記第１信号の相対的強度に依存する係数で重み付けすることにより、前記第１および第２非ゼロ回折次数チャネルからの前記情報を処理するように構成された請求項１１０に記載された計測システム。
【請求項１１２】
前記第２信号に対する前記第１信号の強度が所定の閾値を超えた場合、前記第２非ゼロ回折次数チャネルの重み係数がゼロに設定される、請求項１１１に記載された計測システム。
【請求項１１３】
前記第１検出器チャネルが第１波長チャネルであり、前記第２検出器チャネルが第２波長チャネルである請求項１０９に記載された計測システム。
【請求項１１４】
前記アライメント放射線源が、第１波長で照明放射線を提供するレーザを有する請求項１０９に記載された計測システム。
【請求項１１５】
前記アライメント放射線源が、さらに、第２波長で照明放射線を提供する第２レーザを有する請求項１１４に記載された計測システム。
【請求項１１６】
前記アライメント放射線源が、複数の波長で照明放射線を提供するような構成である広帯域源を有する請求項１１４に記載された計測システム。
【請求項１１７】
前記検出システムが、前記第１検出器チャネルに第１検出信号を提供するように構成された第１検出器と、前記第２検出器チャネルに第２検出信号を提供するように構成された第２検出器とを有する請求項１０９に記載された計測システム。
【請求項１１８】
前記検出システムが、多ターゲット・位置決めマークの第１ターゲット、および前記多ターゲット・位置決めマークの第２ターゲットを検出するように構成されている請求項１０９に記載された計測システム。
【請求項１１９】
前記多ターゲット・位置決めマークの前記第１ターゲットが、前記第１ターゲットの一部の上または下にある構造の少なくとも１つを含む、請求項１１８に記載された計測システム。
【請求項１２０】
前記検出システムが、多ターゲット・位置決めマークの第１ターゲットを検出して、前記第１検出信号を提供するように構成され、前記検出システムが、前記多ターゲット・位置決めマークの第２ターゲットを検出して、前記第２検出信号を提供するように構成されている請求項１１８に記載された計測システム。
【請求項１２１】
前記多ターゲット・位置決めマークの前記第１ターゲットが、前記加工物の製造プロセス中に所定の変化を遂げるように構成されたプロセス・ターゲットである請求項１１８に記載された計測システム。
【請求項１２２】
前記多ターゲット・位置決めマークの前記第２ターゲットが、前記加工物の前記製造プロセス中に、前記第１ターゲットより小さい変化を遂げて、前記第１ターゲットに強健なバックアップ・ターゲットを提供するように構成されている、請求項１２１に記載された計測システム。
【請求項１２３】
前記多ターゲット・位置決めマークの前記第１ターゲットが、前記加工物の製造プロセス中に破壊されるように構成された犠牲ターゲットである請求項１１８に記載された計測システム。
【請求項１２４】
前記多ターゲット・位置決めマークの前記第１ターゲットが、前記加工物の材料の第１層内に構築され、前記多ターゲット・位置決めマークの前記第２ターゲットが、前記加工物の材料の第２層内に構成されている、請求項１１８に記載された計測システム。
【請求項１２５】
前記多ターゲット・位置決めマークの前記第１ターゲットが、純粋に周期的な格子と比較して、そこから回折した放射線の第１回折次数を強化する回折次数強化格子であり、前記多ターゲット・位置決めマークの前記第２ターゲットが、純粋に周期的な格子と比較して、そこから回折した放射線の第２回折次数を強化する回折次数強化格子であり、前記第１回折次数が、前記第２回折次数の整数値とは異なる整数値である請求項１１８に記載された計測システム。
【請求項１２６】
前記検出システムが、さらに、第３検出器チャネルを有し、前記位置決定ユニットが、前記第１、第２および第３検出器チャネルからの情報を組み合わせて処理し、校正および認定のうち少なくとも一方を実行しながら、前記焦点、エネルギ、露光量、線幅、コンタクト・ホール幅または微小寸法のうち少なくとも１つを決定するように構成されている、請求項１０９に記載された計測システム。
【外国語明細書】
2008034878000001.pdf